(57)【要約】  溶解性組織刺入先端部を含むセンサデバイスが、センサデバイスをホストに挿入するために構成される溶解性針と併せて用いられ得る。センサデバイス上の膜を強化するための硬化剤もまた、提供される。センサデバイスの使用及び製造の方法もまた、提供される。
2017510347.tif 000002
【特許請求の範囲】
【請求項１】
ホストにおける分析物の濃度を測定するためのセンサデバイスであって、前記センサデバイスが、インサータを使用することなく前記ホストに埋め込むように構成され、
センサ本体、少なくとも１つの電極、及び前記少なくとも１つの電極の少なくとも一部分を被覆する膜を備える、センサユニットと、
前記センサユニットの遠位端にあり、前記ホストの皮膚及び／または組織に刺入するように構成される、刺入要素と、
前記センサの先端部から離れており、前記ホストの皮膚の外表面で前記センサデバイスを支持するように構成される、載置ユニットと、を備え、
前記センサ本体が、刺激に応答して、少なくとも１つの材料特性を変化させる刺激応答性材料を含む、前記センサデバイス。
【請求項２】
前記少なくとも１つの材料特性が、硬度、形状、透過性、相対的親水性、弾性係数、またはポリマー配向の高次構造のうちの少なくとも１つである、請求項１に記載の前記センサデバイス。
【請求項３】
前記センサ本体が、体外では硬性であり、体内では軟性である、請求項２に記載の前記センサデバイス。
【請求項４】
前記少なくとも１つの材料特性の前記変化を誘発する前記刺激は、温度、水和、放射線、電気刺激、または磁界のうちの少なくとも１つである、請求項１に記載の前記センサデバイス。
【請求項５】
前記センサ本体が、ポリマーである、請求項１に記載の前記センサデバイス。
【請求項６】
前記センサ本体が、ポリウレタン、ポリエステル、ポリアミド、ポリアクリレート、もしくはポリエーテル、またはこれらのコポリマーである、請求項５に記載の前記センサデバイス。
【請求項７】
前記刺激応答性材料が、形状記憶金属である、請求項１に記載の前記センサデバイス。
【請求項８】
前記形状記憶金属が、銅−アルミニウム−ニッケル（Ｃｕ−Ａｌ−Ｎｉ）、ニッケル−チタン（ＮｉＴｉ）、鉄−マンガン−シリコン（Ｆｅ−Ｍｎ−Ｓｉ）、または銅−亜鉛−アルミニウム（Ｃｕ−Ｚｎ−Ａｌ）である、請求項７に記載の前記センサデバイス。
【請求項９】
前記センサ本体が、前記ホストの皮膚への挿入前に第１の形状を画定する、請求項１に記載の前記センサデバイス。
【請求項１０】
前記センサ本体が、記憶された形状を画定し、前記センサ本体が、前記ホストの皮膚への挿入後に前記記憶された形状に戻る、請求項９に記載の前記センサデバイス。
【請求項１１】
前記第１の形状が、曲線状または直線状であり、前記記憶された形状が、曲線状または直線状である、請求項１０に記載の前記センサデバイス。
【請求項１２】
前記センサ本体が前記記憶された形状に戻るとき、蓄積されたバネエネルギーが、前記センサ本体から放出される、請求項１０に記載の前記センサデバイス。
【請求項１３】
前記放出されたバネエネルギーが、前記ホストの皮膚への刺入を促進する、ホイッピング動作（ｗｈｉｐｐｉｎｇ  ａｃｔｉｏｎ）を生み出す、請求項１２に記載の前記センサデバイス。
【請求項１４】
インサータを使用することなくホストに埋め込むように構成されるセンサデバイスを作製する方法であって、
センサ本体、少なくとも１つの電極、及び前記少なくとも１つの電極の少なくとも一部分を被覆する膜を含むセンサユニットに、刺入先端部を形成することを含み、
前記膜が、前記センサユニットに前記刺入先端部を形成する前に前記センサユニットに適用される、前記方法。
【請求項１５】
前記センサユニットに前記膜を適用することをさらに含む、請求項１４に記載の前記方法。
【請求項１６】
前記刺入先端部を形成することが、前記膜でコーティングされたワイヤの外周に環状チャネルを形成することを含む、請求項１４に記載の前記方法。
【請求項１７】
前記環状チャネルが、前記膜を通って部分的に前記ワイヤ内に延在する、請求項１６に記載の前記方法。
【請求項１８】
前記コーティングされたワイヤに張力を適用することをさらに含む、請求項１６に記載の前記方法。
【請求項１９】
前記張力が、前記環状チャネルに近接する前記ワイヤに歪みを誘発し、前記ワイヤのネッキング及び破断を引き起こす、請求項１８に記載の前記方法。
【請求項２０】
前記ネッキングにより、前記センサ本体に前記刺入先端部が形成される、請求項１９に記載の前記方法。
【請求項２１】
前記刺入先端部を保護外層で被覆することをさらに含む、請求項２０に記載の前記方法。
【発明の詳細な説明】
【技術分野】
【０００１】
関連出願の相互作用による組み込み
出願データシートに特定されるありとあらゆる優先権の主張またはそれに対するあらゆる補正は、３７  ＣＦＲ  １．５７の下に参照により本明細書に組み込まれる。本出願は、２０１４年４月１０日に出願された米国出願第１４／２５０，３２０号及び２０１４年４月１０日に出願された米国出願第１４／２５０，３４１号の利益を主張する。前述の出願は、参照によりその全体が本明細書に組み込まれ、本明細書において明示的に本明細書の一部をなす。
【０００２】
本実施形態は、ホストにおける分析物の濃度を測定するためのシステム及び方法に関する。
【背景技術】
【０００３】
真性糖尿病は、膵臓が十分なインスリンを作成することができない（Ｉ型もしくはインスリン依存性）、及び／またはインスリンが有効でない（２型もしくは非インスリン依存性）障害である。糖尿病状態において、罹患者は、高血糖を患い、これは、一連の生理学的障害（微小血管の劣化と関連する、例えば、腎不全、皮膚潰瘍、または眼の硝子体へ出血）を引き起こし得る。低血糖反応（低血糖）は、インスリンの不注意な過剰摂取、またはインスリンもしくはグルコース低下剤の通常投薬後の極端な運動もしくは不十分な食物摂取によって引き起こされ得る。
【０００４】
従来的には、糖尿病を患う人物は、自己監視式血中グルコース（ＳＭＢＧ）モニタを担持し、これは、典型的に、測定用の血液試料を得るために不快な指の穿刺を要する。指の穿刺に伴う快適さ及び便利さの欠如のため、糖尿病を患う人物は、通常、１日に２〜４回グルコースレベルを測定するだけである。残念なことに、測定の間隔は、糖尿病を患う人物が、高血糖または低血糖の状態に気づくのが遅すぎてときには危険な副作用を被ることになる程に離れている場合がある。糖尿病を患う患者がＳＭＢＧ値を適時に取得しない傾向にあるだけでなく、患者は、従来の方法に基づいて彼らの血中グルコース値が上昇している（より高くなっている）か、または下がっている（より低くなっている）かがわからない傾向にある。糖尿病患者は、したがって、知識に基づいたインスリン療法の判断を下すことを妨げられる場合がある。
【０００５】
糖尿病患者が血中グルコースを監視するために使用する別のデバイスは、連続的分析物センサである。連続的分析物センサは、典型的に、皮下、経真皮（例えば、経皮）、または血管内に設置されるセンサを含む。センサは、体内で所与の分析物の濃度を測定し、原信号を生成し、これがセンサと関連付けられた電子機器に伝送される。原信号は、出力値に変換され、これがディスプレイに表示される。原信号の変換から得られる出力値は、典型的に、ユーザに有意義な情報、例えば、ｍｇ／ｄＬ単位で表される血中グルコースを提供する形式で表される。
【発明の概要】
【課題を解決するための手段】
【０００６】
様々な本実施形態は、複数の特徴を有し、これらはいずれも、それらの望ましい属性に関与する唯一のものではない。以下の特許請求の範囲に明示される本実施形態の範囲を制限することなく、それらのより顕著な特徴を、これより簡単に考察する。この考察を考慮した後、また具体的には「発明を実施するための形態」と題される節を読んだ後、本実施形態の特徴が、どのようにして本明細書に記載される利点を提供するかについて理解するであろう。
【０００７】
本実施形態の一態様は、画鋲（ｔａｃｋ）センサが、センサの全寿命にわたり、組織に埋め込まれたままとなる鋭利化された先端部を含むという認識を含む。鋭利化された先端部を長期間生体内に残しておくことは、周辺組織に外傷を引き起こし得、瘢痕化及び創傷治癒の阻害をもたらす。本実施形態のうちのいくつかは、この問題に対する解決策を提供する。
【０００８】
前述の問題を認識して、第１の態様において、本実施形態のうちのいくつかは、ホストにおける分析物の濃度を測定するためのセンサデバイスを備え、このセンサデバイスは、センサ本体、少なくとも１つの電極、及び少なくとも１つの電極の少なくとも一部分を被覆する膜を備えるセンサユニットであって、センサ本体が平滑な先端部を有する、センサユニットと、ホストに挿入した後急速に溶解する材料を含む刺入要素であって、センサ先端部に当接し、組織に刺入することができる、刺入要素と、センサ先端部から離れており、ホストの皮膚の外表面上でセンサデバイスを支持するように構成される、載置ユニットと、を備える。
【０００９】
第１の態様のある実施形態では、刺入要素は、センサ先端部に固定される。
【００１０】
第１の態様のある実施形態では、刺入要素は、センサ先端部に接着される。
【００１１】
第１の態様のある実施形態では、刺入要素は、センサ先端部に固定されないが、センサ先端部と当接する接触状態で維持される。
【００１２】
第１の態様のある実施形態では、センサ先端部を包囲するスリーブ及び刺入要素は、当接する接触状態を維持する。
【００１３】
第１の態様のある実施形態では、刺入要素は、センサ先端部を含めてセンサ本体の少なくとも一部分を被覆するコーティングを含む。
【００１４】
第１の態様のある実施形態では、コーティングは、鋭利なコーティング先端部を含む。
【００１５】
第１の態様のある実施形態では、刺入要素の材料は、創傷を抑制する材料を含む。
【００１６】
第１の態様のある実施形態では、刺入要素の材料は、急速な創傷治癒を促進する材料を含む。
【００１７】
第１の態様のある実施形態では、刺入要素の材料は、浸透圧または膠質浸透圧を誘発する材料を含む。
【００１８】
第１の態様のある実施形態では、刺入要素の材料は、１つ以上の薬物を含む。
【００１９】
第１の態様のある実施形態では、刺入要素の材料は、血管内皮成長因子（ＶＥＧＦ）を含む。
【００２０】
第１の態様のある実施形態では、刺入要素の材料は、塩、金属塩、糖、合成ポリマー、ポリ乳酸、ポリグリコール酸、またはポリホスファゼンのうちの少なくとも１つを含む。
【００２１】
第１の態様のある実施形態では、刺入要素の材料は、ホストへの挿入後１日目以内に生分解／溶解する。
【００２２】
第１の態様のある実施形態では、刺入要素の材料は、ホストへの挿入後３時間以内に生分解／溶解する。
【００２３】
第１の態様のある実施形態では、刺入要素は、載置ユニットの方向にセンサ先端部を越えて延在しないか、または該方向にほんの少し延在する。
【００２４】
第１の態様のある実施形態では、刺入要素は、載置ユニットの方向にセンサ先端部を越えて延在するが、電極の手前で止まる。
【００２５】
第１の態様のある実施形態では、載置ユニットは、センサユニットが実質的な座屈を伴うことなくホストの皮膚を通して挿入され得るように、ホストの皮膚を通したセンサユニットの挿入を誘導し、センサ本体のカラム強度を支持するように構成される、誘導部分を備える。
【００２６】
第１の態様のある実施形態では、少なくとも１つの電極は、作用電極及び基準電極を含む。
【００２７】
第１の態様のある実施形態では、センサ本体は、センサユニットの挿入中に膜を損傷から保護するように構成される、支持部材をさらに備える。
【００２８】
第１の態様のある実施形態では、少なくとも１つの電極は、支持部材である。
【００２９】
第１の態様のある実施形態では、支持部材は、少なくとも１つの電極の少なくとも一部分を支持するように構成される。
【００３０】
第１の態様のある実施形態では、支持部材は、少なくとも１つの電極を実質的に包囲するように構成される。
【００３１】
第１の態様のある実施形態では、載置ユニットは、センサ本体に操作可能かつ取り外し可能に接続される、センサ電子機器ユニットを備える。
【００３２】
第１の態様のある実施形態では、センサ電子機器ユニットは、センサ挿入部位の上に位置付けられるように構成される。
【００３３】
さらに、前述の問題を認識して、第２の態様では、本実施形態のうちのいくつかは、センサデバイスを作製する方法を含み、この方法は、センサの先端部を液体に浸漬してセンサ先端部上に液体のコーティングを形成することと、コーティングがセンサ先端部から延在する鋭利な尖端を形成するように、引き抜きのパラメータを制御しながらセンサ先端部を液体から引き抜くことであって、この鋭利な尖端は組織に刺入することができることと、を含む。
【００３４】
第２の態様のある実施形態では、パラメータには、液体で浸潤されるセンサの長さ（Ｌ）、液体の粘度、及び引き抜きの速度のうちの少なくとも１つが含まれる。
【００３５】
第２の態様のある実施形態では、Ｌは、０．１〜４ｍｍの範囲内である。
【００３６】
第２の態様のある実施形態では、Ｌは、２〜３ｍｍである。
【００３７】
第２の態様のある実施形態では、粘度は、１００ｃＰ未満である。
【００３８】
第２の態様のある実施形態では、引き抜きの速度は、２０〜３０インチ／秒である。
【００３９】
第２の態様のある実施形態では、本方法は、コーティングを硬化させることをさらに含む。
【００４０】
第２の態様のある実施形態では、硬化は、ＵＶ（または熱）架橋、照射、乾燥、または加熱を含む。
【００４１】
第２の態様のある実施形態では、本方法は、鋭利な円錐形状を形成するために１ステップで締め付け及び硬化を行う、先端鋳型またはドロースルー固定具を使用することをさらに含む。
【００４２】
第２の態様のある実施形態では、本方法は、コーティングの硬化中にコーティングに電圧を印加することをさらに含む。
【００４３】
第２の態様のある実施形態では、本方法は、コーティングを加熱し、それをガラスのように引き伸ばすことをさらに含む。
【００４４】
本実施形態の別の態様は、センサ挿入のための一部の現行の方法では、センサが挿入針の管腔内で受容されるという認識を含む。センサよりも高いカラム強度を有する針は、挿入中に生じる摩擦力に耐える。センサが組織の正しい位置に配置されると、針が取り除かれる。針を取り除く必要性は、挿入後にセンサとセンサ電子機器とを電気接続する必要性を含め、挿入プロセスを複雑にする。本実施形態のうちのいくつかは、この問題に対する解決策を提供する。
【００４５】
前述の問題を認識して、第３の態様では、本実施形態のうちのいくつかは、ホストにおける分析物の濃度を測定するためのセンサデバイスを備え、このセンサデバイスは、センサ本体、少なくとも１つの電極、及び少なくとも１つの電極の少なくとも一部分を被覆する膜を備えるセンサユニットと、ホストに挿入すると急速に溶解する材料を含み、組織に刺入することができる鋭利な先端部及びセンサユニットを受容する管腔を含む、刺入要素と、を備える。
【００４６】
第３の態様のある実施形態では、センサ本体は、平滑な先端部を有する。
【００４７】
第３の態様のある実施形態では、センサユニットは、刺入要素に固定されていない。
【００４８】
第３の態様のある実施形態では、センサユニットは、刺入要素に固定される。
【００４９】
第３の態様のある実施形態では、刺入要素の材料は、創傷を抑制する材料を含む。
【００５０】
第３の態様のある実施形態では、刺入要素の材料は、急速な創傷治癒を促進する材料を含む。
【００５１】
第３の態様のある実施形態では、刺入要素の材料は、浸透圧または膠質浸透圧を誘発する材料を含む。
【００５２】
第３の態様のある実施形態では、刺入要素の材料は、１つ以上の薬物を含む。
【００５３】
第３の態様のある実施形態では、刺入要素の材料は、血管内皮成長因子（ＶＥＧＦ）を含む。
【００５４】
第３の態様のある実施形態では、刺入要素の材料は、塩、金属塩、糖、合成ポリマー、ポリ乳酸、ポリグリコール酸、またはポリホスファゼンのうちの少なくとも１つを含む。
【００５５】
第３の態様のある実施形態では、刺入要素の材料は、ホストへの挿入後１日目以内に生分解／溶解する。
【００５６】
第３の態様のある実施形態では、刺入要素の材料は、ホストへの挿入後３時間以内に生分解／溶解する。
【００５７】
本実施形態の別の態様は、分析物センサの膜の材料が軟質であり、センサが組織内を前進するときに剥離する傾向にあるという認識を含む。この問題は、センサがまず膜でコーティングされた後に、先端部が鋭利化されるプロセスによって形成されるセンサで特に深刻である。このプロセスは、センサ本体を露出させ、センサ本体の先端部に、側面を包囲する薄い膜のコーティングを残す。本実施形態のうちのいくつかは、この問題に対する解決策を提供する。
【００５８】
前述の問題を認識して、第４の態様では、本実施形態のうちのいくつかは、ホストにおける分析物の濃度を測定するためのセンサデバイスを備え、このセンサデバイスは、センサ本体、少なくとも１つの電極、及び少なくとも１つの電極の少なくとも一部分を被覆する膜を備えるセンサユニットと、センサ先端部から離れており、ホストの皮膚の外表面上でセンサデバイスを支持するように構成される、載置ユニットと、を備え、ここで、膜は、硬化剤を含み、この硬化剤が、センサユニットが実質的な座屈を伴うことなくホストの皮膚を通じて挿入され得るように、センサユニットに増加したカラム強度を提供する。
【００５９】
第４の態様のある実施形態では、硬化剤は、膜と一体化される。
【００６０】
第４の態様のある実施形態では、膜は、センサ本体の先端部を被覆する。
【００６１】
第４の態様のある実施形態では、センサ本体の先端部は、膜を通じて露出される。
【００６２】
第４の態様のある実施形態では、センサ本体の露出した先端部は、過酸化水素と反応しない材料を含む。
【００６３】
第４の態様のある実施形態では、硬化剤は、シアノアクリレートを含む。
【００６４】
さらに、前述の問題を認識して、第５の態様において、本実施形態のうちのいくつかは、ホストにおける分析物の濃度を測定するためのセンサデバイスを備え、このセンサデバイスは、センサ本体、少なくとも１つの電極、及び少なくとも１つの電極の少なくとも一部分を被覆する膜を備える、センサユニットと、センサ先端部から離れており、ホストの皮膚の外表面上でセンサデバイスを支持するように構成される、載置ユニットと、を備え、ここで、この膜は硬化剤を含み、硬化剤がセンサユニットのカラム強度を向上させ、少なくとも１つの電極への膜の接着を高め、硬化剤を含む膜は、分析物の透過性を可能にする。
【００６５】
第５の態様のある実施形態では、硬化剤は、マトリックス中に懸濁される。
【００６６】
第５の態様のある実施形態では、膜は、センサの先端部を被覆する。
【００６７】
第５の態様のある実施形態では、センサ本体の先端部は、膜を通じて露出される。
【００６８】
第５の態様のある実施形態では、センサ本体の露出した先端部は、過酸化水素と反応しない材料を含む。
【００６９】
第５の態様のある実施形態では、硬化剤は、シアノアクリレートを含む。
【００７０】
さらに、前述の問題を認識して、第６の態様では、本実施形態のうちのいくつかは、センサデバイスを作製する方法を含み、この方法は、ワイヤを膜でコーティングすることと、コーティングしたワイヤを所望の長さに切断し、それによってセンサ先端部が形成されることと、膜が硬化剤を吸収するように、コーティングしたワイヤを硬化剤に曝露することと、を含む。
【００７１】
第６の態様のある実施形態では、コーティングしたワイヤを曝露することは、少なくともセンサ先端部を硬化剤に浸漬することを含む。
【００７２】
第６の態様のある実施形態では、本実施形態のうちのいくつかは、膜を硬化させて硬化剤を硬化することをさらに含む。
【００７３】
第６の態様のある実施形態では、本実施形態のうちのいくつかは、センサ先端部を鋭利化して、組織に刺入することができる鋭利な尖端を形成することをさらに含む。
【００７４】
第６の態様のある実施形態では、センサ先端部は、過酸化水素と反応しない材料を含む。
【００７５】
第６の態様のある実施形態では、本実施形態のうちのいくつかは、鋭利化したセンサ先端部に消滅剤を適用して、鋭利化ステップ中に曝露される全ての活性表面を消滅させることをさらに含む。
【００７６】
第６の態様のある実施形態では、消滅剤は、シアノアクリレートまたはシランを含む。
【００７７】
第６の態様のある実施形態では、消滅剤は、蒸着を用いて適用される。
【００７８】
第６の態様のある実施形態では、硬化剤は、シアノアクリレートを含む。
【００７９】
さらに、前述の問題を認識して、第７の態様では、本実施形態のうちのいくつかは、センサデバイスを作製する方法を含み、この方法は、ワイヤを所望の長さに切断し、それによってセンサ先端部が形成されることと、センサ先端部を鋭利化して、組織に刺入することができる鋭利な尖端を形成することと、鋭利化したセンサ先端部を含めてワイヤを膜でコーティングすることと、膜が硬化剤を吸収するように、コーティングしたワイヤを硬化剤に曝露することと、を含む。
【００８０】
第７の態様のある実施形態では、コーティングしたワイヤを曝露することは、少なくともセンサ先端部を硬化剤に浸漬することを含む。
【００８１】
第７の態様のある実施形態では、本実施形態のうちのいくつかは、膜を硬化させて硬化剤を硬化することをさらに含む。
【００８２】
第７の態様のある実施形態では、硬化剤は、シアノアクリレートを含む。
【００８３】
本明細書に記載される問題のいずれかを認識して、第８の態様では、本実施形態のうちのいくつかは、ホストにおける分析物の濃度を測定するためのセンサデバイスを含む。センサデバイスは、インサータを使用することなくホストに埋め込まれるように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサ本体は、刺激に応答して、少なくとも１つの材料特性を変化させる、刺激応答性材料を含む。
【００８４】
第８の態様のある実施形態では、少なくとも１つの材料特性は、硬度、形状、透過性、相対的親水性、弾性係数、またはポリマー配向の高次構造のうちの少なくとも１つである。
【００８５】
第８の態様のある実施形態では、センサ本体は、体外では硬性であり、体内では軟性である。
【００８６】
第８の態様のある実施形態では、少なくとも１つの材料特性の変化を誘発する刺激は、温度、水和、放射線、電気刺激、または磁界のうちの少なくとも１つである。
【００８７】
第８の態様のある実施形態では、センサ本体はポリマーである。
【００８８】
第８の態様のある実施形態では、センサ本体は、ポリウレタン、ポリエステル、ポリアミド、ポリアクリレート、もしくはポリエーテル、またはこれらのコポリマーである。
【００８９】
第８の態様のある実施形態では、刺激応答性材料は、形状記憶金属である。
【００９０】
第８の態様のある実施形態では、形状記憶金属は、銅−アルミニウム−ニッケル（Ｃｕ−Ａｌ−Ｎｉ）、ニッケル−チタン（ＮｉＴｉ）、鉄−マンガン−シリコン（Ｆｅ−Ｍｎ−Ｓｉ）、または銅−亜鉛−アルミニウム（Ｃｕ−Ｚｎ−Ａｌ）である。
【００９１】
第８の態様のある実施形態では、センサ本体は、ホストの皮膚への挿入前に第１の形状を画定する。
【００９２】
第８の態様のある実施形態では、センサ本体は、記憶された形状を画定し、センサ本体は、ホストの皮膚への挿入後に記憶された形状に戻る。
【００９３】
第８の態様のある実施形態では、第１の形状は曲線上または直線状であり、記憶された形状は曲線状または直線状である。
【００９４】
第８の態様のある実施形態では、センサ本体が記憶された形状に戻るとき、蓄積されたバネエネルギーがセンサ本体から放出される。
【００９５】
第８の態様のある実施形態では、放出されたバネエネルギーにより、ホストの皮膚への刺入を促進する、ホイッピング動作を生み出す。
【００９６】
本実施形態の別の態様は、分析物センサの膜を形成するために使用される材料は軟質であることが多く、したがって、センサが皮膚及び／または組織を前進するときに離層する（すなわち、剥がれる、及びときには剥離する）傾向にあるという認識を含む。この問題は、センサがまず膜でコーティングされた後に、先端部が鋭利化されるプロセスによって形成されるセンサで特に深刻である。このプロセスは、センサ本体を露出させ、センサ本体の先端部に、側面を包囲する薄い膜のコーティングを残す。本実施形態のうちのいくつかは、膜を適用した後に、先端部を損傷することなく先端部を形成し、同時に先端部の完全性を維持する方法を含む、この問題に対する解決策を提供する。
【００９７】
前述の問題を認識して、第９の態様では、本実施形態のうちのいくつかは、インサータを使用することなくホストに埋め込むように構成されるセンサデバイスを作製する方法を含む。本方法は、センサ本体、少なくとも１つの電極、及び少なくとも１つの電極の少なくとも一部分を被覆する膜を含むセンサユニットに、刺入先端部を形成することを含む。膜は、センサユニットに刺入先端部を形成する前にセンサユニットに適用される。
【００９８】
第９の態様のある実施形態では、本方法は、センサユニットに膜を適用することをさらに含む。
【００９９】
第９の態様のある実施形態では、刺入先端部を形成することは、膜でコーティングされたワイヤの外周に環状チャネルを形成することを含む。
【０１００】
第９の態様のある実施形態では、環状チャネルは、膜を通って部分的にワイヤ内に延在する。
【０１０１】
第９の態様のある実施形態では、本方法は、コーティングされたワイヤに張力を適用することをさらに含む。
【０１０２】
第９の態様のある実施形態では、張力は、環状チャネルに近接するワイヤに歪みを誘発し、ワイヤのネッキング及び破断を引き起こす。
【０１０３】
第９の態様のある実施形態では、ネッキングにより、センサ本体に刺入先端部が形成される。
【０１０４】
第９の態様のある実施形態では、本方法は、刺入先端部を保護外層で被覆することをさらに含む。
【０１０５】
第９の態様のある実施形態では、刺入先端部を形成することは、ワイヤストックから膜コーティングの部分を選択的に除去することを含む。
【０１０６】
第９の態様のある実施形態では、ワイヤストックは、リールに巻かれている。
【０１０７】
第９の態様のある実施形態では、本方法は、ワイヤストックを間隔を空けた位置で切り離して、複数の膜コーティングセンサワイヤを形成することをさらに含む。
【０１０８】
第９の態様のある実施形態では、刺入先端部を形成することは、センサ本体の遠位端表面を露出させることを含む。
【０１０９】
第９の態様のある実施形態では、本方法は、センサ本体の遠位端にコーティングを適用することをさらに含む。
【０１１０】
第９の態様のある実施形態では、コーティングは、センサ本体の露出した遠位端表面を非電気活性にする。
【０１１１】
第９の態様のある実施形態では、刺入先端部を形成することは、膜コーティングセンサワイヤの遠位端に末端キャップを適用することを含む。
【０１１２】
第９の態様のある実施形態では、末端キャップは、刺入先端部を含む。
【０１１３】
第９の態様のある実施形態では、刺入先端部を形成することは、複数の膜の層をセンサ本体に適用することを含む。
【０１１４】
第９の態様のある実施形態では、刺入先端部を形成することは、センサ本体の遠位端において複数の膜層の上に剛性コーティングを適用することをさらに含む。
【０１１５】
第９の態様のある実施形態では、刺入先端部を形成することは、剛性コーティングを成形して、刺入先端部をもたらすことをさらに含む。
【０１１６】
第９の態様のある実施形態では、本方法は、センサ本体に膜を適用することをさらに含む。
【０１１７】
第９の態様のある実施形態では、本方法は、センサ本体の遠位端に刺入先端部を適用することをさらに含む。
【０１１８】
第９の態様のある実施形態では、刺入先端部は、機械的圧接、圧入、溶接、収縮チューブ、または加熱によってセンサ本体の遠位端に固定される。
【０１１９】
第９の態様のある実施形態では、本方法は、センサ本体の周りに後退式導入シースを適用することをさらに含む。
【０１２０】
第９の態様のある実施形態では、刺入先端部を形成することは、膜上のセンサ本体の遠位端に刺入先端部を適用することを含む。
【０１２１】
第９の態様のある実施形態では、刺入先端部は、生分解性及び／または生体吸収性の材料を含む。
【０１２２】
第９の態様のある実施形態では、刺入先端部材料は、ポリビニルピロリドン（ＰＶＰ）、ポリビニルアルコール（ＰＶＡ）、またはマルトースを含む。
【０１２３】
第９の態様のある実施形態では、膜上のセンサ本体の遠位端に刺入先端部を適用することは、鋳型を用いてセンサ本体の遠位端かつ膜の上に、刺入先端部を鋳造することを含む。
【０１２４】
第９の態様のある実施形態では、膜の上でセンサ本体の遠位端に刺入先端部を適用することは、射出成形またはインサート成形することを含む。
【０１２５】
第９の態様のある実施形態では、膜上でセンサ本体の遠位端に刺入先端部を適用することは、センサ本体の遠位端を開放した刺入先端部の近位端に挿入することを含む。
【０１２６】
第９の態様のある実施形態では、本方法は、刺入先端部の近位端を圧接することをさらに含む。
【０１２７】
第９の態様のある実施形態では、膜上のセンサ本体の遠位端に刺入先端部を適用することは、センサ本体の遠位端かつ膜の上に、刺入先端部を重ね成形することを含む。
【０１２８】
本実施形態の別の態様は、膜を鋭利なセンサ先端部に適用することにより課題を呈するという認識を含む。例えば、鋭利な先端部は、特に、センサ挿入プロセス中にセンサが摩擦力に供されるときに、膜を破る、及び／または膜の離層を引き起こす可能性がある。また、膜を鋭利なセンサ先端部に適用することにより、先端部が鈍化し、先端部が、センサの直接押圧挿入にあまり有効でないものとなる可能性がある。本実施形態のうちのいくつかは、先端部を損傷することなく鋭利な先端部に膜を適用し、同時に先端部の完全性を維持する方法を含む、これらの問題に対する解決策を提供する。
【０１２９】
前述の問題を認識して、第１０の態様では、本実施形態のうちのいくつかは、インサータを使用することなくホストに埋め込むように構成されるセンサデバイスを作製する方法を含む。本方法は、センサ本体、少なくとも１つの電極、及び少なくとも１つの電極の少なくとも一部分を被覆する膜を含むセンサユニットに、刺入先端部を形成することを含む。刺入先端部は、膜をセンサユニットに適用する前にセンサユニット上に形成される。
【０１３０】
第１０の態様のある実施形態では、刺入先端部を形成することは、センサ本体を膜溶液中に浸漬して、センサ本体上に膜を形成することを含む。
【０１３１】
第１０の態様のある実施形態では、刺入先端部を形成することは、膜溶液が乾燥した後に、センサ本体の遠位端の膜の一部分を除去して、センサ本体の遠位端を露出させることをさらに含む。
【０１３２】
第１０の態様のある実施形態では、センサ本体の遠位端において膜の一部分を除去することは、レーザアブレーション、電解研磨、ビーズブラスト、ドライアイスブラスト、または焼成を含む。
【０１３３】
第１０の態様のある実施形態では、本方法は、センサ本体の遠位端に保護層を適用することをさらに含む。
【０１３４】
第１０の態様のある実施形態では、刺入先端部を形成することは、膜溶液が乾燥する前に、センサ本体の遠位端で膜溶液の一部分を除去することを含む。
【０１３５】
第１０の態様のある実施形態では、膜溶液の一部分を除去することは、センサ本体の遠位端を拭い取るか、または拭き取ることを含む。
【０１３６】
第１０の態様のある実施形態では、本方法は、センサ本体及び刺入先端部に膜を適用することをさらに含む。
【０１３７】
第１０の態様のある実施形態では、本方法は、刺入先端部にコーティングを適用することをさらに含む。
【０１３８】
第１０の態様のある実施形態では、本方法は、センサ本体の周りに後退式導入シースを適用することをさらに含む。
【０１３９】
第１０の態様のある実施形態では、導入シースの外径は、刺入先端部の近位端においてその直径と実質的に同じか、またはそれよりも小さい。
【０１４０】
第１０の態様のある実施形態では、センサ本体は、コア及び外層を含む。
【０１４１】
第１０の態様のある実施形態では、膜は、外層の上に適用されるが、コアの上には適用されない。
【０１４２】
第１０の態様のある実施形態では、コア及び外層は、異なる材料を含む。
【０１４３】
第１０の態様のある実施形態では、コアは、膜を弾く材料を含む。
【０１４４】
第１０の態様のある実施形態では、コアの材料は、低い表面エネルギーを有する。
【０１４５】
第１０の態様のある実施形態では、コアの材料は、非湿潤性である。
【０１４６】
第１０の態様のある実施形態では、刺入先端部を形成することは、電気化学的研削を含む。
【０１４７】
第１０の態様のある実施形態では、膜は、複数の層を備える。
【０１４８】
第１０の態様のある実施形態では、各層の厚さは、約０．５ミクロン〜約１０ミクロンの範囲内である。
【０１４９】
第１０の態様のある実施形態では、層のうちの少なくとも１つの厚さは、層のうちの少なくとも別のものの厚さよりも薄い。
【０１５０】
第１０の態様のある実施形態では、本方法は、センサ本体及び刺入先端部に膜を適用することをさらに含む。
【０１５１】
第１０の態様のある実施形態では、本方法は、刺入先端部から膜を除去するが、センサ本体からは除去しないこと含む。
【０１５２】
第１０の態様のある実施形態では、刺入先端部から膜を除去することは、化学的エッチング、レーザアブレーション、または機械的切削を含む。
【０１５３】
第１０の態様のある実施形態では、本方法は、膜溶液中に浸漬することによってセンサ本体及び刺入先端部に膜を適用することをさらに含む。
【０１５４】
第１０の態様のある実施形態では、本方法は、刺入先端部を溶媒中に浸漬して、膜を溶解させ、刺入先端部から膜を実質的に除去することを含む。
【０１５５】
第１０の態様のある実施形態では、本方法は、膜が刺入先端部に接着することを防ぐ剥離剤中に刺入先端部を浸漬することをさらに含む。
【０１５６】
第１０の態様のある実施形態では、刺入先端部を形成することは、犠牲材料で刺入先端部をコーティングすることを含む。
【０１５７】
第１０の態様のある実施形態では、本方法は、センサ本体及び刺入先端部に膜を適用することをさらに含む。
【０１５８】
第１０の態様のある実施形態では、本方法は、犠牲層を崩壊させ、刺入先端部から膜を除去するように、刺入先端部を処理することを含む。
【０１５９】
第１０の態様のある実施形態では、犠牲材料は、光感受性、熱感受性、または可溶性であり、刺入先端部を処理することは、光を適用すること、熱を適用すること、または溶媒を適用することを含む。
【０１６０】
第１０の態様のある実施形態では、本方法は、刺入先端部を下向きにして刺入先端部を膜溶液に浸漬し、その後、溶液が乾燥する前に、刺入先端部が上向きとなるようにセンサユニットを逆さまにすることによって、刺入先端部に膜を適用することをさらに含む。
【０１６１】
第１０の態様のある実施形態では、本方法は、刺入先端部を上向きにして刺入先端部を膜溶液に浸漬し、結果としてセンサ本体が部分的にのみ膜溶液に浸かり、膜溶液が決して刺入先端部に接触しないようにすることによって、センサ本体に膜を適用することをさらに含む。
【０１６２】
第１０の態様のある実施形態では、本方法は、刺入先端部のすぐ近位のセンサ本体から環状の材料帯を除去して環状チャネルを形成することをさらに含み、ここで、チャネルの遠位端により、縁部が画定される。
【０１６３】
第１０の態様のある実施形態では、本方法は、センサ本体及び刺入先端部を膜溶液に浸漬することをさらに含む。
【０１６４】
第１０の態様のある実施形態では、縁部が膜溶液の液体メニスカスの解消をもたらし、それによって刺入先端部は膜で被覆されないまま残る。
【０１６５】
第１０の態様のある実施形態では、センサ本体は、コア及び外層を含む。
【０１６６】
第１０の態様のある実施形態では、本方法は、外層の第１の部分及び外層の第２の部分を除去して、コアを露出させることをさらに含む。
【０１６７】
第１０の態様のある実施形態では、外層の第１の部分は、刺入先端部に隣接して位置し、外層の第２の部分は、刺入先端部の近位に位置する。
【０１６８】
第１０の態様のある実施形態では、本方法は、コアの一部分を除去して刺入先端部を形成することをさらに含む。
【０１６９】
第１０の態様のある実施形態では、本方法は、刺入先端部にキャップを取り付けることをさらに含む。
【０１７０】
第１０の態様のある実施形態では、取り付けられたキャップは、鋭利な遠位端を含む。
【０１７１】
第１０の態様のある実施形態では、取り付けられたキャップは、センサ本体がホストの皮膚及び／または組織に挿入された後にキャップがホストの体内に吸収されるように、吸収性材料を含む。
【０１７２】
第１０の態様のある実施形態では、センサ本体は、外側コアに埋め込まれた平面可撓性プリント回路基板（ＰＣＢ）を含む。
【０１７３】
第１０の態様のある実施形態では、本方法は、刺入先端部の近位の外層コアの一画を除去して窓を形成することをさらに含む。
【０１７４】
第１０の態様のある実施形態では、外側コアの一画を除去することは、レーザアブレーションを含む。
【０１７５】
第１０の態様のある実施形態では、窓の領域内のＰＣＢの外表面は、レーザアブレーションに耐性の白金層を含む。
【０１７６】
第１０の態様のある実施形態では、本方法は、センサ本体を膜溶液に浸漬して、窓の内側に膜を形成することをさらに含む。
【０１７７】
第１０の態様のある実施形態では、センサ本体は、薄く平坦な微小電気機械システム（ＭＥＭＳ）基材を含む。
【０１７８】
第１０の態様のある実施形態では、基材は、刺入先端部を含む。
【０１７９】
第１０の態様のある実施形態では、本方法は、基材上に膜を形成することをさらに含む。
【０１８０】
本実施形態の別の態様は、センサ上に鋭利な遠位先端部を形成することが、膜表面の汚染及び／または膜の損傷といった、膜が適正に機能できなくなるような課題を呈するという認識を含む。膜の汚染は、拡散等、膜の特性を変化させ得る。例えば、汚染により、膜の透過性特性（例えば、選択透過性）が低減し得る。膜への損傷もまた、センサの機能性に影響を及ぼし得る。例えば、膜の除去が、遠位先端部を越えて電極を形成する電気活性表面を被覆することが意図される部分にまで及ぶと、センサの拡散特性が実質的に改変され、制御不能となるため、センサは欠陥品となり得る。一方で、過剰な膜材料がセンサの遠位先端部に存在する場合、センサの遠位先端部は鈍くなり得、皮膚及び／または組織への刺入にあまり効果的でないものとなる。本実施形態のうちのいくつかは、先端部から材料を除去することによって鋭利な遠位先端部を形成する方法、及び先端部に材料を付加することにより鋭利な遠位先端部を形成する方法を含む、これらの問題に対する解決策を含む。本実施形態の別の態様は、刺入先端部が、センサワイヤを個々のセンサに切り離すステップ中にセンサ上に形成され得るという認識を含む。例えば、切り離しプロセスには、限定することなく、機械的プレス、ホットプレス、レーザアブレーション、押出、切削等が含まれ得る。切り離し中に刺入先端部を形成することにより、鋭利な遠位先端部を、膜をセンサに適用する前に形成することができ、それによって、後続の先端部形成ステップによる繊細な膜の二次汚染及び損傷を回避することができる。
【０１８１】
前述の問題を認識して、第１１の態様では、本実施形態のうちのいくつかは、インサータを使用することなくホストに埋め込むように構成されるセンサデバイスを作製する方法を含む。本方法は、センサ本体、少なくとも１つの電極、及び少なくとも１つの電極の少なくとも一部分を被覆する膜を含むセンサユニットに、刺入先端部を形成することを含む。刺入先端部を形成することは、センサ本体から材料を除去することを含む。
【０１８２】
第１１の態様のある実施形態では、刺入先端部を形成することは、ワイヤストックをシアノアクリレート蒸気に曝露しながら、ワイヤストックを切り離すことを含む。
【０１８３】
第１１の態様のある実施形態では、本方法は、リール・ツー・リールの連続した処理を含む。
【０１８４】
第１１の態様のある実施形態では、刺入先端部を形成することは、センサ本体の遠位端を浸漬することを含む。
【０１８５】
第１１の態様のある実施形態では、センサ本体の遠位端を浸漬することは、エッチング溶液または研磨溶液に浸漬することを含む。
【０１８６】
第１１の態様のある実施形態では、刺入先端部を形成することは、電解研磨を含む。
【０１８７】
第１１の態様のある実施形態では、刺入先端部を形成することは、センサ本体が研磨表面に対して角度Θを形成する状態で、センサ本体を研磨表面に対して移動させることを含む。
【０１８８】
第１１の態様のある実施形態では、Θは、０°〜９０°である。
【０１８９】
第１１の態様のある実施形態では、Θは、約５°、または約１０°、または約１５°である。
【０１９０】
第１１の態様のある実施形態では、センサ本体は、研磨表面に対して移動される支持固定具内に保持される。
【０１９１】
第１１の態様のある実施形態では、センサ本体は、内側コア及び外層を含み、刺入先端部を形成することは、センサ本体の遠位端において外層の一部分を除去して、内側コアの一部分を露出させることを含む。
【０１９２】
第１１の態様のある実施形態では、外層の一部分を除去することは、機械的切削、レーザアブレーション、ビーズブラスト、研磨、または化学的エッチングを含む。
【０１９３】
第１１の態様のある実施形態では、刺入先端部を形成することは、センサワイヤの長手方向軸に沿ってセンサに張力を印加することを含む。
【０１９４】
第１１の態様のある実施形態では、印加された張力により、センサワイヤが中間領域でネッキングすることをもたらす。
【０１９５】
第１１の態様のある実施形態では、印加された張力はさらに、センサワイヤが中間領域で破断することをもたらす。
【０１９６】
第１１の態様のある実施形態では、本方法は、センサワイヤの中間部分に熱を印加することをさらに含み、ここで、この熱は、張力と同時に印加される。
【０１９７】
第１１の態様のある実施形態では、熱は、抵抗加熱要素を用いて印加される。
【０１９８】
第１１の態様のある実施形態では、刺入先端部を形成することは、対向する切断刃の間にセンサワイヤを設置し、センサワイヤを少なくとも２つに切り離すことを含む。
【０１９９】
第１１の態様のある実施形態では、切断刃のうちの１つが収束する表面によって画定される切断縁部により、３０度〜１４５度の角度が画定される。
【０２００】
第１１の態様のある実施形態では、この角度は、直角ではない。
【０２０１】
さらに、前述の問題を認識して、第１２の態様では、本実施形態のうちのいくつかは、インサータを使用することなくホストに埋め込むように構成されるセンサデバイスを作製する方法を含む。本方法は、センサ本体、少なくとも１つの電極、及び少なくとも１つの電極の少なくとも一部分を被覆する膜を含むセンサユニットに、刺入先端部を形成することを含む。刺入先端部を形成することは、センサ本体に材料を付加することを含む。
【０２０２】
第１２の態様のある実施形態では、刺入先端部を形成することは、センサ本体をポリマー材料の槽に浸漬することを含む。
【０２０３】
第１２の態様のある実施形態では、本方法は、センサ本体を槽から取り出し、ポリマー材料全体に電圧を印加し、それによってポリマー材料を伸長させて刺入先端部を形成することをさらに含む。
【０２０４】
第１２の態様のある実施形態では、本方法は、電界紡糸を含む。
【０２０５】
第１２の態様のある実施形態では、刺入先端部を形成することは、センサ本体を槽に浸漬させ、センサ本体を槽から引き抜き、センサ本体を引き抜くときに、センサ本体上の浸漬コーティングが硬化して刺入先端部が形成されることを含む。
【０２０６】
本明細書に記載される問題のいずれかを認識して、第１３の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、導電性コアワイヤを備える。センサデバイスは、コアワイヤの少なくとも一部分の上に配置される非導電性ジャケットをさらに備える。センサデバイスは、ジャケットの上に配置され、コアワイヤと電気接続する、少なくとも１つの電極をさらに備える。少なくとも１つの電極は、印刷によって形成される。
【０２０７】
第１３の態様のある実施形態では、少なくとも１つの電極は、第１の電極、第２の電極、及び第３の電極を含み、これらの電極は、センサデバイスに沿って軸方向に間隔が空いている。
【０２０８】
第１３の態様のある実施形態では、第２の電極は、ジャケットの外周全体に延在しない。
【０２０９】
第１３の態様のある実施形態では、センサデバイスは、第１の電極と第３の電極との間にジャケットに沿って延在する導電性トレースをさらに備える。
【０２１０】
第１３の態様のある実施形態では、センサデバイスは、導電性トレースの少なくとも一部分に重なった絶縁材料をさらに備える。
【０２１１】
第１３の態様のある実施形態では、センサデバイスの遠位端は、刺入先端部を含む。
【０２１２】
第１３の態様のある実施形態では、センサデバイスの遠位端は、非電気活性である。
【０２１３】
本明細書に記載される問題のいずれかを認識して、第１４の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、非導電性コアワイヤを備える。センサデバイスは、コアワイヤの上に配置される少なくとも１つの電極をさらに備える。センサデバイスは、コアワイヤに沿って少なくとも１つの電極から延在する少なくとも１つの導電性トレースをさらに備える。少なくとも１つの電極は、印刷によって形成される。
【０２１４】
第１４の態様のある実施形態では、少なくとも１つの電極は、第１の電極、第２の電極、及び第３の電極を含み、これらの電極は、センサデバイスに沿って軸方向に間隔が空いている。
【０２１５】
第１４の態様のある実施形態では、第１及び第２の電極は、コアワイヤの外周全体に延在しない。
【０２１６】
第１４の態様のある実施形態では、センサデバイスの遠位端は、刺入先端部を含む。
【０２１７】
第１４の態様ある実施形態では、少なくとも１つの電極は、白金ペーストを用いてコアワイヤ上に印刷される。
【０２１８】
本明細書に記載される問題のいずれかを認識して、第１５の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、円筒形に丸められる平板として成形されるセンサ本体を備える。
【０２１９】
第１５の態様のある実施形態では、円筒は、平板の対向する縁部が収束する重なり領域を含む。
【０２２０】
第１５の態様のある実施形態では、対向する縁部の重なっている部分は、互いに固定されている。
【０２２１】
第１５の態様のある実施形態では、重なっている部分は、接着剤で互いに固定されている。
【０２２２】
第１５の態様のある実施形態では、接着剤は、センサデバイスがホストに埋め込まれた後に溶解する。
【０２２３】
第１５の態様のある実施形態では、接着剤が溶解すると、丸まったセンサ本体が広がり、再びその平面形状となる。
【０２２４】
本明細書に記載される問題のいずれかを認識して、第１６の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、センサデバイスの挿入中に膜の少なくとも一部分を被覆するように構成される、後退式導入シースをさらに備える。
【０２２５】
第１６の態様のある実施形態では、組織刺入要素の近位端は、センサ本体の直径よりも大きな直径を有する。
【０２２６】
第１６の態様のある実施形態では、導入シースの直径は、組織刺入要素の近位端の直径と実質的に同じか、またはそれよりも小さい。
【０２２７】
本明細書に記載される問題のいずれかを認識して、第１７の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサ本体は、センサ本体の長さに沿って延在する少なくとも１つのトラフを画定する断面を含む。
【０２２８】
第１７の態様のある実施形態では、センサ本体の断面により、４つの等間隔のトラフを有する正符号形状が画定される。
【０２２９】
第１７の態様のある実施形態では、センサ本体の断面により、単一のトラフを有する円が画定される。
【０２３０】
第１７の態様のある実施形態では、少なくとも１つの電極は、少なくとも１つのトラフに位置する。
【０２３１】
第１７の態様のある実施形態では、少なくとも１つの電極及び少なくとも１つの膜は、センサ本体の外周囲とぴったり重なるか、または外周囲の下に陥凹する。
【０２３２】
本明細書に記載される問題のいずれかを認識して、第１８の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、センサデバイスの挿入中に膜の少なくとも一部分を被覆するように構成される、後退式導入シースをさらに備える。
【０２３３】
本明細書に記載される問題のいずれかを認識して、第１９の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、センサ本体を通じて延在する少なくとも１つの貫通穴をさらに備える。
【０２３４】
第１９の態様のある実施形態では、膜は、少なくとも１つの貫通穴内に配置される。
【０２３５】
本明細書に記載される問題のいずれかを認識して、第２０の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサ本体は、複数のくぼみを含む。
【０２３６】
第２０の態様のある実施形態では、膜は、くぼみのうちの少なくとも１つの中に配置される。
【０２３７】
第２０の態様のある実施形態では、膜は、センサ本体の外表面とぴったり重なるか、またはセンサ本体の外表面の下に陥凹する。
【０２３８】
第２０の態様のある実施形態では、くぼみは、無作為に配列される。
【０２３９】
本明細書に記載される問題のいずれかを認識して、第２１の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、センサ本体に、軸方向に間隔が空いた複数のくぼみをさらに備える。
【０２４０】
第２１の態様のある実施形態では、膜は、くぼみ内に配置される。
【０２４１】
第２１の態様のある実施形態では、センサデバイスは、１つ以上の選択された分析物に透過性である材料の外層をさらに含む。
【０２４２】
本明細書に記載される問題のいずれかを認識して、第２２の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、センサ本体及び膜の上に配置される、保護外層をさらに含む。
【０２４３】
第２２の態様のある実施形態では、保護外層は、ホストの皮膚及び／または組織に挿入すると溶解する材料を含む。
【０２４４】
第２２の態様のある実施形態では、保護外層の材料は、ポリビニル−ピロリドン（ＰＶＰ）を含む。
【０２４５】
本明細書に記載される問題のいずれかを認識して、第２３の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサデバイスは、剛性材料でできた外層をさらに備える。
【０２４６】
第２３の態様のある実施形態では、外層は、実質的にセンサ本体の全てを被覆するが、少なくとも１つの窓を含む。
【０２４７】
第２３の態様のある実施形態では、窓は、少なくとも１つの電極がホストの組織及び／または体液との接触に曝されるように、少なくとも１つの電極の上に位置付けられる。
【０２４８】
第２３の態様のある実施形態では、外層は、シアノアクリレートを含む。
【０２４９】
本明細書に記載される問題のいずれかを認識して、第２４の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。センサ本体は、導電性ワイヤ及びワイヤの上に配置される外側コーティングを備え、外側コーティングは、ワイヤよりも高い厚さを有する。
【０２５０】
第２４の態様のある実施形態では、外側コーティングは、少なくとも１つの電極の位置に対応する少なくとも１つの窓を含む。
【０２５１】
第２４の態様のある実施形態では、膜は、窓内に配置される。
【０２５２】
第２４の態様のある実施形態では、膜は、外側コーティングの外表面よりも下に陥凹される。
【０２５３】
第２４の態様のある実施形態では、センサデバイスは、高透過性の外層をさらに備える。
【０２５４】
第２４の態様のある実施形態では、外層は、ヒドロゲルを含む。
【０２５５】
本明細書に記載される問題のいずれかを認識して、第２５の態様では、本実施形態のうちのいくつかは、ホストにおける分析物の濃度を測定するためのセンサデバイスを含み、このセンサデバイスは、インサータを使用することなくホストに埋め込むように構成される。センサデバイスは、センサ本体、少なくとも１つの電極、及び少なくとも１つの電極の少なくとも一部分を被覆する膜を備える、センサユニットを備える。センサデバイスは、センサユニットの遠位端にあり、ホストの皮膚及び／または組織に刺入するように構成される、刺入要素をさらに備える。センサデバイスは、センサ先端部から離れており、ホストの皮膚の外表面上でセンサデバイスを支持するように構成される、載置ユニットをさらに備える。膜は、印刷によってセンサ本体に適用される。
【０２５６】
第２５の態様のある実施形態では、センサ本体は、ポリテトラフルオロエチレン（ＰＴＦＥ）を含む。
【０２５７】
これより、種々の本実施形態を、有利な特徴に注目することに重点を置いて詳細に説明する。これらの実施形態は、例示目的のためだけの添付の図面に示される、連続的分析物監視のための新規かつ進歩性のあるセンサ及び関連する方法を示す。図面は、必ずしも縮尺通りに描かれておらず、それらは、本実施形態を図示するためだけに提供される。これらの図面には、以下の図が含まれ、同様の番号は同様の部分を示す。
【図面の簡単な説明】
【０２５８】
【図１】本実施形態による連続的分析物センサの概略断面図である。
【図２Ａ】本実施形態による連続的分析物センサの組織刺入先端部の例示的な形状の概略側面図である。
【図２Ｂ】本実施形態による連続的分析物センサの組織刺入先端部の例示的な形状の概略側面図である。
【図２Ｃ】本実施形態による連続的分析物センサの組織刺入先端部の例示的な形状の概略側面図である。
【図２Ｄ】本実施形態による連続的分析物センサの組織刺入先端部の例示的な形状の概略側面図である。
【図２Ｅ】本実施形態による連続的分析物センサの組織刺入先端部の例示的な形状の概略側面図である。
【図２Ｆ】本実施形態による連続的分析物センサの組織刺入先端部の例示的な形状の概略側面図である。
【図２Ｇ】本実施形態による連続的分析物センサの組織刺入先端部の例示的な形状の概略側面図である。
【図２Ｈ】本実施形態による連続的分析物センサの組織刺入先端部の例示的な形状の概略側面図である。
【図３Ａ】本実施形態によるさらなる連続的分析物センサの上面斜視図である。
【図３Ｂ】本実施形態によるさらなる連続的分析物センサの上面斜視図である。
【図３Ｃ】本実施形態によるさらなる連続的分析物センサの上面斜視図である。
【図３Ｄ】本実施形態によるさらなる連続的分析物センサの上面斜視図である。
【図４】本実施形態による連続的分析物センサである。
【図５】本実施形態による、連続的分析物センサをホストに挿入するためのシステムの前面斜視図である。
【図６】本実施形態による、連続的分析物センサをホストに挿入するための別のシステムの前面斜視図である。
【図７】本実施形態による連続的分析物センサである。
【図８】本実施形態による連続的分析物センサである。
【図９】本実施形態による連続的分析物センサである。
【図１０】本実施形態による連続的分析物センサである。
【図１１】本実施形態による、直接押圧挿入のために構成されるセンサの前面立面図である。
【図１２】図１１のセンサの後面立面図である。
【図１３】本実施形態による、直接押圧挿入のために構成される別のセンサの概略前面立面図である。
【図１４】図１３のセンサの概略後面立面図である。
【図１５】本実施形態による、直接押圧挿入のために構成される別のセンサの概略側面斜視図である。
【図１６】本実施形態による、直接押圧挿入のために構成される別のセンサの概略端面斜視図である。
【図１７】センサが円筒形に丸められた後の図１６のセンサの概略端面斜視図である。
【図１８】本実施形態による、直接押圧挿入のために構成されるセンサの概略側面立面図である。
【図１９】後退式導入シースが後退した後の図１８のセンサの概略側面立面図である。
【図２０】本実施形態による、直接押圧挿入のために構成されるセンサの概略遠位端斜視図である。
【図２１】図２０のセンサの概略遠位端立面図である。
【図２２】本実施形態による、直接押圧挿入のために構成されるセンサの概略遠位端立面図である。
【図２３】本実施形態による、直接押圧挿入のために構成されるセンサの概略側面立面図である。
【図２４】本実施形態による、直接押圧挿入のために構成されるセンサの概略側面斜視図である。
【図２５】本実施形態による、直接押圧挿入のために構成されるセンサの概略側面立面図である。
【図２６】本実施形態による、直接押圧挿入のために構成されるセンサの概略側面断面図である。
【図２７】本実施形態による、直接押圧挿入のために構成されるセンサの概略側面立面図である。
【図２８】本実施形態による、直接押圧挿入のために構成されるセンサの概略側面立面図である。
【図２９】本実施形態による、直接押圧挿入のために構成されるセンサの概略側面立面図である。
【図３０】本実施形態による、直接押圧挿入のために構成されるセンサの概略側面立面図である。
【図３０Ａ】本実施形態による、直接押圧挿入のために構成されるセンサを作製するためのプロセスの概略側面立面図である。
【図３０Ｂ】本実施形態による、直接押圧挿入のために構成されるセンサを作製するためのプロセスの概略側面立面図である。
【図３１】本実施形態による、直接押圧挿入のために構成されるセンサを作製するための別のプロセスの概略側面立面図である。
【図３２】本実施形態による、直接押圧挿入のために構成されるセンサを作製するための別のプロセスの概略側面立面図である。
【図３３】本実施形態による、直接押圧挿入のために構成されるセンサを作製するための別のプロセスの概略側面立面図である。
【図３４】本実施形態による、直接押圧挿入のために構成されるセンサを作製するための別のプロセスの概略側面立面図である。
【図３５】本実施形態による、直接押圧挿入のために構成されるセンサを作製するための別のプロセスの概略断面側面立面図である。
【図３６】本実施形態による、直接押圧挿入のために構成されるセンサを作製するための別のプロセスの概略断面側面立面図である。
【図３７】本実施形態による、直接押圧挿入のために構成されるセンサを作製するための別のプロセスの概略断面側面立面図である。
【図３８】本実施形態による、直接押圧挿入のために構成されるセンサを作製するための別のプロセスの概略側面立面図である。
【図３９】本実施形態による、直接押圧挿入のために構成されるセンサを作製するための別のプロセスの概略側面立面図である。
【図４０】本実施形態による、直接押圧挿入のために構成されるセンサを作製するための別のプロセスの概略側面立面図である。
【図４１】本実施形態による、直接押圧挿入のために構成されるセンサを作製するための別のプロセスの概略側面立面図である。
【図４２】本実施形態による、直接押圧挿入のために構成されるセンサを作製するための別のプロセスの概略断面側面立面図である。
【図４３】本実施形態による、直接押圧挿入のために構成されるセンサを作製するための別のプロセスの概略断面側面立面図である。
【図４４】本実施形態による、直接押圧挿入のために構成されるセンサを作製するための別のプロセスの概略断面側面立面図である。
【図４５】本実施形態による、直接押圧挿入のために構成されるセンサを作製するための別のプロセスの概略断面側面立面図である。
【図４６】本実施形態による、直接押圧挿入のために構成されるセンサを作製するための別のプロセスの概略側面立面図である。
【図４７】本実施形態による、直接押圧挿入のために構成されるセンサを作製するための別のプロセスの概略側面立面図である。
【図４８】本実施形態による、直接押圧挿入のために構成されるセンサを作製するための別のプロセスの概略側面立面図である。
【図４９】本実施形態による、直接押圧挿入のために構成されるセンサを作製するための別のプロセスの概略側面立面図である。
【図５０】本実施形態による、直接押圧挿入のために構成されるセンサを作製するための別のプロセスの概略側面立面図である。
【図５１】本実施形態による、直接押圧挿入のために構成されるセンサを作製するための別のプロセスの概略側面立面図である。
【図５２】本実施形態による、直接押圧挿入のために構成されるセンサを作製するための別のプロセスの概略側面立面図である。
【図５２Ａ】本実施形態による、直接押圧挿入のために構成されるセンサを作製するための別のプロセスの概略断面側面立面図である。
【図５３】本実施形態による、直接押圧挿入のために構成されるセンサを作製するための別のプロセスの概略側面立面図である。
【図５４】本実施形態による、直接押圧挿入のために構成されるセンサを作製するための別のプロセスの概略側面立面図である。
【図５４Ａ】図５４の円５４Ａ−５４Ａによって示される図５４の部分の詳細な図である。
【図５５】本実施形態による、直接押圧挿入のために構成されるセンサを作製するための別のプロセスの概略側面立面図である。
【図５６】本実施形態による、直接押圧挿入のために構成されるセンサを作製するための別のプロセスの概略側面立面図である。
【図５７】本実施形態による、直接押圧挿入のために構成されるセンサを作製するための別のプロセスの概略側面立面図である。
【図５８】本実施形態による、直接押圧挿入のために構成されるセンサを作製するための別のプロセスの概略側面立面図である。
【図５９】本実施形態による、直接押圧挿入のために構成されるセンサを作製するための別のプロセスの概略側面立面図である。
【図６０】本実施形態による、直接押圧挿入のために構成されるセンサを作製するための別のプロセスの概略側面立面図である。
【図６１】本実施形態による、直接押圧挿入のために構成されるセンサを作製するための別のプロセスの概略側面立面図である。
【図６２】本実施形態による、直接押圧挿入のために構成されるセンサを作製するための別のプロセスの概略側面立面図である。
【図６３】本実施形態による、直接押圧挿入のために構成されるセンサを作製するための別のプロセスの概略側面立面図である。
【図６４】本実施形態による、直接押圧挿入のために構成されるセンサを作製するための別のプロセスの概略側面立面図である。
【図６５】本実施形態による、直接押圧挿入のために構成されるセンサを作製するための別のプロセスの概略側面立面図である。
【図６６】本実施形態による、直接押圧挿入のために構成されるセンサを作製するための別のプロセスの概略側面立面図である。
【図６７】本実施形態による、直接押圧挿入のために構成されるセンサを作製するための別のプロセスの概略側面立面図である。
【図６８】本実施形態による、直接押圧挿入のために構成されるセンサを作製するための別のプロセスの概略側面立面図である。
【図６９】本実施形態による、直接押圧挿入のために構成されるセンサを作製するための別のプロセスの概略側面立面図である。
【図７０】本実施形態による、直接押圧挿入のために構成されるセンサを作製するための別のプロセスの概略側面立面図である。
【図７１】本実施形態による、直接押圧挿入のために構成されるセンサを作製するための別のプロセスの概略側面立面図である。
【図７２】本実施形態による、直接押圧挿入のために構成されるセンサを作製するための別のプロセスの概略側面立面図である。
【図７３】本実施形態による、直接押圧挿入のために構成されるセンサを作製するための別のプロセスの概略側面立面図である。
【図７４】本実施形態による、直接押圧挿入のために構成されるセンサを作製するための別のプロセスの概略側面立面図である。
【図７５】本実施形態による、直接押圧挿入のために構成されるセンサを作製するための別のプロセスの概略側面立面図である。
【図７６】本実施形態による、直接押圧挿入のために構成されるセンサを作製するための別のプロセスの概略側面立面図である。
【図７６Ａ】本実施形態による、直接押圧挿入のために構成されるセンサを作製するための別のプロセスの概略端面立面図である。
【図７６Ｂ】図７６Ａによる、直接押圧挿入のために構成されるセンサを作製するためのプロセスの断面概略端面図である。
【図７６Ｃ】図７６Ａによる、直接押圧挿入のために構成されるセンサを作製するためのプロセスの断面概略端面図である。
【図７６Ｄ】図７６Ａによる、直接押圧挿入のために構成されるセンサを作製するためのプロセスの断面概略端面図である。
【図７７】本実施形態による、直接押圧挿入のために構成されるセンサを作製するための別のプロセスの概略上面平面図である。
【図７８】図７７のプロセスの概略側面立面図である。
【図７９】本実施形態による、直接押圧挿入のために構成されるセンサを作製するための別のプロセスの概略側面立面図である。
【図８０】本実施形態による、直接押圧挿入のために構成されるセンサを作製するための別のプロセスの概略上面平面図である。
【図８１】本実施形態による、直接押圧挿入のために構成されるセンサを作製するための別のプロセスの概略上面平面図である。
【図８２】本実施形態による、直接押圧挿入のために構成されるセンサを作製するための別のプロセスの概略側面立面図である。
【図８３】本実施形態による、直接押圧挿入のために構成されるセンサを作製するための別のプロセスの概略側面立面図である。
【図８４】本実施形態による、直接押圧挿入のために構成されるセンサを作製するための別のプロセスの概略側面立面図である。
【図８５】本実施形態による、直接押圧挿入のために構成されるセンサを作製するための別のプロセスの概略側面立面図である。
【図８６】本実施形態による、直接押圧挿入のために構成されるセンサを作製するための別のプロセスの概略側面立面図である。
【発明を実施するための形態】
【０２５９】
以下の詳細な説明は、図面を参照して本実施形態を説明する。図面において、参照番号により、本実施形態の要素にラベル付けを行う。これらの参照番号は、対応する図面の特徴部の考察と関連して、下記で再現される。
【０２６０】
図面及びそれらの説明は、種々の構成要素のサイズ、形状、及び構成を示し得る。そのような描写及び説明は、制限すると解釈されるものではない。代替的なサイズ、形状、及び構成もまた、本実施形態の範囲内であることが企図される。さらに、図面及びそれらに関する記述は、本装置のある特定の構成要素が一体化して形成され、ある特定の他の構成要素が別個の部分として形成されることを示す。一体化して形成されるとして本明細書に示され、記載される構成要素が、代替的な実施形態では別個の部分として形成されることもある。さらに、別個の部分として形成されるとして本明細書に示され、記載される構成要素が、代替的な実施形態では一体化して形成されることもある。本明細書に使用されるとき、一体化という用語は、単一の統一された部分を説明する。
【０２６１】
概要
本明細書に記載される実施形態は、別個のアプリケータを使用せずに、すなわち、センサデバイスそのもの以外を用いることなく、経皮センサをホストに直接挿入するための種々の機序を提供する。ワイヤ、特に細いワイヤ状の幾何形状を有する経皮センサ（例えば、電極）の直接押圧挿入は、センサと関連する座屈の危険性のため、技術的に困難であり得る。センサの直接押圧挿入はまた、挿入プロセス中にセンサの上に配置された膜を損傷することに関連する課題も呈する。膜を保護しなければ、膜は、挿入プロセス中にセンサから剥がれ落ちるか、または機械的損傷を受け得る。センサの先端部に露出した金属（または他の導電性材料）を有さないようにすることも望ましく、これは、露出した金属が、電気活性であり得、バックグラウンドシグナル（ノイズ）を加える、及び／またはセンサの感度を変動させ得るためである。本明細書に記載される実施形態は、経皮センサの直接挿入のための構造的支持（例えば、カラム強度等の機械的／構造的特性の形態で）を提供することができ、挿入プロセス中の損傷から膜を保護することができる、小型センサデバイスを提供することによって、前述の課題を克服するように設計される。
【０２６２】
図１は、本実施形態による、ホストにおける分析物の濃度（例えば、グルコース濃度）を連続的に測定して、ホストの分析物の濃度を示すデータストリームを提供するように構成される経皮センサデバイス１００の一実施形態の概略側面図を図示する。図１に図示されるもの等のセンサは、画鋲に似ているため、「画鋲（ｔａｃｋ）」センサと呼ばれることもある。
【０２６３】
図１に図示される特定の実施形態において、センサデバイス１００は、ホストの皮膚１０４の下への挿入のために構成される体内部分１０２（センサユニットとも呼ばれる）と、センサ挿入後にホストの皮膚表面上に残るように構成される体外部分１０６とを備える。体内部分１０２は、ホストの皮膚１０４に刺入するように構成される組織刺入要素１０８と、センサ本体１１０とを備える。センサ本体１１０は、１つ以上の電極を含む支持部材１１２と、支持部材１１２の少なくとも一部分の上に配置される膜１１４とを備える。支持部材１１２は、センサ本体１１２と称されてもよく、これらの２つの用語は、本明細書において互換的に使用される。
【０２６４】
体外部分１０６は、中に埋め込まれるか分離可能に固定されるセンサ電子部品ユニット（示されない）を含み得るか、または代替として別個の電子機器ユニットに操作可能に接続されるように構成され得る、載置ユニット１１６を備える。センサデバイス１００及びその構成要素に関するさらなる詳細は、米国特許出願公開第２０１１／００７７４９０号に見出すことができ、この開示は、その全体が本明細書に組み込まれる。
【０２６５】
組織刺入要素
センサデバイス１００の組織刺入要素１０８は、ホストの皮膚１０４に刺入し、センサ本体１１０をホストの組織に挿入するための通路を開き、それを画定するように構成される。一部の実施形態では、組織刺入要素１０８は、支持部材１１２と一体化している場合がある。他の実施形態では、組織刺入要素１０８は、別個の構成要素であってもよい。そのような実施形態では、組織刺入要素１０８は、接着剤等を用いて支持部材１１２に固定され得る。あるいは、組織刺入要素１０８は、支持部材１１２及び／または膜１１４の平滑な遠位面に、単に当接していてもよい。そのような実施形態では、外側のスリーブまたはバンド（示されない）が、組織刺入要素１０８と支持部材１１２／膜１１４との接合点を包囲してもよい。
【０２６６】
皮膚は、一般に、表皮、真皮、及び皮下の層を含む、複数の層を含む。表皮は、その構造内に、最も外側の層であり通常約１０〜２０ミクロンの厚さである角質層と、表皮の最も深い層である基底層とを含む、いくつかの層を含む。表皮は、通常、血管を含まないが、真皮へ、またはそこからの拡散によって、代謝産物を交換する。理論に束縛されることを望むものではないが、基底層は、血管新生によって生存が支持されるため、基底層の間質液は十分にホストの分析物（例えば、グルコース）レベルを表すと考えられる。表皮の下には真皮があり、これは、約１ｍｍ〜約３ｍｍの厚さであり、血管、リンパ管、及び神経を含んでいる。皮下層は、真皮の下にあり、大部分が脂質から構成される。皮下層は、温度限界から身体を防護するように機能する。それはまた、結合組織及び少しの血管を含む。
【０２６７】
一部の実施形態では、センサデバイス１００の体内部分１０２は、センサ本体１１０の少なくとも一部分が基底層内に存在することを可能にするのに十分に長い長さを有し得る。これは、表皮が血管または神経末端をほとんど含んでいないため、一部の事例において望ましい場合がある。したがって、センサ挿入は比較的無痛であり得、ホストは挿入による出血または不快感をほとんど経験しない可能性がある。これらの実施形態のうちのいくつかにおいて、センサデバイス１００の体内部分１０２は、約０．１ｍｍ〜約１．５ｍｍ、または約０．２ｍｍ〜約０．５ｍｍの長さを有し得る。他の実施形態では、センサデバイス１００の体内部分１０２は、センサ本体１１０の少なくとも一部分が真皮層に存在することを可能にする長さを有し得る。これは、真皮が、皮下層と比較して良好に血管新生が起こり、したがって、測定に十分な分析物（例えば、グルコース）を提供することができ、食後に生じるもの等、ホストの分析物の濃度の変化と関連する測定の遅延を低減させることができるため、一部の事例において望ましい場合がある。外側の真皮（及び基底層も同様）付近の代謝的に活性な組織は、間質液と血液との急速な平衡化をもたらす。これらの実施形態のうちのいくつかにおいて、センサデバイスの体内部分１０２は、約１ｍｍ〜約７ｍｍ、または約２ｍｍ〜約６ｍｍの長さを有し得る。さらに他の実施形態では、センサデバイス１００の体内部分１０２は、センサ本体１１０の少なくとも一部分が皮下層に存在することを可能にする長さを有し得る。理論に束縛されることを望むものではないが、皮下層は温度限界から身体を防護するように機能するため、皮下層は、温度変動と関連する分析物濃度の読み取り値の変動を低減させ得ると考えられる。これらの実施形態のうちのいくつかにおいて、センサデバイスの体内部分１０２は、約３ｍｍ〜約１０ｍｍ、または約５ｍｍ〜約７ｍｍの長さを有し得る。
【０２６８】
組織刺入要素は、組織の外傷を最低限に抑え、皮膚への穿通に必要とされる力を減らすものを含む、任意の様々な幾何形状及び寸法を有し得る。例えば、一部の実施形態では、組織刺入要素は、図１に図示されるように、組織刺入要素の断面寸法（例えば、直径）が、先端部の遠位端において尖端１１８に向かって先細りとなり、それによって皮膚穿通を促進するように構成される鋭利化された先端部をもたらすように、実質的に円錐形状の遠位先端部を含んでもよい。図２Ｂに図示されるように、他の実施形態では、組織刺入要素の遠位先端部は、ベベル角度α、例えば、約５°〜約６６°、または約１０°〜約５５°、または約４０°〜約５０°の角度等で、斜角がつけられてもよい。さらなる実施形態において、先端部の１つ以上の表面は、図２Ｃ〜２Ｈ、及び３Ｄに図示されるように、センサデバイスが下方向に押されたときに皮膚穿通を促進することができるように、曲線状であってもよい。一部の実施形態では、曲線状の表面は、組織刺入要素に直線状の表面よりも大きな切断表面積を提供し、したがって、皮膚へのセンサユニットのより円滑かつより制御された挿入を提供するため、有利であり得る。さらに、曲線状の表面を有する組織刺入要素は、直線状の表面を有するものよりも、刺入を受ける組織に生じる外傷が少なくなり得る。
【０２６９】
センサデバイスの組織刺入要素は、ホストの皮膚を通じたセンサデバイスの体内部分の挿入の際に、無傷に留まり、実質的な座屈を防ぐことを可能にするように、適切な可撓性及び硬性ならびに十分なカラム強度を有するように設計される。金属、セラミック、半導体、有機物、ポリマー、複合材料、及びこれらの組み合わせまたは混合物を含むがこれらに限定されない、これらの特性を有する任意の様々な生体適合性材料を使用して、組織刺入要素を形成することができる。使用することができる金属には、例えば、ステンレス鋼（例えば、１８−８外科手術用ステンレス鋼）、ニチノール、金、銀、ニッケル、チタン、タンタル、パラジウム、金、及びこれらの組み合わせまたは合金が挙げられる。使用することができるポリマーには、例えば、ポリカーボネート、ポリメタクリル酸、エチレン酢酸ビニル、ポリテトラフルオロエチレン（ＴＥＦＬＯＮ（登録商標））、及びポリエステルが挙げられる。一部の実施形態では、組織刺入要素は、基準電極として機能し、例えば、銀含有材料等の導電性材料を含み得る。ある特定の実施形態では、組織刺入要素は、ユーザが、組織刺入要素の実質的な座屈を伴わずに、親指または指の力を用いてセンサユニットを皮膚に押し付けることを可能にするのに十分なカラム強度を有する。したがって、組織刺入ユニットの構造は、組織及び皮膚の穿通と関連する抵抗（例えば、軸力）に供されたときに、破断することはない。一部の実施形態では、組織刺入要素は、実質的な座屈を伴うことなく、約０．５ニュートン（Ｎ）を上回る、または約１Ｎを上回る、または約２Ｎを上回る、または約５Ｎを上回る、または約１０Ｎを上回る軸方向負荷に耐えることができるカラム強度を有し得る。しばしば、物体のカラムの厚さを増加させることでも、カラム強度が増加する。一部の実施形態では、遠位先端部の基部１２０は、組織刺入要素に所望されるカラム強度を提供するために、約０．０５ｍｍ〜約１ｍｍ、または約０．１ｍｍ〜約０．５ｍｍ、または約０．１５ｍｍ〜約０．３ｍｍの外径を有し得る。
【０２７０】
本明細書に記載される組織刺入要素のうちのいくつかは、センサ本体の膜を保護するように構成される。本明細書の他の箇所に記載されるように、膜は、比較的繊細であり得、したがって、ホストへのセンサユニットの挿入の際に損傷される可能性がある。その結果、膜が受けたいずれの損傷も、センサデバイスの性能及びそれが適正に機能する能力に影響を及ぼし得る。例えば、一部の実施形態では、組織刺入要素１０８の１つ以上の部分は、センサ本体１１０のものよりも大きな断面積（組織刺入要素１０８の長手方向軸に対して横断する平面に沿ったもの）を有して形成され得る。センサ本体１１０よりも大きな断面積を有することにより、センサデバイス１００の組織刺入要素１０８は、ホストの皮膚１０４に刺入し、センサ本体１１０を組織に挿入するための通路を開き、それを画定するように構成される。したがって、挿入プロセス中に穿通−抵抗力が膜１４０を損傷する及び／またはセンサ本体１１０の残りの部分から剥ぎ取る危険性が、低減される。一部の実施形態では、組織刺入要素１０８の長手方向軸に対して横断する断面の最も大きな寸法は、約０．１ｍｍ未満、または約０．０５ｍｍ未満、または約０．０３ｍｍ未満である。
【０２７１】
一部の実施形態では、１つ以上のポリマー及び／または生物活性剤の１つ以上の層が、組織刺入要素にコーティングされてもよい。生物活性剤を使用して組織刺入要素の表面をコーティングすることにより、センサデバイスの体内部分の挿入中及び／またはその後に、皮下組織内への生物活性剤の放出をもたらすことができる。さらなる実施形態では、１つ以上のポリマー層が、１つ以上の生物活性剤の放出速度を制御するために使用され得る。そのようなポリマーには、パリレン、パリレンＣ、パリレンＮ、パリレンＦ、ポリ（ヒドロキシメチル−ｐ−キシリレン−ｃｏ−ｐ−キシリレン）（ＰＨＰＸ）、ポリ（乳酸−ｃｏ−グリコール酸）（ＰＬＧＡ）、ポリエチレン−ｃｏ−酢酸ビニル（ＰＥＶＡ）、ポリ−Ｌ−乳酸（ＰＬＡ）、ポリＮ−ブチルメタクリレート（ＰＢＭＡ）、ホスホリルコル、ポリ（イソブチレン−ｃｏ−スチレン）、ポリオキシエチレン（ＰＯＥ）、ポリグリコリド（ＰＧＡ）、（ポリ（Ｌ−乳酸）、ポリ（アミド酸）（ＰＡＡ、ポリエチレングリコール（ＰＥＧ）、これらのポリマーのうちの１つ以上のものの誘導体、ならびにこれらの組み合わせまたは混合物が挙げることができるが、これらに限定されない。
【０２７２】
一部の実施形態では、組織刺入要素の表面の１つ以上の領域は、生物活性剤を保持するためのリザーバまたは貯蔵場所として機能するように構成される、１つ以上の陥凹部分（例えば、空洞、くぼみ、開口部、溝、チャネル等）を含み得る。陥凹部分は、意図される用途に従って、任意の事前に選択された位置に形成され、事前に選択された深さ、サイズ、幾何構成、及び寸法を有し得る。リザーバまたは貯蔵場所を使用することで、組織刺入要素が保持及び送達することができる生物活性剤の量を増加させることができる。さらなる実施形態では、組織刺入要素は、空洞を有する中空であり、種々の通路を介してその表面上の１つ以上の開口部と接続されてもよく、結果として、生物活性剤が開口部を介して空洞から放出され得るようになる。一部の実施形態では、例えば、図３Ａ及び３Ｂに示されるように、組織刺入要素３１０は、上に膜が配置されたセンサ３１４を支持するように成形及び寸法決定される、ポケット３１２を備える。
【０２７３】
ある特定の実施形態では、センサデバイスの体内部分は、ホストの組織内で実質的に静止状態に留まるように構成され、その結果、周囲組織に対するセンサ本体の移動または動きが阻止される。移動または動きは、刺激に起因してセンサ埋め込み部位に炎症を引き起こし得、動きに伴う人為的影響に起因してセンサシグナルにノイズを発生させ得る。したがって、前述の問題を回避するために、センサデバイスの体内部分に支持を提供する固定機序を提供することが有利であり得る。一部の実施形態では、組織刺入要素は、１つ以上の領域に模様がついた表面を含んでもよい。模様付けにより、組織刺入要素の表面を粗くすることができ、それによって、模様のない（例えば、滑らかな）表面のものよりも大きな表面積を有する表面の凸凹を提供することができる。したがって、組織刺入要素が担持し、原位置で放出され得る生物活性剤、ポリマー、及び／またはコーティングの量は、模様のない表面を有するものと比較して、増加する。さらに、模様をつけた表面はまた、増加した表面積により、ホストの組織内でのセンサデバイスの体内部分の固定化を強化することができるため、一部の事例において有利であり得ると考えられる。ある特定の実施形態では、組織刺入要素は、多孔性の表面（例えば、多孔性パリレン）、畝模様の表面といった、表面トポグラフィーを含んでもよい。ある特定の実施形態では、固定は、皮下組織内にセンサを安定化するために単独または組み合わせて用いられ得る、爪、突起、鉤、羽、フック、球状部分（例えば、遠位端で）、組織刺入要素に沿ったＳ字湾曲体、段階的に変化する直径、これらの組み合わせ等によって提供することができる。例えば、ある特定の実施形態では、組織刺入要素は、センサユニットの挿入中またはその後に外方向に広がる（例えば、センサユニットの長手方向軸に対して垂直な平面に向かう方向で）ように構成される、１つ以上の固定部材を備えてもよい。固定部材の外方向への展開により、結果として、組織刺入要素が周囲組織に対して押し付けられ、したがって、センサユニットの移動及び／または回転を低減（または防止）するため、センサユニットの固定が促進される。一部の実施形態では、固定部材は、特定の温度（例えば、室温または体温）でマルテンサイト状態からオーステナイト状態に変換するように構成され得る、ニチノール等の形状記憶材料から形成される。マルテンサイト状態では、固定部材は、延性があり、収縮した構成にある。オーステナイト状態では、固定部材は、より剛性となると同時により大きな所定の形状を形成するように展開する。固定部材を形成するために選択され得る形状記憶材料の例としてニチノールが本明細書に記載されているが、他の類似の材料（例えば、形状記憶材料）も使用可能であることを理解されたい。
【０２７４】
センサデバイスの組織刺入要素は、載置表面（載置ユニットの下表面）に対して、したがって、皮膚表面に対して、任意の様々な角度で皮下に導入され得る。例えば、一部の実施形態では、組織刺入要素の遠位先端部は、載置表面に対して実質的に垂直方向に延在し得るが、他の実施形態では、遠位先端部は、載置表面に対して、例えば、約１５°、２０°、３０°、４０°、４５°、６０°、７５°、８０°、９０°、１０５°、１００°、１２０°、１３５°、１４０°、１５０°、１６０°、または１６５°の角度で延在してもよい。
【０２７５】
代替的な実施形態では、センサデバイスの挿入中の膜の保護を提供するために、センサ本体が、生分解性材料から形成された針に埋め込まれるか、または封入され得る。挿入の後に、針が徐々に生分解し、後にはセンサ本体が残り、次いで、これが起動され得る。任意の様々な生分解性材料（例えば、非干渉炭水化物）が使用され得る。一部の実施形態では、生分解性材料には、測定されるある特定の濃度の分析物が含まれ、結果として、センサデバイスの初期較正点を得ることができる。
【０２７６】
図１に図示されるように、センサデバイス１００は、ホストに固定されるように構成される皮膚接触型載置ユニット１１６を含み得る。一部の実施形態では、載置ユニット１１６は、ホストの皮膚に固定するように適合される基部１２２を備える。基部１２２は、種々の硬質または軟質材料から形成され得、使用中にセンサデバイスがホストから突出することを低減するためにロープロファイルを有し得る。一部の実施形態では、基部１２２は、皮膚の凹凸に合うように構成される可撓性材料から少なくとも部分的に形成され、これにより、ホストの動作と関連する動き関連の欠点を低減または排除することができる。ある特定の実施形態では、載置ユニット１１６の基部１２２は、好ましくは載置ユニットの底部表面に配置される、接着パッドとも呼ばれる接着材料または接着層１２４を含み、また剥離可能な裏当て層（示されない）を含んでもよい。したがって、裏当て層を取り除き、載置ユニット１１６の基部１２２をホストの皮膚１０４に押し付けることによって、載置ユニット１１６をホストの皮膚１０４に接着させる。その領域（例えば、ホストの皮膚）を伸縮、伸長、適合、及び／または通気させるのに適切な接着パッドが、選択及び設計され得る。一部の実施形態では、載置ユニットは、センサデバイス１００が実質的な座屈を伴うことなくホストの皮膚１０４を通して挿入され得るように、ホストの皮膚１０４を通したセンサデバイス１００の挿入を誘導し、支持部材１１２のカラム強度を支持するように構成される、誘導部分（示されない）を備える。
【０２７７】
図１は膜の保護を提供するための一構成を図示するが、他のセンサ本体構成もまた使用可能である。例えば、本明細書に記載されるセンサ本体のうちのいくつかは、図３Ａ及び３Ｂに図示されるように部分的にセンサを包囲するように構成されるか、または図３Ｃに図示されるように実質的にセンサを包囲するように構成される、支持部材３３０を含んでもよい。本明細書の他の箇所に記載される他の実施形態とは異なり、図３Ａ〜３Ｄに図示される実施形態では、支持部材３３０は、作用電極を備えない。代わりに、１つ以上の作用電極は、支持部材３３０とは異なる構成要素として配設される。一部の実施形態では、支持部材３３０は、基準電極としても機能し得る。
【０２７８】
図３Ａに図示される実施形態では、支持部材３３０は、センサ（例えば、膜が上に配置された作用電極）を少なくとも部分的に収容するように構成される、長手方向の陥凹部３３２を備える。一部の実施形態では、長手方向の陥凹部は、支持部材３３０の長さの約９０％未満、または約７５％未満、または約５０％未満、または約３３％未満、または約２５％未満に相当する長さを有し得る。他の実施形態では、長手方向の陥凹部は、図３Ｂに図示されるように、実質的に支持部材３３０の全長にわたって延在し得る。ある特定の実施形態では、支持部材３３０は、センサの外周囲（例えば、外周）の約１０％超、または約２５％超、または約３３％超、または約５０％超、または約７５％超を包囲し得る。
【０２７９】
図３Ｃに図示されるように、一部の実施形態では、センサ（例えば、作用電極）が支持部材３３０によって実質的に包囲される。支持部材３３０には、電極のある特定の部分を生体液（例えば、間質液）に曝露し、それによって生体液が作用電極の電気活性表面及びその上に配置された膜に向かって拡散し、それと接触することを可能にする、１つ以上の窓部分３３４（支持部材３３０の壁の厚みを通って延在する開口部またはスロット）が提供されてもよい。この実施形態では、作用電極及びその上に配置された膜は、本質的に、支持部材３３０内に収容され、したがって、デバイスの梱包、取り扱い、及び／または挿入の際には保護されている。窓部分３３４は、任意の様々な形状及び寸法を有し得る。例えば、一部の実施形態では、窓部分は、円形または実質的に円形の形状を有するように形成され得るが、他の実施形態では、電極は、楕円形、多角形（例えば、三角形、正方形、長方形、平行四辺形、台形、五角形、六角形、八角形）等に似た形状で形成されてもよい。ある特定の実施形態では、窓部分は、支持部材の長手方向の断面の外周の周囲に延在する区画を含んでもよい。例えば、支持部材は、アブレーション、エッチング、または他の技法によって、螺旋状の構成で窓部分が切り取られたハイポチューブを使用することにより作製することができる。
【０２８０】
透過性
従来的なグルコースセンサは、電流をナノＡｍｐ範囲で測定する。従来的なグルコースセンサとは対照的に、好ましい実施形態は、ピコＡｍｐ範囲で電流を測定し、一部の実施形態ではフェムトＡｍｐで測定するように構成される。すなわち、測定されたグルコースの全ての単位（ｍｇ／ｄＬ）に関して、少なくとも１ピコＡｍｐの電流が測定される。一部の実施形態では、約１、２、３、４、または５ピコＡｍｐ〜約２５、５０、１００、２５０、または５００ピコＡｍｐの電流が、測定されたグルコースの全ての単位（ｍｇ／ｄｌ）に関して測定される。
【０２８１】
生物活性剤
種々の生物活性剤が、流体の流入または流出を促進することが知られている。したがって、生物活性剤を膜に組み込むことにより、流体バルク（ｆｌｕｉｄ  ｂｕｌｋ）、バルク流体流（ｂｕｌｋ  ｆｌｕｉｄ  ｆｌｏｗ）、及び／または拡散速度を増加させ（さらにグルコース及び酸素の流入を促進し）、それによって一定でないノイズを減少させることができる。一部の実施形態では、流体バルク及び／またはバルク流体流は、１つ以上の生物活性剤を組み込むことによりセンサで（例えば、センサの外表面のそばで）増加する。一部の実施形態では、センサは、創傷を刺激し（ｉｒｒｉｔａｔｅ）、創傷部位に局所的な流体の流入を引き起こすことが知られている可溶性媒介物質の放出を刺激する（ｓｔｉｍｕｌａｔｅ）、生物活性剤を含むように構成される。一部の実施形態では、センサは、血管構造から局所的な流体の流入を引き起こし得る、血管拡張性生物活性剤を含むように構成される。
【０２８２】
種々の生物活性剤が、好ましい実施形態において有用であることが見出され得る。例示的な生物活性剤には、血液脳関門破壊剤及び血管拡張剤、血管拡張剤、血管新生因子等が挙げられるが、これらに限定されない。有用な生物活性剤には、マンニトール、チオ硫酸ナトリウム、ＶＥＧＦ／ＶＰＦ、ＮＯ、ＮＯドナー、レプチン、ブラジキニン、ヒスタミン、血液成分、多血小板血漿（ＰＲＰ）、マトリックスメタロプロテアーゼ（ＭＭＰ）、塩基性線維芽細胞成長因子（ｂＦＧＦ）（ヘパリン結合成長因子−ＩＩ及び線維芽細胞成長因子ＩＩとしても知られる）、酸性線維芽細胞成長因子（ａＦＧＦ）（ヘパリン結合成長因子−Ｉ及び線維芽細胞成長因子−Ｉとしても知られる）、血管内皮成長因子（ＶＥＧＦ）、血小板由来内皮細胞成長因子ＢＢ（ＰＤＥＧＦ−ＢＢ）、アンジオポエチン−１、形質転換成長因子β（ＴＧＦ−β）、形質転換成長因子α（ＴＧＦ−α）、肝細胞成長因子、腫瘍壊死因子−α（ＴＮＦ−α）、胎盤成長因子（ＰＬＧＦ）、アンジオゲニン、インターロイキン−８（ＩＬ−８）、低酸素誘導因子−Ｉ（ＨＩＦ−１）、アンジオテンシン変換酵素（ＡＣＥ）阻害剤キナプリラト、アンジオトロピン（Ａｎｇｉｏｔｒｏｐｉｎ）、トロンボスポンジン、ペプチドＫＧＨＫ、低酸素圧、乳酸、インスリン、レプチン、硫酸銅、エストラジオール、プロスタグランジン、ｃｏｘ阻害剤、内皮細胞結合剤（例えば、デコリンまたはビメンチン）、グレニピン（ｇｌｅｎｉｐｉｎ）、過酸化水素、ニコチン、ならびに成長ホルモンが挙げられるが、これらに限定されない。さらに他の有用な生物活性剤には、酵素、細胞毒性剤または壊死剤（例えば、パクタタキシル（ｐａｃｔａｔａｘｙｌ）、アクチノマイシン、ドキソルビシン、ダウノルビシン、エピルビシン、ブレオマイシン、プリカマイシン、マイトマイシン）、シクロホスファミド、クロラムブシル、ウラムスチン、メルファラン、ブリオスタチン、炎症性細菌細胞壁成分、ヒスタミン、炎症促進因子等が挙げられる。
【０２８３】
生物活性剤は、所望される生物活性剤を、１つ以上のセンサ層の製造材料に組み込むか、または多孔質シリコーン膜等の外部生体材料に組み込むことによって、センサの製造時に添加され得る。例えば、生物活性剤は、膜形成時に溶液と混合されてもよく、これが、続いて、製造中にセンサに適用される。あるいは、完成したセンサを、例えば、生物活性剤の溶液に浸漬するか、またはそれをスプレーしてもよい。生物活性剤の量は、本明細書の他の箇所に開示されるように、その濃度を変化させること、浸漬中の留置時間を変化させること、所望の厚さに達するまで複数の層を適用すること等によって、制御することができる。代替的な実施形態では、生物活性剤は、センサに適用する前にマイクロカプセルに封入される。例えば、マイクロカプセルに封入した生物活性剤を、完成したセンサにスプレーしてもよく、または外側のメッシュ層もしくは剥落層等の構造に組み込んでもよい。マイクロカプセル封入により、生物活性剤の放出速度、放出が起こる時間、及び／または放出の持続時間を制御することにおける柔軟性の向上がもたらされ得る。
【０２８４】
刺激の化学的システム／方法を、生体界面膜（本明細書の他の箇所に記載される）または剥落層といった、刺激剤を局所環境に放出する外部センサ構造に組み込んでもよい。例えば、一部の実施形態では、「剥落層」は、分子をセンサの局所近傍に放出（例えば、剥落または浸出）し、浸透圧による体液移動を加速させ得る。一部の実施形態において、剥落層は、軽度の刺激を提供し、軽度の炎症／異物による身体応答を促進し、それによって、細胞が安定化し、整列した線維被膜が蓄積し、流体嚢形成を促進することを防ぐことができる。
【０２８５】
剥落層は、ポリビニルアルコール（ＰＶＡ）、ＰＧＣ、ポリエチレンオキシド（ＰＥＯ）、ポリエチレングリコール−ポリビニルピロリドン（ＰＥＧ−ＰＶＰ）混合物、ＰＥＧ−スクロース混合物、ヒドロゲル、例えば、ポリヒドロキシエチルメタクリレート（ｐＨＥＭＡ）、ポリメチルメタクリレート（ＰＭＭＡ）、または急速に分解するエステル結合を有する他のポリマーといった、親水性分解性材料が挙げられるがこれらに限定されない、任意の便宜的な生体適合性材料から構成され得る。ある特定の実施形態では、酸残基を有する化合物に分解される吸収性縫合材料が使用され得る。酸残基は、炎症及び創傷治癒を刺激する化学的刺激剤である。ある特定の実施形態では、これらの成分には、グリコール酸及び乳酸系のポリマー、ポリグラクチン、ポリジオキソン（ｐｏｌｙｄｉｏｘｏｎｅ）、ポリダイコネート（ｐｏｌｙｄｙｃｏｎａｔｅ）、ポリ（ジオキサノン）、ポリ（トリメチレンカーボネート）コポリマー、ならびにポリ（カプロラクトン）ホモポリマー及びコポリマー等が挙げられる。
【０２８６】
他の例示的な実施形態では、剥落層は、ポリビニルピロリドン（ＰＶＰ）、ポリヒドロキシエチルメタクリレート、ポリビニルアルコール、ポリアクリル酸等の親水性ポリマー、ポリエチレングリコール等のポリエーテルとのコポリマーまたは混合物、ならびに例えばジブロック、トリブロック、交互、ランダム、及びグラフトコポリマーを含むそれらのブロックコポリマー（ブロックコポリマーは、米国特許第４，８０３，２４３号及び米国特許に記載されている）を含む、第１のドメインに関して本明細書の他の箇所に列挙される材料の層であってもよい。１つの好ましい実施形態において、剥落層は、ポリウレタン及び親水性ポリマーから構成される。例えば、親水性ポリマーは、ポリビニルピロリドンであり得る。１つの好ましい実施形態において、剥落層は、５重量パーセント以上のポリビニルピロリドンかつ４５重量パーセント以下のポリビニルピロリドンを含む、ポリウレタンである。好ましくは、剥落層は、２０重量パーセント以上のポリビニルピロリドンかつ３５重量パーセント以下のポリビニルピロリドンを含み、最も好ましくは、約２７重量パーセントのポリビニルピロリドンを含むポリウレタンである。
【０２８７】
他の実施形態において、剥落層は、２００６年４月１４日に出願された同時係属中の米国特許出願第１１／４０４，４１７号に開示されるように、シリコーンエラストマー及びポリ（エチレンオキシド）とポリ（プロピレンオキシド）とのコポリマー混合物といったシリコーンエラストマーを含んでもよい。一実施形態において、シリコーンエラストマーは、ジメチル及びメチル水素−シロキサンコポリマーである。一実施形態において、シリコーンエラストマーは、ビニル置換基を含む。一実施形態において、シリコーンエラストマーは、ＭＥＤ−４８４０混合物を硬化させることによって生成されるエラストマーである。一実施形態において、コポリマーは、ヒドロキシ置換基を含む。一実施形態において、コポリマーは、トリブロックポリ（エチレンオキシド）−ポリ（プロピレンオキシド）−ポリ（エチレンオキシド）ポリマーである。一実施形態において、コポリマーは、トリブロックポリ（プロピレンオキシド）−ポリ（エチレンオキシド）−ポリ（プロピレンオキシド）ポリマーである。一実施形態において、コポリマーは、ＰＬＵＲＯＮＩＣ（登録商標）ポリマーである。一実施形態において、コポリマーは、ＰＬＵＲＯＮＩＣ（登録商標）Ｆ−１２７である。一実施形態において、コポリマーの少なくとも一部分は、架橋している。一実施形態において、膜の約５％重量／重量〜約３０％重量／重量が、コポリマーである。
【０２８８】
剥落層は、センサの所望される位置、例えば、例としてセンサヘッドまたは電気化学的に反応性の表面での流体流入を促進する対称または非対称な任意の形状または幾何形状をとることができる。剥落層は、センサの片側または両側に位置付けられ得る。別の例では、剥落層は、センサのごく一部分またはセンサ全体に適用され得る。
【０２８９】
１つの例示的な実施形態では、ポリエチレンオキシド（ＰＥＯ）を含む剥落層は、センサの外側に適用され、ここで、センサ周囲の皮膚は、剥落層に直接アクセスすることができる。ＰＥＯは、剥落層から浸出し、局所細胞によって取り込まれ、これが炎症促進因子を放出する。炎症促進因子は、周囲組織を通じて拡散し、体液の流入を含む炎症応答を刺激する。したがって、初期のノイズが低減または排除され得、センサ機能が改善され得る。
【０２９０】
別の例示的な実施形態において、剥落層は、本明細書の他の箇所に開示されるようなメッシュまたは多孔質の生体界面といった、外側多孔質層と組み合わせてセンサに適用される。一実施形態において、局所細胞は、多孔質シリコーン生体界面の貫通細孔を通じて剥落層にアクセスする。一実施例では、剥落層材料は、多孔質シリコーンを適用する前にセンサに適用される。別の実施例では、剥落層材料を、センサに多孔質シリコーンを適用する前に、多孔質シリコーンのより低い部分（例えば、多孔質シリコーンがセンサ適用された後にセンサに近接するであろう、多孔質シリコーンの部分）に吸収させてもよい。
【０２９１】
創傷抑制
一定でないノイズは、一部の実施形態では、創傷抑制（例えば、センサ挿入中の）によって減少させることができる。創傷抑制には、センサ挿入時に発生する創傷の量が低減及び／または排除される、任意のシステムまたは方法が含まれる。理論に束縛されることを望むものではないが、創傷が抑制されるか、または少なくとも大幅に低減されれば、センサは実質的に正常な組織（例えば、センサ挿入前の組織に実質的に類似する組織）で包囲されることになると考えられる。実質的に正常な組織は、創傷を受けた組織よりも低い代謝を有し、より少ない干渉物質を生成し、初期のノイズを低減すると考えられる。
【０２９２】
センサの構造を、創傷を抑制するか、急速な治癒を促進するかのいずれかであるものに適合させること、例えば、実質的な創傷をもたらさない構造（例えば、創傷を予防するように構成される構造）、創傷治癒を促進する構造、抗炎症性の構造等に適合させることによって、創傷を抑制することができる。１つの例示的な実施形態において、センサは、ロープロファイル、ゼロフットプリント、または滑らかな表面を有するように構成される。例えば、センサは、例えば、直径が約５０μｍ〜約１１６μｍのワイヤ等、実質的に細いワイヤから形成され得る。好ましくは、センサは、例えば、例としてスタブ基準で３０、３１、３２、３３、３４、または３５ゲージの針（またはより小さい）等、非常に小さなゲージの針の中に嵌合するのに十分に小さい。一般に、針が小さいほど、挿入中の創傷の量が低減される。例えば、非常に小さい針は、組織破壊の量を低減させ、それによって後続の創傷治癒応答を低減させることができる。代替的な実施形態では、センサの表面は、センサ挿入時の創傷を低減するように、潤滑性コーティングで滑らかにされる。
【０２９３】
創傷はまた、初期創傷の量を低減させるか、または創傷治癒プロセスを抑制するかのいずれかである、創傷抑制剤（生物活性剤）を含めることによっても低減することができる。理論に束縛されることを望むものではないが、抗炎症剤、免疫抑制剤、抗感染剤、または除去剤等の創傷抑制剤をセンサに適用することにより、局所的に休止状態の環境を作り出し、創傷治癒を抑制することができる。休止状態の環境では、創傷治癒と関連する細胞代謝の増加等の身体プロセスがセンサに及ぼす影響が最小限となり得る。センサの周囲の組織が影響を受けなければ、その組織は通常の代謝を続け、センサ機能を促進することができる。
【０２９４】
一部の実施形態では、創傷抑制に有用な化合物及び／または因子には、第１世代Ｈ１−受容体アンタゴニスト：エチレンジアミン（例えば、メピラミン（ピリラミン）、アンタゾリン）、エタノールアミン（例えば、ジフェンヒドラミン、カルビノキサミン、ドキシラミン、クレマスチン、及びジメンヒドリナート）、アルキルアミン（フェニラミン、クロルフェナミン（クロルフェニラミン）、デクスクロルフェナミン、ブロムフェニラミン、及びトリプロリジン）、ピペラジン（シクリジン、ヒドロキシジン、及びメクリジン）、ならびに三環系化合物（プロメタジン、アリメマジン（トリメプラジン）、シクロヘプタジン、及びアザタジン）；第２世代Ｈ１−受容体アンタゴニスト、例えば、アクリバスチン、アステミゾール、セチリジン、ロラタジン、ミゾラスチン、アゼラスチン、レボカバスチン、及び、オロパタジン；肥満細胞安定化剤、例えば、クロモグリク酸（クロモリン）及びネドクロミル；抗炎症剤、例えば、アセトメタフェン（ａｃｅｔｏｍｅｔａｐｈｅｎ）、アミノサリチル酸、アスピリン、セレコキシブ、コリンマグネシウムトリサリチル酸、ジクロフェナクカリウム、ジクロフェナクナトリウム、ジフルニサル、エトドラク、フェノプロフェン、フルルビプロフェン、イブプロフェン、インドメタシン、インターロイキン、（ＩＬ）−１０、ＩＬ−６ムテイン、抗ＩＬ−６  ｉＮＯＳ阻害剤（例えば、Ｌ−ＮＭＤＡ）、インターフェロン、ケトプロフェン、ケトロラック、レフルノミド、メレナミン酸（ｍｅｌｅｎａｍｉｃ  ａｃｉｄ）、ミコフェノール酸、ミゾリビン、ナブメトン、ナプロキセン、ナプロキセンナトリウム、オキサプロジン、ピロキシカム、ロフェコキシブ、サルサレート、スリンダク、及びトルメチン；コルチコステロイド、例えば、コルチゾン、ヒドロコルチゾン、メチルプレドニゾロン、プレドニゾン、プレドニゾロン、ベタメテゾン（ｂｅｔａｍｅｔｈｅｓｏｎｅ）、ジプロピオン酸ベクロメタゾン、ブデソニド、リン酸デキサメタゾンナトリウム、フルニソリド、プロピオン酸フルチカゾン、パクリタキセル、タクロリムス、トラニラスト、トリアムシノロンアセトニド、ベタメタゾン、フルオシノロン、フルオシノニド、ジプロピオン酸ベタメタゾン、吉草酸ベタメタゾン、デソニド、デスオキシメタゾン、フルオシノロン、トリアムシノロン、トリアムシノロンアセトニド、プロピオン酸クロベタゾール、及びデキサメタゾン；免疫抑制剤及び／または免疫調節剤、例えば、抗増殖剤、細胞周期阻害剤（例えば、パクリタキセル、サイトカラシンＤ、インフィキシマブ（ｉｎｆｉｘｉｍａｂ））、タキソール、アクチノマイシン、マイトマイシン、ＶＥＧＦを促進するもの、エストラジオール、ＮＯドナー、ＱＰ−２、タクロリムス、トラニラスト、アクチノマイシン、エベロリムス、メトトレキサート（ｍｅｔｈｏｔｈｒｅｘａｔｅ）、ミコフェノール酸、アンジオペプチン（ａｎｇｉｏｐｅｐｔｉｎ）、ビンクリスチン（ｖｉｎｃｒｉｓｔｉｎｇ）、マイトマイシン（ｍｉｔｏｍｙｃｉｎｅ）、スタチン、Ｃ  ＭＹＣアンチセンス、シロリムス（及び類似体）、ＲｅｓｔｅｎＡＳＥ、２−クロロ−デオキシアデノシン、ＰＣＮＡリボザイム、バチムスタット（ｂａｔｉｍｓｔａｔ）、プロリルヒドロキシラーゼ阻害剤、ＰＰＡＲγリガンド（例えば、トログリタゾン、ロシグリタゾン、ピオグリタゾン）、ハロフジノン、Ｃ−プロテイナーゼ阻害剤、プロブコール、ＢＣＰ６７１、ＥＰＣ抗体、カテキン（ｃａｔｃｈｉｎ）、糖化剤、エンドセリン阻害剤（例えば、アンブリセンタン、テソセンタン（ｔｅｓｏｓｅｎｔａｎ）、ボセンタン）、スタチン（例えば、セリバスタチン）、大腸菌易熱性エンテロトキシン、及び進化したコーティング；抗感染剤、例えば駆虫薬（メベンダゾール）；抗生物質、例えば、アミノクリコシド（ａｍｉｎｏｃｌｙｃｏｓｉｄｅ）（ゲンタマイシン、ネオマイシン、トブラマイシン）、抗真菌性抗生物質（アムホテリシンｂ、フルコナゾール、グリセオフルビン、イトラコナゾール、ケトコナゾール、ナイスタチン、ミカチン（ｍｉｃａｔｉｎ）、トルナフタート）、セファロスポリン（セファクロル、セファゾリン、セフォタキシム、セフタジジム、セフトリアキソン、セフロキシム、セファレキシン）、β−ラクタム抗生物質（セフォテタン、メロペネム）、クロラムフェニコール、マクロライド（アジスロマイシン、クラリスロマイシン、エリスロマイシン）、ペニシリン（ペニシリンＧナトリウム塩、アモキシシリン、アンピシリン、ジクロキサシリン、ナフシリン、ピペラシリン、チカルシリン）、テトラサイクリン（ドキシサイクリン、ミノサイクリン、テトラサイクリン）、バシトラシン；クリンダマイシン；コリスチンメタナトリウム；硫酸ポリミキシンｂ；バンコマイシン；アシクロビル、アマンタジン、ジダノシン、エファビレンツ、ホスカルネット、ガンシクロビル、インジナビル、ラミブジン、ネルフィナビル、リトナビル、サキナビル、銀、スタブジン、バラシクロビル、バルガンシクロビル、ジドブジンを含む抗ウイルス薬；キノロン（シプロフロキサシン、レボフロキサシン）；スルホンアミド（スルファジアジン、スルフイソキサゾール）；スルホン（ダプソン）；フラゾリドン；メトロニダゾール；ペンタミジン；スルファニルアミダムクリスタリナム（ｓｕｌｆａｎｉｌａｍｉｄｕｍ  ｃｒｙｓｔａｌｌｉｎｕｍ）；ガチフロキサシン；ならびに、スルファメトキサゾール／トリメトプリム；干渉物質除去剤、例えば、スーパーオキシドジスムターゼ（ＳＯＤ）、チオレドキシン、グルタチオンペルオキシダーゼ及びカタラーゼ、抗酸化剤、例えば、尿酸、及びビタミンＣ、鉄化合物、ヘム化合物、及びいくつかの重金属；人工的保護コーティング成分、例えば、アルブミン、フィブリン、コラーゲン、内皮細胞、創傷閉鎖化学物質、血液製剤、多血小板血漿、成長因子等が挙げられるが、これらに限定されない。
【０２９５】
理論に束縛されることを望むものではないが、本明細書の他の箇所に記載される分析物センサの構成に加えて、センサに潤滑性コーティングを適用することにより、ホストへの外傷を実質的に防止することによってノイズの発生を実質的に低減及び／または抑制することができる。したがって、一部の実施形態では、潤滑性コーティングが、埋め込まれるセンサに対する異物による身体応答を低減させるためにセンサの体内部分に適用されてもよい。本明細書に使用される「潤滑性コーティング」という用語は、その通常の意味で使用され、限定することなく表面摩擦の低減を提供する表面処理を含む。ポリエチレン、ポリカーボネート、ポリウレタン、ポリ（エチレンオキシド）、ポリ（エチレンオキシド）−ポリ（プロピレンオキシド）コポリマー等であるがこれらに限定されない種々のポリマーが、潤滑性センサコーティングとして使用するのに好適である。１つの例示的な実施形態において、ＣａｒｄｉｏＴｅｃｈ  Ｉｎｔｅｒｎａｔｉｏｎａｌ，Ｉｎｃ．（Ｗｉｌｍｉｎｇｔｏｎ，ＭＡ）が製造しているポリエーテル−ポリウレタンであるＨｙｄｒｏＭｅｄ（商標）の１つ以上の層が、センサ（例えば、抵抗ドメインの上）に適用される。
【０２９６】
溶解性先端部
上述のもの等のセンサは、画鋲に似ているため、「画鋲」センサと呼ばれることがある。本実施形態の一態様は、画鋲センサが、センサの全寿命にわたり、組織に埋め込まれたままとなる鋭利化された先端部を含むという認識を含む。鋭利化された先端部を長期間体内に残しておくことは、周辺組織に外傷を引き起こし得、瘢痕化及び創傷治癒の阻害をもたらす。本実施形態のうちのいくつかは、この問題に対する解決策を提供する。一部の実施形態では、先端部は、埋め込み式センサセッションの間に、例えば、約３、５、７、または１０日以内に、溶解するように構成される。
【０２９７】
上述のように、また図１を参照すると、組織刺入要素１０８は、例えば、センサ本体１１２とは別個の異なる構成要素であり得る。そのような実施形態では、センサ本体１１２は、平滑な先端部または遠位面１２６を含み得る。組織刺入要素１０８は、同様に、センサ本体先端部１２６に当接する平滑な近位面１２８を含む。上述のように、組織刺入要素１０８は、センサ本体１１２に固定されてもされなくてもよい。
【０２９８】
一部の実施形態では、組織刺入要素１０８は、生分解性材料、またはホストに挿入した後急速に溶解する材料を含み得る。挿入すると、組織刺入要素１０８の分解が、酸残基により自発的に起こり得る。そのような実施形態では、任意のセンサ膜（複数可）がｐＨ感受性であることが望ましい。組織刺入要素１０８の分解速度は、存在する先端部材料の量に依存する。例えば、材料は、ホストへの挿入後３日以内、または２日以内、または１日、または１２時間、または６時間、または３時間、または２時間、または１時間で生分解／溶解し得る。ある特定の実施形態では、材料は、センサが動作し始める前の時間枠内に溶解し得る。そのような実施形態では、組織刺入要素１０８の溶解した材料は、センサ較正を妨害し得ない。
【０２９９】
組織刺入要素１０８の例示的な材料には、塩、金属塩、糖、合成ポリマー、糊もしくは接着剤（シアノアクリレート等）、ポリ乳酸（ＰＬＡ）、ポリグリコール酸、ポリ（乳酸−ｃｏ−グリコール酸）（ＰＬＧＡ）、ポリ無水物、ポリホスファゼン、またはガラス様特性を有する任意の材料のうちの少なくとも１つが含まれる。特に、ＰＬＡ、ＰＬＧＡ、及びポリ無水物は、全て、この種の用途のための十分な硬度を有する。例えば、組織刺入要素１０８の硬度は、３５Ｄ〜５５Ｄの範囲、例えば、４５Ｄ等であり得る。
【０３００】
一部の実施形態では、組織刺入要素１０８の材料は、溶解時間、硬度といった所望の特性を達成するように調整または修正され得る。例えば、組織刺入要素１０８は、アニーリングもしくは硬化サイクル、及び／または架橋により処理され得る。架橋は、例えば、ＵＶ光での照射等、光に基づくものであり得る。一部の実施形態では、調整は、材料を合わせることを含み得る。例えば、組織刺入要素１０８の硬度は、一部の骨埋め込み片のように、ヒドロキシアパタイトを配合物に組み込むことによって改善することができる。そのような配合物は、硬度を劇的に向上させる。また、これらを含めることは、より高速な溶解時間をもたらす傾向にある。
【０３０１】
ポリマー材料を組織刺入要素１０８に選択した場合、それは、結晶化度を有し得、これもまた、ロックウェル硬さによって定義され得る。例えば、材料は、２５Ｄ〜６５Ｄ例えば、約４５Ｄのロックウェル硬さを有し得る。適切なロックウェル硬さは、ポリマーが裂けるか、またはポリマーへの損傷を伴うことなく、ポリマーが種々の処理ステップを受けることを可能にする。
【０３０２】
一部の実施形態では、組織刺入要素１０８は、センサ先端部１２６を含む、センサ本体１１２の少なくとも一部分を被覆するコーティングを含み得る。例えば、図４を参照すると、センサ本体４１２及び膜４１４の遠位端の長さＬを、液体槽（示されない）に浸漬してもよい。長さＬは、センサ上のいずれの電極をも被覆することなく良好な接着を達成するのに十分にセンサ先端部をコーティングするように選択され得る。例えば、Ｌは、０．１〜４ｍｍの範囲、例えば２〜３ｍｍであり得る。センサを槽から引き抜くと、コーティングが長さＬ上に残り、センサ本体先端部４２６から遠位方向に延在し、溶解性の組織刺入先端部４０８を形成する。コーティングが硬化した後、センサ先端部から延在する部分を鋭利化して、組織繊維コーティング先端部４１８を得ることができる。
【０３０３】
ある特定の例示的な実施形態において、液体槽の粘度は、１００ｃＰ未満であり、引き抜き速度は２０〜３０インチ／秒であり、直後にＵＶ（または熱）架橋に曝して、硬化し、厚みを形成する。鋭利な円錐形状を形成するための１ステップで締め付け及び硬化を行う、先端鋳型またはドロースルー固定具が有利である。
【０３０４】
ポリマーを用いて鋭利なセンサ先端部を作製するための別の実施形態は、硬化させている間に材料に電圧を印加することである。電圧は、ポリマーの形状を尖端に変化させる。硬化が完了し、電圧が除去されると、鋭利な先端部が残る。硬化は、照射、乾燥、加熱等を含み得る。別の実施形態は、材料を加熱し、ガラスのように引き延ばすことを含む。
【０３０５】
上述のように、センサ４００、創傷を抑制するか、もしくは急速な治癒を促進するかのいずれか、またはこれらの両方を行う、１つ以上の態様を含み得る。ある特定の実施形態では、これらの態様は、溶解性先端部４０８に存在し得る。例えば、１つ以上の生物活性剤を、浸漬プロセス中に液体槽の材料と合わせることによって、溶解性先端部４０８に一体化させてもよい。あるいは、硬化の前または後に、溶解性先端部４０８を、後続の液体槽に浸漬してもよく、これにより、溶解性先端部４０８を１つ以上の生物活性剤でコーティングする。例示的な生物活性剤は、上記で詳細に考察されており、ここでは繰り返さない。しかしながら、ある特定の生物活性剤は、例えば、浸透圧または膠質浸透圧を誘発し得る。
【０３０６】
ある特定の実施形態において、溶解性先端部４０８の材料は、センサ４００に対する影響を有し得る。例えば、溶解性先端部４０８が塩である場合、これは、体液をセンサ４００の周囲の組織に引き寄せる浸透圧勾配をもたらし、それがより早く起動することまたは初期シグナル減衰を回避することをもたらし得る。
溶解性針
【０３０７】
本実施形態のうちのいくつかは、ホストに挿入するために針を必要とするセンサに関する。例えば、図５を参照すると、センサ５００は、針５０２の管腔５０４内に収容され得る。本実施形態の別の態様は、センサ挿入後に針を除去する必要性が、挿入後にセンサをセンサ電子機器と電気接続する必要性を含め、挿入プロセスを複雑にするという認識を含む。本実施形態のうちのいくつかは、この問題に対する解決策を提供する。
【０３０８】
図５を参照すると、針５０２は、管腔５０４及び鋭利な遠位先端部５０６を含み、標準的な皮下注射針５０２と同様であり得る。しかしながら、針５０２の材料は、生分解性であり得るか、またはホストへの挿入後に溶解することができる。針５０２の材料及び材料特性は、溶解性組織刺入先端部５０６に関して上述のものに類似であり得る。これらの材料及び材料特性は、上記で詳細に考察されており、ここでは繰り返さない。しかしながら、ポリ無水物が、針５０２の特に有利な材料の１つであり、これは、それらが管を容易に形成し得、それらを切断によって成形することができるためである。
【０３０９】
一部の実施形態では、センサ５００は、管腔５０４内に受容され得るが、針５０２には取り付けられておらず（図５）、例えば、摩擦力によって針内に保持され得る、及び／または図１に示される基部１２２等の基部に連結され得る。他の実施形態では、センサ５００は、当業者には理解され得るように、機械的または化学的連結技法を用いて針５０２（図６）に取り付けられてもよい。
【０３１０】
本実施形態において、針５０２は生分解性／溶解性であるため、センサ５００が挿入された後ホストから取り出す必要はない。代わりに、針５０２は、害を及ぼすことなく生分解し、それによって外傷性先端部５０６を排除し、センサ５００だけが残る。溶解性針５０２は、したがって、センサ５００をホストに挿入するプロセスを簡略化する。加えて、針５０２は、引き抜く必要がないため、センサ５００を、挿入の前にセンサ電子機器（示されない）に電気接続することができる。有利なことに、この態様により、課題となり得た挿入後にセンサ５００をセンサ電子機器と接続する必要性が排除される。
【０３１１】
上述の溶解性組織刺入先端部５０６の実施形態にあるように、本溶解性針５０２は、創傷を抑制する及び／または急速な創傷治癒を促進するための１つ以上の生物活性剤を含み得る。これらの生物活性剤は、上述のものと同様であり得、上述のものと同じ技法を用いて針５０２に適用／一体化され得る。
【０３１２】
ある特定の実施形態において、針５０２は、少なくとも部分的に溶解性であり得る。そのような実施形態では、針は、強い部分と弱い部分（またはより溶解性の部分とあまり溶解性でない部分）を有し得、結果として、体内で弱い部分がより急速に溶解し、強い部分がその後に互いに分離することになる。強い部分は、弱い部分よりも緩徐ではあるが、最終的には溶解し得る。そのような実施形態は、どのようにして弱い部分がより急速に溶解し、挿入中に十分な強度を提供する硬性のセグメント、例えば、ＰＬＡまたはＰＧＡが、センサの挿入中またはその後に本体を傷つけることなく断片化されることを可能にするかを指して、「分画化」として記載され得る。
【０３１３】
膜硬化剤
本実施形態の一態様は、分析物センサの膜の材料が軟質であり、センサが組織内を前進するときに剥離する傾向にあるという認識を含む。この問題は、センサがまず膜でコーティングされた後に、先端部が鋭利化されるプロセスによって形成されるセンサで特に深刻である。このプロセスは、センサ本体を露出させ、センサ本体の先端部に、側面を包囲する薄い膜のコーティングを残す。本実施形態のうちのいくつかは、この問題に対する解決策を提供する。
【０３１４】
図７は、上に記載され図１に示されるセンサデバイス１００に類似のセンサユニット７００を図示する。センサユニット７００は、膜７０４により少なくとも部分的に被覆されたセンサ本体７０２を含む。前述の実施形態にあるように別個の組織刺入要素を有するのではなく、代わりに、センサ本体７０２及び膜７０４の遠位端７０６が鋭利化されて、組織刺入先端部７０８が形成される。センサは、膜７０４でコーティングされた後に鋭利化されるため、鋭利化された先端部７０８ではセンサ本体７０２の一部分が露出している。図８に図示される代替的な実施形態では、センサ本体８０２は、膜８０４でコーティングする前に鋭利化されてもよく、結果として、鋭利化された先端部８０８は、膜８０４で被覆されることになる。
【０３１５】
図７及び８の実施形態では、センサ本体７０２／８０２の遠位端は、レーザアブレーション、機械的研削、ダイヤモンドワイヤ、高速切削、アブレイシブウォータージェット切断、ワイヤもしくはプランジによる放電加工、電解加工、電気化学的エッチング、電気化学的研磨、スタンピング、または任意の他の方法といった、任意の様々な方法で鋭利化され得る。
【０３１６】
図７及び８に図示される実施形態のいずれにおいても、軟質膜７０４、８０４は、センサがホストに挿入されているプロセス中、組織を通って前進するときに剥離する傾向にある。さらに、その非常に小さな直径のため、図７及び８のセンサは、実質的な座屈を伴うことなくホストの皮膚を通って挿入するのに必要なカラム強度を欠いている可能性がある。これらの問題を解決するために、本実施形態のうちのいくつかは、膜９０２を被覆する（図９）か、または膜９０２に一体化される（図１０）かのいずれかである、硬化剤９００を提供する。硬化剤９００は、センサユニット９０６が実質的な座屈を伴うことなくホストの皮膚９０８を通して挿入され得るように、センサ本体９０４のカラム強度の増加をもたらす。硬化剤９００はまた、ホストに挿入されているプロセス中、センサが組織を通って前進するときに剥離することに対してより耐性となるように、センサ本体９０４への膜９０２の接着を向上させる、及び／または膜９０２を堅くすることができる。しかしながら、好ましくは、硬化剤９００は、センサが機能する能力に支障をきたさないように、分析物の膜９０２内への透過性を可能にする。
【０３１７】
図９及び１０は、センサ本体９０４の先端部９１０が膜９０２／硬化剤９００を通り露出している実施形態を図示するが、本実施形態はまた、図８の実施形態と同様に、センサ本体９０４の先端部９１０が、膜９０２／硬化剤９００で被覆され得ることも企図する。センサ本体９０４の先端部９１０が膜９０２／硬化剤９００を通り露出している場合、ある特定の実施形態では、センサ本体９０４の材料は、選択された分析物及び／または分析物反応の生成物と反応しないように選択される。そのような反応は、バックグラウンド電流を発生させ得、これが、センサの性能に悪影響を及ぼし得る。
【０３１８】
一実施形態において、センサ本体９０４の材料は、過酸化水素と反応しないコアを用いて形成されてもよい。１つのそのようなセンサ本体は、白金を被覆したタンタルであり、ここで、タンタルコアは、その電気化学的特性に起因して、過酸化水素と反応することも、さらなるバックグラウンドシグナルをもたらすこともない。少量の白金が曝露されることは、バックグラウンドシグナルに有意に寄与する可能性はない。
【０３１９】
ある特定の実施形態において、硬化剤９００は、シアノアクリレートを含む。シアノアクリレートは、この用途での使用に有利な材料であり、これは、それが膜に透過し得、急速に硬化し、非常に硬性であり、必要に応じて硬化後に機械加工できるためである。シアノアクリレートはまた、先端部に存在する任意の酵素を消滅させることができ、あらゆる電気化学的に活性な表面にコーティングすることができる。他の例示的な材料には、エポキシ及びＵＶ接着剤が挙げられる。
【０３２０】
一実施形態において、センサデバイスを作製する方法は、ワイヤを膜でコーティングすることを含む。コーティングされたワイヤを、次いで、所望される長さに切断して、先端部を有するセンサワイヤを形成する。これらのステップを行うための例示的な方法は、米国特許公開第２０１１−００２７４５３−Ａ１号に記載され、その全内容は、参照により本明細書に組み込まれる。コーティングされたセンサワイヤを、次いで、膜が硬化剤を吸収するように、硬化剤に曝露させる。次いで、必要に応じて、硬化剤を硬化させる。
【０３２１】
コーティングされたワイヤを硬化剤に曝露することは、少なくともセンサ先端部を、硬化剤の液体槽に浸漬することを含み得る。センサワイヤを液体槽から引き抜いた後に、膜を硬化して、硬化剤を硬化させる。その後、センサ先端部は鋭利化されて、組織に刺入することができる鋭利な尖端が形成され得る。代替的な実施形態では、膜をセンサワイヤに適用する前、または膜をセンサワイヤに適用した後であるが硬化剤を適用する前に、センサワイヤを鋭利化してもよい。
【０３２２】
センサ先端部が、膜及び硬化剤を適用した後に鋭利化される実施形態では、鋭利化ステップ中に曝露される全ての活性表面を消滅させるために、消滅剤を鋭利化されたセンサ先端部に適用してもよい。例えば、白金（Ｐｔ）または酵素層が、「活性な表面」と見なされる。一部の実施形態では、消滅剤は、シアノアクリレートまたはシランを含み得る。シランは、潤滑性であり、センサが皮膚に穿通するのを補助し得るため、特に有利であり得る。
【０３２３】
消滅剤を含む実施形態では、消滅剤は、化学蒸着（ＣＶＤ）または物理蒸着（ＰＶＤ）を用いて適用することができる。例えば、マスキング剤と、その後のスプレー剤を含み、その後にすすぎサイクルが続く、２ステップの適用プロセスを用いてもよい。
【０３２４】
別の実施形態では、センサデバイスを作製する方法は、ワイヤを膜でコーティングすることを含む。コーティングされたワイヤを、次いで、所望される長さに切断して、先端部を有するセンサワイヤを形成する。コーティングされたワイヤを、次いで、硬化剤が膜を被覆するように、硬化剤に曝露させる。次いで、硬化、鋭利化といった、前述の実施形態のものと同様に、さらなる処理ステップが行われてもよい。
【０３２５】
別の実施形態では、センサデバイスを作製する方法は、ワイヤを所望の長さに切断して、先端部を有するセンサワイヤを形成することを含む。センサ先端部は、次いで、鋭利化されて、組織に刺入することができる鋭利な尖端が形成される。鋭利化したセンサ先端部を含め、センサワイヤは、次いで、膜でコーティングされる。コーティングされたセンサワイヤを、次いで、膜が硬化剤を吸収するように、硬化剤に曝露させる。硬化等といった、前述の実施形態のものと同様に、さらなる処理ステップが行われてもよい。
【０３２６】
別の実施形態では、センサデバイスを作製する方法は、ワイヤを所望の長さに切断して、先端部を有するセンサワイヤを形成することを含む。センサ先端部は、次いで、鋭利化されて、組織に刺入することができる鋭利な尖端が形成される。鋭利化したセンサ先端部を含め、センサワイヤは、次いで、膜でコーティングされる。膜をコーティングすることにより、ホストの体液は、保護膜システムによって酵素から分離され、酵素がホストに浸出することを回避し、酵素を含む膜システムを通るホストの体液の拡散経路の制御を確実にする。コーティングされたセンサワイヤを、次いで、硬化剤が膜を被覆するように、硬化剤に曝露させる。硬化等といった、前述の実施形態のものと同様に、さらなる処理ステップが行われてもよい。
【０３２７】
刺激応答性材料
本明細書に記載される実施形態のいずれにおいても、センサ本体（例えば、ワイヤ）は、刺激に応答して少なくとも１つの特性を変化させる、１つ以上の「刺激応答性材料」であり得る。例えば、センサ本体は、形状記憶金属（またはＴｉ等のより剛性な金属）及び／または形状記憶ポリマーであり得る。そのような実施形態では、センサ本体は、第１の状態にある間、曲線状または直線状であり得る第１の構成で保持され得る。挿入プロセス中またはその後に、ワイヤは、曲線状または直線状であり得る第２の状態に移行する。
【０３２８】
一部の実施形態では、センサは、第１の温度において直線状の剛性状態にあり、第２の温度では曲線状の可撓性状態にある。使用中、センサ本体の元々の温度が、第１の温度に変わり（例えば、加熱または冷却により）、それによって、センサが、直線状かつ剛性、すなわち、皮膚及び組織への刺入を促す特性になることをもたらす。センサの少なくとも一部分が皮膚及び組織に刺入した後、センサ本体は第２の温度へと戻り、この時点で、曲線状かつ可撓性となり、それによってセンサを着用している患者に快適さを提供する。
【０３２９】
さらに別の実施形態では、センサ本体は、挿入及び刺激の適用時に組織に適合した機械的特性を提供する、１つ以上の「刺激応答性材料」を含む。センサの存在及び身体の動きによって引き起こされる外傷及び異物による身体応答を低減させるために、挿入されたセンサ本体を天然の組織構築物及び係数に合わせることが有利であり、これは、そのような外傷または異物による身体応答はセンサの出力を不利に変化させ得るためである。例えば、センサ本体の弾性係数は、約０．５〜１０ｋＰａであり得る。
【０３３０】
刺激に応答して変化し得る材料特性の例としては、硬度（例えば、体外で典型的な針のものと同等の硬度から、体内で典型的な針よりも事実上皮下組織に近い軟性度まで）、形状、透過性、相対的親水性、ポリマー配向の高次構造等が挙げられるが、これらに限定されない。特性を変化させるために使用される刺激の例としては、温度（例えば、体内での変化については３７℃）、圧力、挿入時の皮下環境への水和、皮膚パッチによって提供される放射（例えば、ＵＶ）、電磁刺激、例えば、電圧によるもの、磁界、例えば、誘導性磁界によるもの等が挙げられるが、これらに限定されない。刺激応答性材料の例としては、ポリマー、例えば、形状記憶ポリマー、ポリウレタン、ポリエステル、ポリアミド、ポリアクリレート、ポリエーテル、及びこれらのコポリマー、合金、例えば、形状記憶合金（例えば、銅−アルミニウム−ニッケル（Ｃｕ−Ａｌ−Ｎｉ）、ニッケル−チタン（ＮｉＴｉ）、鉄−マンガン−シリコン（Ｆｅ−Ｍｎ−Ｓｉ）、または銅−亜鉛−アルミニウム（Ｃｕ−Ｚｎ−Ａｌ））等が挙げられるが、これらに限定されない。
【０３３１】
一実施例は、弾性係数を３７℃で１０倍に変化させるポリウレタンから形成されたセンサ本体を含む。他の実施例は、電気刺激または放射（例えば、ＵＶ）刺激がセンサ挿入直後に適用されると軟化するポリウレタンコポリマー等から形成されたセンサ本体を含む。
【０３３２】
センサ
本明細書に記載されるある特定の実施形態は、別個のアプリケータを使用せずに、すなわち、センサデバイスそのもの以外を用いることなく、経皮センサをホストに直接挿入するための種々の機序を提供する。ワイヤ、特に細いワイヤ状の幾何形状を有する経皮センサ（例えば、電極）の直接押圧挿入は、センサと関連する座屈の危険性のため、技術的に困難であり得る。センサの直接押圧挿入はまた、挿入プロセス中にセンサの上に配置された膜を損傷することに関連する課題も呈する。膜を保護しなければ、膜は、挿入プロセス中にセンサから剥がれ落ちるか、または機械的損傷を受け得る。センサの先端部に露出した金属（または他の導電性材料）を有さないようにすることも望ましく、これは、露出した金属が、電気活性であり得、バックグラウンドシグナル（ノイズ）を加える、及び／またはセンサの感度を変動させ得るためである。本明細書に記載される実施形態は、皮下センサの直接挿入のために（例えば、カラム強度等の機械的／構造的特性の形態で）構造的支持を提供することができ、挿入プロセス中の損傷から膜を保護することができる小型センサデバイスを提供することによって、前述の課題を克服するように設計される。
【０３３３】
一部の実施形態において、センサは、電極（例えば、作用及び／または基準電極）をセンサ本体（例えば、コア）に印刷することができる構成で設計される。材料を平面基材に印刷することとは異なり、材料（例えば、電極材料）をワイヤに印刷することは、本明細書に記載されるセンサの実施形態の大半の場合等、特に、４００ミクロン（μｍ）未満の直径を有する、埋め込みを目的とするワイヤに、固有の課題を呈する。図１１〜１４は、ワイヤ形状で形成されたセンサ本体に電極を印刷することができる種々のセンサ設計を図示する。
【０３３４】
図１１は、センサ１０００の前面図であり、図１２は、センサ１０００の背面図である。図１１を参照すると、センサ１０００は、非導電性の外層またはジャケット１００４を有する導電性コアワイヤ１００２を備える。コアワイヤ１００２は、一部の実施形態では、白金、タンタル、白金−イリジウム等であるがこれらに限定されない導電性金属であり得るか、または他の実施形態では、非導電性材料（例えば、ポリマーまたは非導電性金属）材料から形成されてもよい。一部の実施形態では、コアワイヤ１００２は、電極（例えば、作用、基準、または対向電極）を形成し得る。非導電性ジャケット１００４は、ポリウレタン、パリレン、シリコーン、ポリウレタン、ポリイミド、またはポリアミド−イミド等であるがこれらに限定されない、ポリマーであり得る。軸方向に間隔が空いた電極１００８、１０１０が、非導電性ジャケット１００４上に提供される。一実施形態において、センサは、コアワイヤ１００２から形成される第１の電極、第２の電極１００８、及び第３の電極１０１０を備える。電極１００８、１０１０は、例えば、白金、白金−イリジウム、炭素、銀、銀／塩化銀、及び／または電極（例えば、作用、基準、もしくは対向電極）を形成するために用いられることが既知の任意の他の材料であり得るが、これらに限定されない。
【０３３５】
図１２を参照すると、電極１００８は、ジャケット１００４の外周全体に延在しない。外周における間隙は、電極１０１０と導電性構成要素１００６との間で、接触して接合するように構成される導電性トレース１０１２がジャケット１００４に沿って延在することを可能にする。導電性トレース１０１２と電極１００８との間の接触を防ぐように、電気絶縁性材料の層１０１４が導電性トレース１０１２の上を覆う。一実施例において、本システムは、基準電極または対向電極を含む電極１００８、ならびに作用電極を含む第１及び第３の電極１００２、１０１０の３つの電極を備える。３つの電極を有するシステムの別の実施形態では、電極１０１０が基準または対向電極として機能し、一方で電極１００８が作用電極として機能する。別の実施例では、本システムは、２つの電極を備える。１つのそのような実施形態において、コアワイヤ１００２は、作用電極として機能せず、したがって、非導電性材料から形成されてもよい。この実施形態では、電極１００８または１０１０のうちの一方が作用電極として機能し、他方の電極１００８または１０１０が基準または対向電極として機能する。
【０３３６】
前述のように、図１１及び１２のセンサ１０００は、有利なことに、３−Ｄ印刷等の印刷によって形成される。例えば、第２及び第３の電極１００８、１０１０は、非導電性ジャケット１００４の外側に印刷されてもよい。センサ１０００の遠位端１０１６が鋭利化されて、組織刺入先端部（示されない）が形成され得る。
【０３３７】
コア１００２が電極として機能しない実施形態では（例えば、電極が２つのセンサシステムでは）、センサ１０００のコア１００２の遠位端１０１６は、非導電性であってもよく、その結果、それがバックグラウンドシグナルを生成することはない。例えば、導電性コアワイヤ１００２は、遠位端１０１６で、電気化学的重合により不活性化させることができる。他の実施形態では、センサの遠位端１０１６は、例えば、ポリウレタン、パリレン、シリコーン、ポリウレタン、ポリイミド、ポリアミド−イミド、または他の絶縁材料（複数可）等の非導電性材料によってキャッピングされてもよい。
【０３３８】
図１３及び１４は、本実施形態による、直接押圧挿入を行うように構成される別のセンサ１０２０を図示する。図１３は、センサ１０２０の前面図であり、図１４は、センサ１０２０の背面図である。センサ１０２０は、コアワイヤ１００２が省略され得ることを除き、図１１及び１２のセンサ１０００といくらか類似している。代わりに、図１４に示されるように、電極１０２２、１０２４、１０２６は、非導電性層１０２８上に提供され、非導電性層１０２８の外側表面上に提供される導電性トレース１０３０、１０３２、１０３４によりセンサ電子機器（示されない）に電気接続される。示される実施形態では、電極１０２４は、非導電性層１０２８の外周全体には延在しておらず、それによって、短い回路を用いることなく、電極１０２４の周囲の電極１０２６の導電経路を提供する。同様に、電極１０２２もまた、非導電性層１０２８の外周全体には延在しておらず、それによって、電極１０２２の周囲の電極１０２６及び１０２８の導電経路を提供する。電極１０２２、１０２４、１０２６は、作用電極、基準電極、及び／または対向電極であり得る。例えば、一実施形態では、電極１０２６が作用電極として機能し、一方で電極１０２４は基準電極として機能し、電極１０２２は、対向電極として機能する。図１１〜１４に図示される要素、ならびに本明細書に提供される全ての他の図は、縮尺通りに描かれていない場合があり、これらは、単に、本実施形態を図示し、そのより良好な理解を助けるために提供される。
【０３３９】
図１１〜１４に示される実施形態は、電極の印刷を可能にする構成を有するように設計されているが、そのようなセンサ設計は、代替として、または加えて、本明細書またはその他のものに記載される任意の様々な技法によって製造することができる。
【０３４０】
しばしば、センサの幾何形状及び膜の特性は、鋭利化された先端部では制御することが困難な場合がある。この領域には損傷の可能性も存在する。したがって、先端部は、作用電極の一部ではないことが望ましいであろう。さらに、電極材料（例えば、白金）は、高価であることが多く、そのような材料（複数可）の使用を低減させること（例えば、先端部を電極の一部にしないことによって）が、有利であり得る。図１５は、本実施形態による、直接押圧挿入を行うように構成される別のセンサ１０４０を図示する。この実施形態では、センサ１０４０は、コアワイヤ１０４２と、ワイヤ１０４２に沿って提供される２つの電極１０４４、１０４８とを含む。代替的な実施形態では、センサは、１つ、３つ、４つ、５つ、またはそれ以上の電極を備えてもよく、これらの電極のうちの少なくとも１つが作用電極であり、これらの電極のうちの少なくとも１つが対向または基準電極である。コアワイヤ１０４２は、導電性材料（例えば、タンタルもしくはステンレス鋼）またはポリマーもしくは非導電性金属等の非導電性材料から形成され得る。
【０３４１】
図１５を再び参照すると、電極１０４４、１０４８は、白金、白金−イリジウム、炭素、銀、銀／塩化銀、及び／または電極（例えば、作用、基準、もしくは対向電極）を形成することが既知の任意の他の材料等であるがこれらに限定されない、導電性材料を含み得る。一実施形態において、電極１０４４、１０４８はいずれも作用電極であり、したがって、集合的に作用電極のアレイが形成される。この具体的な実施形態では、電極１０４４、１０４８は、導電性トレースまたは経路を共有することができる。別の実施形態では、一方の電極が作用電極であり、他方の電極が基準または対向電極である。一部の実施形態では、コアワイヤ１０４２は、複数の導電性材料層で包囲されてもよく、２つの導電性材料層につき少なくとも１つの絶縁層がその間に配置される。これらの実施形態では、作用電極は、それぞれが、個々の導電性層を通じた電気接点への専用の電気接続を有する。
【０３４２】
センサ１０４０を作製するための１つのプロセスにおいて、コアワイヤ１０４２は、基材１０４６上に位置付けられ、電極１０４４、１０４８が白金ペーストを用いてコアワイヤ１０４２上に印刷され得る（例えば、パッド印刷によって）。パッド印刷または３−Ｄ印刷等であるがこれらに限定されない、任意の様々な印刷技法を使用することができる。白金ペーストの層を、選択的に、非導電性コアワイヤ１０４２の長さに沿って選択的に配置することにより、有利なことに、材料の使用を低減させ、非電気活性なセンサ先端部を維持することができる。ワイヤコア１０４２が複数の導電性材料層（絶縁層がその間に配置される）によって被覆される一部の実施形態では、これらの導電性材料は、例えば、タンタル等の電気活性でない導電性材料から形成されてもよい。次いで、いずれも導電性かつ電気活性である白金または銀／塩化銀の層を、これらの導電性層にパッド印刷して電気活性表面を形成し、それによって電極を形成することができる。タンタル及び他の導電性非電気活性材料の原材料費は、導電性かつ電気活性である材料（例えば、白金）よりも低くなり得るため、この方法を用いることにより、低費用でセンサを製造することができる。
【０３４３】
センサ挿入の容易さと患者の快適さとの間には相反関係が存在することが多い。剛性で非可撓性の材料で形成されたセンサは、その他の点が全て同じであるとして、軟性で可撓性のセンサよりもセンサ挿入中に座屈する可能性が低い。しかしながら、埋め込んだ後、その剛性と非可撓性とに起因して、そのようなセンサは、特にセンサ部位に通常の動きがある場合に、センサを着用している患者にとって快適ではない可能性がある。対照的に、軟性で可撓性の材料で形成されたセンサは、センサ挿入中に座屈する可能性が高く、したがって、直接的な挿入による埋め込みのための実行可能なセンサ設計ではない可能性がある。
【０３４４】
図１６及び１７は、上述の２つの設計基準を克服する１つの概念を図示する。図１６を参照すると、センサ１０６０は、平面基板に基づくセンサ等、平坦な基板上に形成される。センサ１０６０は、本明細書に記載される任意のセンサ特徴（例えば、電気活性表面及び膜）と、任意の従来的な埋込み式センサに見られる任意の特徴とを組み込むことができる。センサ挿入の前に、平板を、図１７に示されるように、円筒状に丸める。丸めた円筒形は、埋め込み手順中にホストの皮膚及び組織に押圧挿入するのに十分なカラム強度を与える。平面センサを丸めることにより、２つの対向する縁部１０６４、１０６６が一箇所に集まる、重なり領域１０６２ができる。重なり部分は、当業者には理解されるように形成される、例えば、接着剤、結合層、仮接着剤等で互いに固定され得る。例えば、接着剤を、重なり領域１０６２に適用してもよく、ここで、接着剤は、センサ１０６０が埋め込まれた後に溶解する。接着剤が溶解すると、丸まっていた基板が広がり、再びその平面形状となる（図１６）。平面センサ１０６０は、丸まったセンサ１０６０よりも柔軟であり得るため、センサ１０６０がホストにとってより快適となり得る。あるいは、接着剤は完全に溶解しなくてもよく、代わりに、単に弱まり得、これにより、完全に広がることなくセンサ１０６０の可撓性または柔軟性が向上し得る。図示される実施形態では、センサ１０６０は、その平面形態（図１６）及びその丸まった形態（図１７）のいずれにおいても、平面または直線状の先端１０６８を含む。しかしながら、センサ１０６０は、その平面形態及びその丸まった形態のいずれか、またはその両方において、センサが挿入針の先端の（鋭利な）形状を模倣するように、斜角をつけた先端を含んでもよい。その固有な設計により、図１６及び１７に図示されるセンサ１０６０は、センサ挿入中の座屈に対する強力な耐性と、挿入後の患者の快適さとの両方を提供する。
【０３４５】
他の実施形態では、センサのカラム強度は、センサ挿入中の座屈の可能性を完全に防止するには充分でない場合がある。これには、多数の可能性のある理由が存在する。例えば、センサは、患者により良好な快適さを提供するために、柔らかさと可撓性に焦点をあてて設計されている可能性がある。挿入中のセンサの座屈の危険性を低減するために、一部の実施形態では、センサ挿入中のさらなるカラム強度をセンサに提供するために、シースを用いてもよい。
【０３４６】
さらに、シースは、少なくとも部分的に（例えば、管腔内表面）、膜を損傷する危険性を低減する特性を有する材料から形成されるように設計され得る。使用され得る材料には、シリコーンゴム、ポリウレタン、ナイロン、例えば、膜の損傷を引き起こさない（または僅かな損傷を引き起こすに過ぎない）任意の他の材料が挙げられるが、これらに限定されない。さらなるカラム強度を提供することに加えて、シースはまた、センサが展開時に皮膚及び／または組織を通るときに、皮膚及び／または組織との接触（及びそれらによってもたらされる剪断力）から膜を保護することができる。一部の実施形態では、シースの管腔内表面は、潤滑性である、すなわち、摩擦係数が低く、それによって、シースを後退させる際に存在し得る摩擦を低減する。これにより、摩損によって誘発される可能性のある損傷から膜を保護する。潤滑性表面は、シリコーン、脂肪酸、フッ素化ポリマー（例えば、ＰＴＦＥ）、または他の同様の材料といった表面改質添加剤（複数可）を局所コーティングする及び／またはそれらシースの基材にそれらを配合することによって、作製することができる。
【０３４７】
図１８を参照すると、センサ１０７０は、挿入手順中に膜１０７４を被覆する後退式導入シース１０７２を含む。導入シース１０７２は、挿入手順中に膜１０７４を保護するだけでなく、センサ１０７０を支持し、座屈に対する耐性を向上させるための追加のカラム強度をセンサ１０７０に提供することもできる。挿入後、導入シース１０７２を後退させ（図１９）、膜１０７４が被覆されていないセンサ１０７０をホストの皮膚及びその下の組織内に埋め込んだままにする。
【０３４８】
図１９を参照すると、図示される実施形態において、センサ１０７０は、センサ本体１０７８のものよりも大きな直径を有する組織刺入要素１０７６を含む。しかしながら、図示される構成要素の相対寸法は、一例に過ぎず、限定するものではない。導入シース１０７２は、組織刺入要素１０７６の直径と実質的に同じかまたはそれよりも小さい外径を有し得る。代替的な実施形態では、組織刺入要素は提供されなくてもよい。導入シース１０７２の長さは、センサ本体１０７８の長さに実質的に等しいか、それよりも短いか、またはそれよりも長くてもよい。上述のように、センサ１０７０の挿入後に、導入シース１０７２は、皮膚から引き抜かれる。導入シース１０７２は、載置ユニット（示されない）に引き抜かれてもよい。例えば、載置ユニットは、手動で（ユーザによって）か、または自動で（電子機器ユニットと載置ユニットとの接続によってトリガされる機械的設計によって）シースを除去するように起動され得るプルタブを含んでもよい。
【０３４９】
しばしば、保護されていない膜は、センサ挿入中に損傷を受ける、及び／または離層し得る。これにより、埋め込み式センサを使用できなくなる可能性がある。一部の実施形態では、センサは、遠位端にセンサの他の部分よりも大きな断面プロファイルを有する部分を伴うように設計される。この構成により、防護効果がもたらされ、それによって、センサ挿入中にセンサが組織を通って摺動するときに、上述の遠位端の部分により、センサの他の部分が組織と接触することが（部分的または完全に）防護される。一部の実施形態では、センサ本体及び／または組織刺入要素の表面の１つ以上の領域は、生物活性剤を保持するためのリザーバまたは貯蔵場所として機能するように構成される、１つ以上の陥凹部分（例えば、空洞、くぼみ、開口部、溝、チャネル等）を含み得る。陥凹部分は、意図される用途に従って、任意の事前に選択された位置に形成され、事前に選択された深さ、サイズ、幾何構成、及び／または寸法を有し得る。リザーバまたは貯蔵場所を使用することで、センサが保持及び送達することができる生物活性剤の量を増加させることができる。さらなる実施形態では、センサ本体及び／または組織刺入要素は、空洞を有する中空であり、種々の通路を介してその表面上の１つ以上の開口部と接続されてもよく、結果として、生物活性剤が開口部を介して空洞から放出され得るようになる。一部の実施形態では、センサ本体及び／または組織刺入要素は、上に膜が配置されたセンサを支持するように成形及び寸法決定される、ポケットを備え得る。
【０３５０】
図２０〜２２は、前述の概念を設計に組み込んだ実施形態を図示する。図示されるように、各センサ１０８０、１０８２は、センサの長さに沿って延在する少なくとも１つの陥凹領域またはトラフを画定する断面を含む。図２０及び２１を参照して、センサ１０８０は、遠位端１０８５（図２１）を除き、センサの長手方向軸の長さ全体にわたって４つの等間隔のトラフ１０８４を画定する「正符号」形状またはｘ字型の断面を画定する。遠位端１０８５において、センサ１０８０は、センサ１０８０の遠位端にセンサ１０８０の残りの部分よりも大きな断面プロファイルを提供する複数の外周区画１０８８を備える。図２２を参照すると、その長手方向軸に沿って、センサ１０８２は、トラフまたは切り欠き部がなく、断面が完全に円形である遠位端１０８７を除き、単一のトラフまたは切り欠き部１０８６を有する円形の断面を画定する。トラフ１０８４、１０８６は、電極及び電極を被覆する膜を配置するための空間を画定することができ、結果として、電極及び膜は、センサ１０８０、１０８２の外周囲１０８８、１０９０と少なくともぴったり重なるか、または好ましくはその下に陥凹するようになる。電極及び膜を陥凹させる（またはそれらをセンサの外周囲とぴったり重ねて位置付ける）ことにより、膜とホストの皮膚及び組織との間に空間を作ることによってセンサ挿入手順中にホストの皮膚／組織により引き起こされる剪断力による損傷から膜を保護する。トラフは、センサ挿入中に膜をさらに保護するために、センサ本体の先端部まで完全に延在していなくてもよい。センサ１０８０、１０８２が挿入された後、ホストの組織の定着／弛緩により、適正なセンサの機能に必要とされる、電極とホストの体液との間の所望される接触が増加する。図２０〜２２に図示される断面形状は、単なる例である。本実施形態は、限定することなく、任意の一般的な多角形、星形（任意の数の点を有する）、四角形、五角形、七角形、八角形、楕円形等を含む、任意の様々な断面形状のセンサを含む。本実施形態は、例えば、１個、２個、３個、５個、９個、１２個、またはそれ以上の電極を位置付けるための任意の数のトラフを有し得る。
【０３５１】
図２３は、本実施形態による、直接押圧挿入を行うように構成される別のセンサ１１０２を図示する。図２３のセンサ１１０２は、挿入プロセス中にセンサ１１０２を被覆する保護シース１１０４を含む。センサ１１０２を挿入した後、シース１１０４を部分的または完全に後退させて、センサ１１０２及び／またはセンサ先端部１１０６を露出させる。図１８に図示される実施形態と同様に、保護シース１１０４は、挿入手順中に膜を保護するだけでなく、座屈に対する耐性を向上させるための追加のカラム強度も提供することができる。さらに、シースは、シース／センサアセンブリの体積及び断面積を増加させる。したがって、シースが除去されると（部分的または完全に）、シースと周囲の組織との間に小さな空間が生じ得る。この空間は、次いで、組織がセンサに向かって移動するにつれて、周囲組織によって埋められるようになる。理論に束縛されることを望むものではないが、組織がセンサに向かって移動し、それと接触する場合には、逆の場合よりも良好な組織−センサインターフェースが形成され得る（例えば、外傷がより少ない、炎症がより少ない、出血の危険性がより少ない等）。
【０３５２】
図２４は、本実施形態による、直接押圧挿入を行うように構成される別のセンサ１１０８を図示する。センサ１１０８は、１つ以上の貫通穴１１１０を含み、膜（複数可）１１１２は、この貫通穴１１１０の中に配置される。図示される実施形態では、センサ１１０８は、組織刺入遠位先端部１１１４を含むが、代替的な実施形態では、組織刺入遠位先端部１１１４は省略されてもよい。一部の実施形態では、貫通穴は、ある特定のセンサ特性を強化するように成形及び寸法決定される。図２４に示される貫通穴１１１０は実質的に円形であるが、一部の実施形態では、貫通穴は別様に成形または寸法決定されてもよい。これらの違いは、これらの貫通穴のそれぞれにおける電気活性表面の挙動が異なる、及び／または測定が異なることをもたらし得る。例えば、深い貫通穴は、浅い貫通穴と比較して、より大きな体積の間質液を含むことができる。したがって、一部の状況では、深い貫通穴に対応する電極は、より良好なシグナル対ノイズ比または何らかの他の特性を提供し得る。一方で、浅い貫通穴に入る水の体積は入れ替わりの速度が速く、浅い貫通穴に対応する電極はより少ない遅延時間の問題を有し得、これは、患者の分析物濃度が急速に変化する場合には重要であり得る。他の実施形態では、様々な貫通穴の形状及び寸法は、様々な種を測定するために様々に設計され得る。例えば、貫通穴のうちの１つは、別のものとは異なり、対応する電極が別の分析物（例えば、グルコース）ではなく酸素を良好に測定することができる、形状及び／または寸法を有し得る。
【０３５３】
貫通穴の代わりに、またはそれに加えて、センサは、膜（複数可）が中に配置される１つ以上のくぼみ１１１８を含んでもよい。例えば、図２５は、本実施形態による、直接押圧挿入を行うように構成される別のセンサ１１１６を図示する。図２５に示されるセンサ１１１６は、その外表面に、複数のくぼみ１１１８、または凹み、または細孔、または空洞等（単純さのため、これ以降本明細書ではくぼみ１１１８と称する）を含む。くぼみ１１１８は、あるパターンで配設されてもよく、または無作為に配設されてもよい。
【０３５４】
一部の実施形態では、センサ１１１６は、非導電性成分（例えば、ポリマー膜材料）中に分散された導電性成分を含む、粒子含有膜系によって被覆され得る。導電性成分は、膜系全体に分散した複数の導電性粒子を含み得、これらのうちのいくつかは、少なくとも部分的に、シグナルを生成する導電性粒子によって測定される種を生成するように構成される酵素材料（例えば、グルコースオキシダーゼ）によって被覆される。導電性粒子は、例えば、白金、白金−イリジウム、グラファイト、銀、塩化銀、炭素、及び／または導電性ポリマーといった、任意の様々な導電性電気活性材料を含み得る。
【０３５５】
他の実施形態では、くぼみ１１１８のうちのいくつかまたはくぼみ１１１８のうちの全て等、くぼみ１１１８のうちの少なくとも１つは、酵素及び／または膜材料を含有し得る。例えば、膜は、センサ１１１６の外表面とぴったり重なり得るか、またはセンサ１１１６の外表面の下に陥凹してもよい。膜（複数可）を陥凹させる（またはそれらをセンサ１１１６の外表面とぴったり重ねて位置付ける）ことにより、膜とホストの皮膚及び組織との間に空間を作ることによってセンサ挿入手順中にホストの皮膚／組織により引き起こされる剪断力による損傷から膜を保護する。センサ１１１６が挿入された後、ホストの組織の定着／弛緩により、適正なセンサの機能に必要とされる、電極及び／または膜とホストの体液との間の所望される接触が増加する。あるいは、膜は、センサ１１１６の外表面から突出してもよい。図２５に示されるセンサ１１１６は、弱い押圧力でも容易なセンサ挿入及び周囲組織との摩擦の低減を可能にするために、親水性材料から形成された外側の生体保護層（示されない）または生体界面層をさらに含む。
【０３５６】
一部の実施形態では、センサは、センサ挿入中の座屈に対するさらなる耐性を提供するために、さらなるカラム強度を提供する剛性外層を備えてもよい。
【０３５７】
図２６は、本実施形態による、直接押圧挿入を行うように構成される別のセンサ１１２０を図示する。センサ１１２０は、酵素及び／または膜材料１１２４を受容するように構成される、複数の軸方向に間隔が空いたくぼみ１１２２を含む。センサ１１２０は、限定することなくグルコースを含む、１つ以上の選択された分析物に透過性である材料でできた外層１１２６をさらに含む。外層１１２６は、センサ挿入手順中に下にあるセンサ１１２０／膜１１２４系を防護及び保護するだけでなく、挿入中の座屈に対する耐性のための硬性及び／または増加したカラム強度も提供することができる。外層１１２６は１つ以上の選択された分析物に極めて透過性であるため、それは、センサ１１２０の機能性に実質的な悪影響を有さない。
【０３５８】
本明細書に記載される実施形態のいずれも、外層を組み込むことができる。外層１１２６の材料の例としては、限定することなく、非グルコース制限性ヒドロゲル（ｎｏｎ−ｇｌｕｃｏｓｅ  ｌｉｍｉｔｉｎｇ  ｈｙｄｒｏｇｅｌ）、ポリマー及び／もしくは炭水化物フィルム（例えば、酢酸セルロースフィルム）、または分析物（例えば、グルコース）がそこを通ることを可能にする微小孔構造もしくはマイクロチャネルを有する金属フィルム、または金属もしくは硬質ポリマーから形成され、分析物がそこを通ることを可能にするようにサイズ決定された開口部を有して形成される、格子構造が挙げられる。使用することができるポリマー及び／または糖類には、限定することなく、シアノアクリレートポリマー、ポリウレタン、ポリウレタン尿素、ポリアクリレート、ポリスチレン、ポリスルホン、ポリエーテルケトン、ポリカーボネート（例えば、ポリトリメチルカーボネート）、ポリイミド、ポリエステル、ポリエーテル、エポキシド、マルトース、ＰＶＰ、ポリエチレン、Ｌ−ラクチド、またはポリカプロラクトンが挙げられる。
【０３５９】
上述のように、外層１１２６の硬度は、さらなるカラム強度をセンサに提供し、膜を保護するその能力を強化することができる。外層を備える本出願に記載される任意のセンサに関して、外層は、ショアＡ基準で硬度が約３０〜約９５、ときには約７０〜約９０であり、約５０〜約７０であるときもある、材料を用いて形成され得る。
【０３６０】
図２７は、本実施形態による、直接押圧挿入を行うように構成される別のセンサ１１２８を図示する。センサ１１２８は、重なっている膜１１３２及びセンサ１１２８／膜１１３２系の上に配置される保護外層１１３４を有するセンサ本体１１３０を含む。保護外層１１３４は、センサ挿入手順中に下にあるセンサ１１２８／膜１１３２系を防護及び保護するだけでなく、カラム強度の増加及び挿入中の座屈に対する耐性のための硬性及び／または剛性も提供し得る。保護外層１１３４は、例えば、限定することなく、ポリマー等の溶解性材料を含み得る。一部の実施形態では、保護層は、乾燥させたとき、及び／または室温（もしくは室温よりも低い）ときに剛性状態にある材料から形成される。この剛性状態では、保護層は、挿入中の損傷から膜を保護し、さらにセンサのカラム強度を向上させ、それによって挿入を可能にする。体温及び／または水和に曝されると、保護層は軟性かつ可撓性となる。この状態で、保護層は患者着用者により良好な快適さを提供する。溶解性及び／または分解性ポリマーの例としては、限定することなく、ポリビニル−ピロリドン（ＰＶＰ）、カラメル等の重合糖類、ポリ酢酸ビニル、ポリエチレングリコール、ポリエステル、ポリアミノ酸、ポリカーボネート、ポリ無水物、ポリ乳酸、ポリグリコール酸、ポリジオキサノン、ポリヒドロキシ酪酸、ポリヒドロキシ吉草酸、ポリカプロラクトン、ポリ無水物（例えば、骨格もしくは側鎖に脂肪族ポリ無水物、または側鎖にベンゼンを有する芳香族ポリ無水物）、ポリオルトエステル、ポリアミノ酸（例えば、ポリ−Ｌ−リジン、ポリグルタミン酸）、偽ポリアミノ酸（例えば、ポリアミノ酸の骨格が改変されている）、ポリシアノアクリレート、ポリホスファゼン、ならびにこれら及び他の類似のポリマーの組み合わせもしくはコポリマーが挙げられる。ポリマーでない溶解性材料の例には、限定することなく、糖類（例えば、マルトース）、液体オレイン酸、ビタミンＥ、ピーナツ油、及び綿実油、ならびに他の類似の化合物が挙げられる。センサ１１２８を挿入し、保護外層１１３４が溶解した後、センサ１１２８は、ホストの快適さの強化のため、より可撓性となる（コーティングされたセンサ１１２８と比較して）。あるいは、保護外層１１３４は、完全に溶解するわけではないが、ホストへの挿入後に軟化して、センサ１１２８の快適さ及び着用感を強化する、材料を含んでもよい。軟化性材料の例としては、限定することなく、親水性ポリマー、形状記憶ポリマー、例えば、限定されないが、ポリウレタン、ポリエステル、ポリアミド、ポリカーボネート、ポリエーテル、ポリ乳酸、ポリグリコール酸、ポリジオキサノン、ポリヒドロキシ酪酸、ポリヒドロキシ吉草酸、ポリカプロラクトン、ポリ無水物、ポリオルトエステル、ポリアミノ酸、偽ポリアミノ酸、ポリシアノアクリレート、またはポリホスファゼン、及びこれらのコポリマー、配合物、または組み合わせ、ならびに同様のポリマーが挙げられる。保護外層１１３４は、センサ本体１１３０及び膜１１３２を外層１１３４材料の溶液に浸漬させ、それが続いて凝固し、硬化することによって、形成され得る。浸漬プロセスは、挿入を補助するために先端部１１３６でより薄いコーティングをもたらすように調整することができる。溶液は、反応性及び非反応性であり得、反応性溶液は、保護強度及び挿入のための機械的支持を増加させるようにさらに反応させることができる。
【０３６１】
図２８は、本実施形態による、直接押圧挿入を行うように構成される別のセンサ１１３８を図示する。センサ１１３８は、剛性または堅い材料からできた外層１１４０を含む。外層１１４０は、センサ１１３８の実質的に全てを被覆するが、少なくとも１つの開口部または窓１１４２を含む。窓（複数可）１１４２は、電極（及び電極に重なっている任意の膜（複数可））が、ホストの組織及び／または体液との接触のために露出されるように、電極の上に位置付けられる。外層１１４０は、センサ挿入手順中に下にあるセンサ１１３８／膜系を防護及び保護するだけでなく、挿入中の座屈に対する耐性のための硬性及び／または増加したカラム強度も提供することができる。外層１１４０の例示的な材料には、限定することなく、シアノアクリレートポリマー、ポリウレタン、ポリウレタン尿素、ポリアクリレート、ポリスチレン、ポリスルホン、ポリエーテルケトン、ポリカーボネート（例えば、ポリトリメチルカーボネート）、ポリイミド、ポリエステル、ポリエーテル、エポキシド、マルトース、ＰＶＰ、ポリエチレン、Ｌ−ラクチド、またはポリカプロラクトンが挙げられる。
【０３６２】
図２９は、本実施形態による、直接押圧挿入を行うように構成される別のセンサ１１４４を図示する。センサ１１４４は、金属または任意の他の導電性材料を含み得る、導電性ワイヤ１１４６を含む。外側コーティング１１４８が、ワイヤ１１４６上に配置される。外側コーティング１１４８は、ワイヤ１１４６よりも高い厚さを有し得る。例えば、外側コーティング１１４８は、ワイヤ１１４６よりも１．５倍厚くてもよい、ワイヤ１１４６よりも２倍厚くてもよい、ワイヤ１１４６よりも２．５倍厚くてもよい、ワイヤ１１４６よりも３倍厚くてもよい、ワイヤ１１４６よりも３．５倍厚くてもよい、または外側コーティング１１４８は、ワイヤ１１４６に対して任意の厚さを有してもよい。外側コーティング１１４８は、限定することなく、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシド、ポリテトラフルオロエチレン、及びこれらのコポリマー、組み合わせ、または配合物といった、ポリマーを含み得る。
【０３６３】
外側コーティング１１４８は、電極（複数可）の位置（複数可）に対応する、少なくとも１つの開口部または窓１１５０を含み得る。例えば、窓（複数可）１１５０は、レーザアブレーション等、アブレーションによって形成されてもよい。膜１１５２は、窓（複数可）１１５０内に配置され得、外側コーティング１１４８の外表面の下に陥凹してもよい。陥凹膜１１５２は、センサ挿入プロセス中、ホストの皮膚及び／組織から離れており、それによって、膜１１５２とホストの皮膚及び／または組織との間の摩擦に起因して生じ得る損傷から膜１１５２を保護する。
【０３６４】
センサ１１４４は、限定することなく、窓（複数可）１１５０の領域（複数可）において、膜１１５２に重なった、限定することなくヒドロゲル等である高透過性外層１１５４をさらに含む。高透過性外層１１５４は、高透過性外層１１５４の下に位置付けられる膜１１５２及び／または電極（複数可）への損傷に対する機械的緩衝を提供する。
【０３６５】
有利なことに、図２９のセンサ１１４４は、リール・ツー・リールの連続した処理を可能にするが、これは必須ではない。さらに、所望される場合、図２９に示される構成要素の全てまたは一部を含む、全センサ１１４４アセンブリを、レーザアブレーション及び／または機械的ダイによりさらに処理して、任意の過剰な材料の除去及び／またはホストの組織に面する新たな縁部の作成を行ってもよい。
【０３６６】
図３０は、本実施形態による、直接押圧挿入を行うように構成される別のセンサ１１５６を図示する。センサ１１５６は、センサ１１５６の１つ以上の領域にのみ適用される膜１１５８を含む。膜１１５８は、センサ１１５６の外表面１１６０とぴったり重なってもよく、センサ１１５６の外表面１１６０の下に陥凹してもよく、またはセンサ１１５６の外表面１１６０から突出してもよい。膜１１５８がセンサ１１５６の外表面１１６０とぴったり重なるか、またはその下に陥凹する実施形態では、膜１１５８は、センサ１１５６の外表面１１６０内の１つ以上の開口部または窓内に位置付けられ得る。膜１１５８は、印刷、または成膜が部位特異的であり得る場合にはリソグラフィー処理といった、任意の所望されるプロセスに従ってセンサ１１５６に適用することができる。一部の実施形態では、印刷が、非常に局在化した制御された成膜を可能にするため、好ましい。
【０３６７】
図３０のセンサ１１５６の外表面１１６０は、膜１１５８以外の領域に、限定することなく、ポリテトラフルオロエチレン（ＰＴＦＥ）、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシド、及びこれらの組み合わせ、配合物、またはコポリマーといった、ポリマーを含み得る。ポリマーの遠位端には、皮膚及び／または組織に穿通するように構成され、挿入に望ましい特性を有する、刺入先端部１１６２が含まれ得る。図３０のこのセンサ１１５６は、有利なことに、膜１１５８を先端部１１６２に適用することにより遠位先端部１１６２を「鈍化」しないことによって、センサ１１５６を作成するプロセスを単純化する。図３０のこのセンサ１１５６は、有利なことに、本明細書の他の箇所に記載される任意の実施形態等、他の形態の膜保護と組み合わせて使用することができる。
製造技法
【０３６８】
本実施形態の一態様は、分析物センサの膜を形成するために使用される材料は軟性であることが多く、したがって、センサが皮膚及び／または組織を前進するときに離層する（すなわち、剥がれる、及びときには剥離する）傾向にあるという認識を含む。この問題は、センサがまず膜でコーティングされた後に、先端部が鋭利化されるプロセスによって形成されるセンサで特に深刻である。このプロセスは、センサ本体を露出させ、センサ本体の先端部に、側面を包囲する薄い膜のコーティングを残す。本実施形態のうちのいくつかは、膜を適用した後に、先端部を損傷することなく先端部を形成し、同時に先端部の完全性を維持する方法を含む、この問題に対する解決策を提供する。
【０３６９】
センサ製造に関して、膜コーティングステップが鋭利化された先端部形成ステップに先行すべきかどうか、または鋭利化された先端部形成ステップが膜コーティングステップに先行すべきかどうかに関する２つのアプローチがある。第１のアプローチでは、膜は、鋭利化された遠位端を形成する浸漬の前にセンサ加工部材にコーティングされる。この第１のアプローチでは、技術的課題は、膜への損傷をもたらすことなく、及び／または過剰な膜を先端部に作成することなく、鋭利化された先端部の作成を可能にする技法を見つけることを伴う。
【０３７０】
図３０Ａ及び３０Ｂを参照すると、第１のアプローチを採用する１つの方法では、膜１１６１がセンサ加工部材１１６３にコーティングされる。浸漬を伴う一部の事例では、ビーズ１１６５（図３０Ａ）が加工部材１１６３の一端に形成され得る。次いで、例えば、レーザアブレーション、または機械的切断もしくは研削を用いて、加工部材１１６３の遠位端を鋭利化して先端部１１６７にする（図３０Ｂ）。これを行うことにより、加工部材１１６３の遠位端のビーズ１１６５が除去される。図示される実施形態において、加工部材１１６３の遠位端を鋭利化することは、加工部材１１６３の片側からのみ材料を除去し、そうして、皮下注射針の先に類似する形状を有する先端部１１６７を形成することを含む。代替的な実施形態では、材料は、加工部材１１６３の両側から除去され、楔形の先端部を形成してもよい。なおもさらなる代替的な実施形態では、材料は、全３６０°で加工部材１１６３から除去され、円錐形の先端部を形成してもよい。
【０３７１】
図３１〜３３は、第１のアプローチを採用する、センサを作成するための別のプロセスを図示する。図３１を参照すると、導電性ワイヤ１１６４は、膜コーティング１１６６を含む。ワイヤ１１６４は、限定することなく、タンタル、白金、ステンレス鋼、白金−イリジウム、銀、塩化銀、パラジウム、または任意の他の金属といった、金属であり得る。
【０３７２】
図３１〜３３のプロセスは、膜１１６６をワイヤ１１６４に適用するステップを含んでもよく、またはこのプロセスは、膜１１６６が既にコーティングされているワイヤ１１６４を用いて開始してもよい。環状チャネル１１６８が、次いで、コーティングされたワイヤ１１６４の外周全体に形成される。チャネル１１６８は、膜１１６６を通って、部分的にワイヤ１１６４に延在する。チャネル１１６８は、機械的切断、研削、レーザアブレーション、加熱等といった、任意のプロセスによって形成され得る。図示される実施形態では、チャネル１１６８はｖ字型の断面を有するが、チャネル１１６８は、任意の様々な断面形状を有してもよい。このプロセスは、膜が遠位先端部を被覆することを防止することがわかっており、これは、他のプロセスでは、続いて膜を先端部から除去しなければならず、それにより別のプロセスステップが追加されるため、有利である。
【０３７３】
図３２を参照すると、チャネル１１６８が形成された後か、またはそれと同時にのいずれかで、コーティングしたワイヤ１１６４に張力が印加される。張力は、チャネル１１６８の領域内でワイヤ１１６４に歪みを誘発し、ワイヤ１１６４のネッキング、及び最終的に破断を引き起こす。ネッキングプロセスは、２つの切断されたワイヤ片１１６４のそれぞれの端部に鋭利な先端部１１７０をもたらし、これらの鋭利な先端部１１７０のそれぞれは、金属であり得る導電性ワイヤ材料１１６４を含む。一部の実施形態では、ワイヤ１１６４のチャネル１１６８を張力に供することに加えて、チャネル１１６８を、さらに加熱に供してもよい。ネッキングプロセス中またはその後に、一部の事例では、先端部１１７０は、軟性及び／または可鍛性状態にあり得る。一部の実施形態では、先端部の表面を、さらなる機械的処理（例えば、シャープナー、研削器、鋳型等の使用により）に供して、遠位先端部が鋭利となるように成形してもよい。この鋭利な先端部１１７０は、有利なことに、センサ挿入プロセス中に皮膚及び／または組織を刺入するために使用することができる。
【０３７４】
図３３を参照すると、コーティングされたワイヤ１１６４を引き裂くことによって形成された鋭利な先端部１１７０を、続いて、保護外層１１７２で被覆して、露出している導電性ワイヤ１１６４及び／または膜１１６６を保護してもよい。保護外層１１７２は、例えば、限定することなく、硬化ポリマー、例えば、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシド、ポリテトラフルオロエチレン、及びこれらのコポリマー、組み合わせ、または配合物を含み得る。加えて、保護外層１１７２は、本明細書または他の箇所に記載される任意の他の保護層材料を含んでもよく、さらに外側保護層に関して本明細書に記載される機械的特性を有してもよい。保護外層１１７２に、任意のプロセス、例えば、反応性モノマー及び／もしくはオリゴマーまたは非反応性ポリマーを事前溶解、混合もしくは分散させた溶液系コーティング、押出、または印刷、あるいはコーティングに関して本明細書または他の箇所に記載される任意の他のプロセスを適用してもよい。
【０３７５】
図３１〜３３のプロセスによって形成されたセンサは、有利なことに、センサ挿入プロセス中に皮膚及び／または組織に刺入するために使用することができる、鋭利な先端部１１７０を含む。ある特定の実施形態では、膜１１６６は、好ましくは、先端部１１７０の鈍化を回避するために、鋭利な先端部１１７０には重ならず、この鈍化により、先端部１１７０が皮膚及び／または組織への刺入にあまり効果的でないものとなる。
【０３７６】
図３４は、上述の第１のアプローチを採用する、センサを作製する別のプロセスに対応しており、ここで、膜は、鋭利化された遠位先端部の形成前にセンサ加工部材にコーティングされる。このプロセスは、膜コーティング１１７６を有するワイヤストック１１７４を含む。ワイヤストック１１７４は、限定することなく、ポリウレタン、ポリウレタン尿素、ポリアクリレート、ポリスチレン、ポリスルホン、ポリエーテルケトン、ポリカーボネート、ポリイミド、ポリエステル、ポリエーテル、ポリアミド、及びこれらの配合物、組み合わせ、またはコポリマーといった、非導電性かつ非電気活性の材料であり得る。図３４のプロセスは、膜１１７６をワイヤストック１１７４に適用するステップを含み得るか、またはこのプロセスは、膜１１７６が既にコーティングされているワイヤストック１１７４を用いて開始してもよい。
【０３７７】
図３４に示されるワイヤストック１１７４はリール１１７８に巻かれており、図３４のプロセスは、連続的なリール・ツー・リールプロセスでの使用に好適である。しかしながら、図３４に示されるリール１１７８は、一例に過ぎず、限定するものではない。
【０３７８】
図３４のプロセスでは、ワイヤストック１１７４の全長が、膜１１７６でコーティングされている。次いで、ワイヤストック１１７４の巻きがリール１１７８から解けるときに、膜１１７６の部分が、ワイヤストック１１７４に沿って間隔を空けた位置で選択的に除去される。膜１１７６は、先端部及び／または最終的なセンサの長さに沿った任意の他の位置等、最終的なセンサに関連する種々の位置で除去され得る。１つの非限定的な実施例では、膜１１７６は、レーザ１１８０を用いてレーザアブレーションプロセスで除去され得る。膜１１７６のある特定の部分が除去された後、ワイヤストック１１７４は、間隔を空けた位置で切り離されて、複数の膜コーティングセンサワイヤが形成される。膜コーティングセンサワイヤは、有利なことに、センサ先端部は、膜１１７６が先端部を平滑にし得、先端部が皮膚及び／または組織への刺入に適さなくなり得る膜１１７６を有さない。
【０３７９】
代替的なプロセスでは、切り離しステップそのものにより、膜１１７６をセンサ先端部から除去してもよい。したがって、例えば、膜１１７６をセンサ先端部から除去するために別個のステップ（切り離しステップ以外に）を行わなくてもよい。さらに別の代替的なプロセスでは、膜の除去及び切り離しステップは、上述のように行われ得るが、ワイヤストック１１７４が、金属等の導電性材料を含み得る。切り離しの後、次いで、別の材料、例えば、ポリマーキャップまたは第２のコーティングを適用してセンサ先端部を被覆して、センサがホストに挿入されたときに先端部がバックグラウンドシグナルを生成することを防止してもよい。
【０３８０】
本明細書の他の箇所に記載されるように、下にある膜を保護するため、またはセンサのカラム強度を向上させるためだけでなく、センサ挿入中のセンサ膜の移動の阻害も行うために、センサの遠位端に剛性材料の層を組み込んだ、埋め込み式センサに対する必要性が存在する。典型的なセンサ膜は脆弱であり、センサ挿入プロセス中に位置がずれ、センサ性能の低下をもたらし得る。センサが、センサワイヤに対して機械的移動をほとんどまたは全く伴うことなく、センサワイヤ上で正しい位置に留まることが好ましい。膜の移動は、膜がもはや電極（複数可）を被覆しないことを引き起こし得る。同様に、極端な例では、膜が、センサから完全に離層することになり得る。加えて、センサ先端部が挿入プロセスの前または最中に露出し、バックグラウンドシグナルを生成する、及び／またはセンサ感受性の変動をもたらす可能性がある。さらに、膜を適用した後に、センサの先端部を研削または別様に処理することが所望されることがある。研削またはその他の処理によりセンサワイヤが露出し得、これもまた、バックグラウンドシグナルを生成する、及び／またはセンサ感受性の変動をもたらす可能性がある。
図３５〜３７を参照すると、センサを作製するプロセスは、鋭利化された遠位浸漬部の形成前にセンサ加工部材に膜をコーティングする、上述の第１のアプローチを採用する。このプロセスは、膜コーティング１１８４を有する導電性ワイヤ１１８２を伴う。ワイヤ１１８２は、本明細書の他の箇所に開示される任意の導電性材料を含むがこれらに限定されない、導電性材料であり得る。代替的な実施形態では、図３５〜３７に示されるものに類似のプロセスは、裸ワイヤ１１８２（すなわち、上に膜がない）と、ワイヤ１１８２に膜１１８４を適用するステップとを伴い得る。図３６を参照すると、膜コーティングワイヤ１１８８の遠位端１１８６が研削されて、鋭利な先端部１１９０が得られる。あるいは、鋭利な先端部１１９０は、本明細書または他の箇所に開示される任意の他の鋭利化、切断、または切り離し技法を含む、研削以外のプロセスによって得られてもよい。研削または他の処理を通じて、センサワイヤ１１８２の遠位端１１８６が露出される。
【０３８１】
図３７を参照すると、コーティング１１９２が、膜コーティングワイヤ１１８８の遠位端１１８６に適用される。コーティング１１９２は、例えば、限定することなく、硬質ポリマー、例えば、シアノアクリレート、またはシアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシド、またはセンサ挿入中の検出可能な膜の移動を防止することができる任意の他の材料（複数可）であり得る。コーティング１１９２は、限定されないが、浸漬コーティング、スプレー、蒸着、押出、成形、または印刷等の任意の所望されるプロセスによって適用することができる。コーティング１１９２は、有利なことに、導電性センサワイヤ１１８２の露出した端面１１９２に不透過性の障壁を作成し、端面１１９２を非電気活性にし、したがって、バックグラウンドシグナルを生成すること及び／またはセンサ感受性の変動をもたらすことができなくなる。コーティング１１９２はまた、膜１１８４に透過して、膜１１８４を硬化するか、または堅くし、それをワイヤ１１８２によりしっかりと接着させ、膜１１８４をさらに機械的に安定にすることができる。
【０３８２】
上述のように、センサ製造に関して、膜コーティングステップが鋭利化された先端部形成ステップに先行すべきかどうか、または鋭利化された先端部形成ステップが膜コーティングステップに先行すべきかどうかに関する２つのアプローチがある。上に記載される１のアプローチでは、膜は、鋭利化された遠位端を形成する浸漬の前にセンサ加工部材にコーティングされる。第２のアプローチでは、膜コーティングプロセスの前に、加工部材に鋭利化された遠位先端部が形成される。第２のアプローチでは、１つの共通した技術的課題は、膜材料が鋭利化された遠位先端部をコーティングし、それによって先端部が鈍化し、センサ挿入をより困難（またはより苦痛）になることを妨害または防止することを伴う。
【０３８３】
一部の実施形態では、材料（例えば、膜または外層材料）は、浸漬技法を用いてセンサ加工部材（例えば、センサワイヤ）にコーティングされ、ここで、センサ加工部材は、加工部材上に薄膜または層を形成するための材料を含む溶液に浸漬される。しばしば、加工部材の遠位端が、最初に浸漬される加工部材の部分であるが、これは、浸漬プロセス中、それが加工部材の他の部分よりも低い垂直位置に置かれるためである。重力に起因して、適用されたコーティングは、典型的に、センサ加工部材の最も低い端部（すなわち、遠位端）に向かって垂れ下がり、結果として、一部の実施形態では皮膚及び／または組織への刺入に用いられる遠位先端部の鈍化をもたらすことになる。理論に束縛されることを望むものではないが、その他が同じであれば、低粘度の溶液から形成されたコーティングでは、重力に誘発される垂れ下がり問題は、高粘度の溶液と比較して、より深刻であり得る。
【０３８４】
図３８及び３９は、これらの技術的課題を克服するように設計されたプロセスを図示する。図３８を参照すると、このプロセスは、鋭利な遠位先端部１１９６を有するセンサワイヤ１１９４を含む。センサワイヤ１１９４は、先端部側を下にして膜溶液中に浸漬され、センサワイヤ１１９４上に膜１１９８が形成される。膜溶液が乾燥した後、凝固した膜１１９８の一部分が、図３９に示されるように、センサワイヤ１１９４の遠位端１２００で除去される。膜１１９８は、限定することなく、レーザアブレーション、電解研磨、ビーズブラスト、ドライアイスブラスト、焼成、または任意の他のプロセスといった、任意の様々なプロセスを用いて除去することができる。膜１１９８をセンサワイヤ１１９４の遠位端１２００から除去した後、センサワイヤ１１９４の露出した部分１２０２を、硬質ポリマー等の保護層（示されない）でコーティングしてもよい。保護層の例示的な材料には、限定することなく、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシド、及び本明細書または他の箇所に開示される保護層を形成するために使用される任意の他の材料が挙げられる。
【０３８５】
図４０及び４１は、センサワイヤの遠位端から膜材料を除去するための別のプロセスを図示する。図４０を参照すると、センサ１２０４は、膜溶液に浸漬されており、依然として湿潤な溶液１２０６が、センサの遠位端１２１０にビーズ１２０８を形成する。図４１を参照すると、遠位端１２１０は、膜溶液１２０６が依然として湿潤なうちに、繊維体１２１２で拭い取るか、または拭き取ることができる。センサ１２０４の遠位端１２１０において、一部の膜溶液１２０６は、図４１に示されるように、繊維体１２１２によって吸収される。繊維体１２１２は、例えば、限定することなく、布、綿棒、ウィックパッド、スポンジ等を含み得る。別の実施形態では、遠位端で過剰な膜コーティングを吸収する代わりに、先端部を用いてビーズ１２０８に接触させてその表面張力を絶ち、それによって過剰な膜コーティングの（全てでないとしても）一部を遠位先端部から落としてもよい。ある特定の実施形態では、この手順は、過剰な膜コーティングを吸収するための上述のプロセスと併せて行われてもよい。
【０３８６】
図４２及び４３は、本実施形態による、直接押圧挿入を行うように構成されるセンサを作製するための別のプロセスを図示する。図４２を参照すると、このプロセスは、膜コーティング１２１６を有するワイヤ１２１４を含む。ワイヤ１２１４は、導電性材料、例えば、限定することなくタンタル、白金等の金属、または導電性及び／もしくは電気活性材料として使用するための本明細書もしくは別の箇所に記載される任意の他の材料であり得る。図４２及び４３のプロセスは、膜１２１６をワイヤ１２１４に適用するステップを含んでもよく、またはこのプロセスは、膜１２１６が既にコーティングされているワイヤ１２１４を用いて開始してもよい。膜１２１６は、単一の層を含んでもよく、または図示されるように複数の層１２１８を含んでもよい。
【０３８７】
図４３を参照すると、末端キャップ１２２０が膜コーティングワイヤ１２１４の先端部に適用される。末端キャップ１２２０は、剛性で、好ましくは生物付着に耐性（例えば、分析物に対する膜の透過性を低減させ得る、タンパク質の膜への付着に対して耐性）であり、かつ形成または機械加工できる、材料を含む。例示的な材料には、限定することなく、ポリテトラフルオロエチレン（ＰＴＦＥ）、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、エポキシドが挙げられる。末端キャップ１２２０は、ポリマーまたは金属から作製された事前形成された先端部から、コーティング、射出成形、または機械的インターロックといった任意の所望されるプロセスによってセンサに適用され得る。末端キャップ１２２０は、尖った先端部１２２２を含んでもよく、または尖った先端部１２２２をもたらすように処理してもよい。尖った先端部１２２２は、センサが直接押圧挿入のために構成されるように、皮膚及び／または組織に刺入するように構成される。末端キャップ１２２０は、有利なことに、直接押圧挿入を促進し、同時に、センサワイヤ１２１４の遠位端が導電性とならないようにそれを被覆する。末端キャップ１２２０はまた、膜１２１６の遠位端を防護する障壁を提供し、膜３１６がセンサワイヤ１２１４の末端からずれないようにすることができる。
【０３８８】
図４４及び４５は、本実施形態による、直接押圧挿入を行うように構成されるセンサを作製するための別のプロセスを図示する。図４４を参照すると、このプロセスは、膜コーティング１２２６を有するワイヤ１２２４を含む。ワイヤ１２２４は、導電性材料、例えば、金属、例えば、限定することなくタンタル、白金、銀、塩化銀、ならびに本明細書または他の箇所に記載される任意の他の導電性金属であり得る。膜１２２６は、１つを上回る層１２２８、例えば、２つの層、３つの層、４つの層、５つの層、または任意の数の層を含み得る。図４４及び４５のプロセスは、膜１２２６をワイヤ１２２４に適用するステップを含んでもよく、またはこのプロセスは、膜１２２６が既にコーティングされているワイヤ１２２４を用いて開始してもよい。膜１２２６をワイヤ１２２４に適用することは、印刷、コーティング、蒸着、押出、または材料をセンサ加工部材にコーティングするための本明細書もしくは他の箇所に記載される任意の他のプロセスを含み得る。さらに、複数層の膜１２２６の場合、各層１２２８を形成するためのプロセスが、所望される数の層が達成されるまで任意の回数繰り返されてもよい。また、複数層の膜１２２６の少なくとも１つの層１２２８は、少なくとも１つの他の層１２２８を形成するために使用されるプロセス（複数可）とは異なるプロセスによって形成されてもよい。
【０３８９】
図４４を参照すると、剛性コーティング１２３０が、センサの先端部で膜１２２６の上に形成される。剛性コーティング１２３０は、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、ポリアミド、エポキシド、または外層（例えば、保護外層）を形成するための本明細書または他の箇所に記載される任意の他の剛性ポリマーを含み得る。剛性コーティング１２３０を形成するためのプロセスは、溶液系コーティング、押出、もしくは成形、または材料をセンサ加工部材にコーティングするための本明細書もしくは他の箇所に記載される任意の他のプロセスを含み得る。
【０３９０】
図４５を参照すると、剛性コーティング１２３０は、尖った先端部１２３２をもたらすように成形される。尖った先端部１２３２は、センサが直接押圧挿入のために構成されるように、皮膚及び／または組織に刺入するように構成される。尖った先端部１２３２を有する剛性コーティング１２３０は、有利なことに、直接押圧挿入を促進し、同時に、センサワイヤ１２２４の遠位端が導電性とならないようにそれを被覆する。剛性コーティング１２３０はまた、膜１２２６の遠位端を防護する障壁を提供し、膜１２２６がセンサワイヤ１２２４の末端からずれないようにすることができる。
【０３９１】
図４６〜４８は、本実施形態による、直接押圧挿入を行うように構成されるセンサを作製するための別のプロセスを図示する。図４６〜４８に従って生成されたセンサは、有利なことに、センサワイヤの末端部を露出させず、結果として、先端部ではセンサワイヤは電気活性でなく、バックグラウンドシグナルを生成せず、センサの感受性に悪影響を及ぼすこともない。図４６を参照すると、センサ１２３４は、センサ本体１２３６及び刺入先端部１２３８を含む。先端部１２３８は、尖った遠位端１２４０を有する実質的に三角形の断面を含む。先端部１２３８の近位端１２４２が直径を画定し、これはセンサ本体１２３６の直径よりも大きい。しかしながら、図示されるセンサ１２３４の形状は、一例に過ぎず、限定するものではない。
【０３９２】
図４６をさらに参照すると、膜１２４４が、センサ本体１２３６及び刺入先端部１２３８を含む、センサ１２３４に適用される。膜１２４４は、浸漬コーティング、スプレーコーティング、ブラシコーティング、印刷、押出、または膜をセンサ加工部材（例えば、センサ本体）にコーティングするための本明細書もしくは別の箇所に記載される任意の他の方法といった、任意の所望される方法によって適用され得る。図４７を参照すると、コーティング１２４６が、センサ１２３４の刺入先端部１２３８に適用される。コーティング１２４６は、刺入先端部１２３８が電気活性表面として機能することを防ぐ。一部の実施形態では、コーティング１２４６は、ある特定の分析物（例えば、グルコース）がそこを通ることを防ぐ材料（例えば、シリコーン）を含んでもよい。他の実施形態では、コーティング１２４６は、例えば、シグナルの生成に必要とされる膜１２４４中の酵素を変性させることによって、膜１２４４を不活性化する材料を含んでもよい。コーティング１２４６は、材料を加工部材にコーティングするための本明細書または他の箇所に記載される任意の方法等、任意の所望される方法によって適用することができる。さらに他の実施形態では、コーティング１２４６を適用する代わりに、膜１２４４中の酵素を変性させるために使用することができる光源または熱源によって、膜１２４４を不活性化してもよい。
【０３９３】
図４８を参照すると、後退式導入シース１２４８が、センサ本体１２３６の周囲に適用される。導入シース１２４８の外径は、刺入先端部１２３８の近位端１２４２においてその直径と実質的に同じか、またはそれよりも小さい。導入シース１２４８は、センサ挿入手順中に膜１２４４を被覆してそれを保護し、膜１２４４がずれるか、または損傷する可能性を低下させる。
【０３９４】
図４９〜５１は、本実施形態による、直接押圧挿入を行うように構成されるセンサを作製するための別のプロセスを図示する。図４９〜５１に従って生成されたセンサは、有利なことに、センサワイヤの末端部を露出させず、結果として、先端部ではセンサワイヤは電気活性でなく、バックグラウンドシグナルを生成せず、センサの感受性に悪影響を及ぼすこともない。図４９を参照すると、センサ１２５０はセンサ本体１２５２を含み、膜１２５４がセンサ本体１２５２に適用される。センサ本体１２５２は、導電性材料、例えば、限定することなくタンタル、白金等の金属、本明細書または他の箇所に開示される任意の他の導電性金属であり得る。膜１２５４は、浸漬コーティング、スプレーコーティング、ブラシコーティング、印刷、押出、及び／またはこれらの組み合わせといった、任意の所望される方法によって適用され得る。
【０３９５】
図５０を参照すると、刺入先端部１２５６が、センサ本体１２５２の遠位端に適用される。先端部１２５６は、別個のプロセスで形成されてもよく、またはセンサ本体１２５２を形成する同じプロセスの一部として形成されてもよい。先端部１２５６は、機械的圧接、圧入、溶接（超音波溶接等）、収縮チューブ、熱の印加等といった、任意の所望されるプロセスによって、センサ本体１２５２の遠位端に付加されてもよい。先端部１２５６は、センサ本体１２５２と同じ材料を含んでもよく、または異なる材料を含んでもよい。例えば、先端部１２５６は、金属製等、導電性であってもよく、または非金属製等、非導電性であってもよい。先端部１２５６の例示的な材料には、限定することなく、シアノアクリレートポリマー、ポリウレタン、ポリウレタン尿素、ポリアクリレート、ポリスチレン、ポリスルホン、ポリエーテルケトン、ポリカーボネート、ポリイミド、ポリエステル、ポリエーテル、ポリアミド、及びエポキシドが挙げられる。
【０３９６】
先端部１２５６は、尖った遠位端１２５８を有する実質的に三角形の断面を含む。先端部１２５６の近位端１２６０が直径を画定し、これはセンサ本体１２５２の直径よりも大きい。しかしながら、図示されるセンサ１２５０の形状は、一例に過ぎず、限定するものではない。
【０３９７】
図５１を参照すると、後退式導入シース１２６２が、センサ本体１２５２の周囲に適用される。導入シース１２６２の外径は、刺入先端部１２５６の近位端１２６０においてその直径と実質的に同じか、またはそれよりも小さい。導入シース１２６２は、センサ挿入手順中に膜１２５４を被覆してそれを保護し、膜１２５４がずれるか、または損傷する可能性を低下させる。導入シース１２６２は、例えば、金属製または非金属製であり得る。非金属製シースは、例えば、限定することなく、ポリオレフィン、ポリウレタン、ポリウレタン尿素、ポリアクリレート、ポリスチレン、ポリスルホン、ポリエーテルケトン、ポリカーボネート、ポリイミド、ポリエステル、ポリエーテル、ポリアミド、エポキシド、または任意の他の材料から作製され得る。
【０３９８】
図４９〜５１のプロセスは、有利なことに、膜１２５４を先端部１２５６に適用しないことによって、刺入先端部１２５６の鋭利さを維持する。また、刺入先端部１２５６上には膜１２５４が存在しないため、膜１２５４がセンサ挿入プロセス中に破れる及び／または離層する可能性が低くなる。
【０３９９】
図５２は、本実施形態による、直接押圧挿入を行うように構成されるセンサを作製するための別のプロセスを図示する。センサ１２６４は、センサ本体１２６６、センサ本体１２６６の上の膜１２６８、及び膜１２６８の上に適用される鋭利な遠位先端部１２７０を含む。先端部１２７０は、限定することなく、浸漬、接着、溶融／冷却、溶媒流延／乾燥、成形（例えば、押出もしくは射出成形、プレス成形、または鋳型内での原位置重合）、基材の機械加工、３−Ｄ印刷、鋳造、焼結、鍛造、機械加工、または埋込み式デバイスを製造する他の既知の方法といった、任意のプロセスによって形成され得る。一部の実施形態では、先端部１２７０の材料は、例えば、限定することなく、生分解性／生体吸収性材料を含んでもよい。例示的な材料には、限定することなく、ポリビニルピロリドン（ＰＶＰ）及び／またはポリビニルアルコール（ＰＶＡ）等のポリマー、マルトース等の糖類等が挙げられる。
【０４００】
図５２のプロセスは、有利なことに、膜１２６８がセンサ本体１２６６に適用された後に、鋭利な先端部１２７０が作成される。したがって、鋭利な先端部１２７０には、先端部１２７０を鈍化させ得る膜１２６８は適用されない。生分解性／生体吸収性である材料を含む先端部１２７０を有する実施形態に関する別の利点は、先端部１２７０が挿入後に溶解するため、ホストの快適さである。生分解性／生体吸収性先端部を用いることにより、先端部がセンサから分離するようになった場合に、体内に先端部が残る可能性を回避することができる。
【０４０１】
本実施形態の一態様は、膜を鋭利なセンサ先端部に適用することが課題を呈するという認識を含む。例えば、鋭利な先端部は、特に、センサ挿入プロセス中にセンサが摩擦力に供されるときに、膜を破る、及び／または膜の離層を引き起こす可能性がある。また、膜を鋭利なセンサ先端部に適用することにより、先端部が鈍化し、先端部が、センサの直接押圧挿入にあまり有効でないものとなる可能性がある。本実施形態のうちのいくつかは、先端部を損傷することなく鋭利な先端部に膜を適用し、同時に先端部の完全性を維持する方法を含む、これらの問題に対する解決策を提供する。
【０４０２】
図５２Ａは、本実施形態による、直接押圧挿入を行うように構成されるセンサを作製するための別のプロセスに対応する。センサ１２６９は、コアワイヤ１２７１と、コアワイヤ１２７１の上の電気絶縁層１２７３とを含む。絶縁層１２７３は、遠位先端部１２７７のすぐ近位でコアワイヤ１２７１の一部分を露出させる、間隙１２７５を含む。導電層１２７９は、間隙１２７５の遠位ではないが、間隙１２７５の近位で、絶縁層１２７３の上に配置される。導電層１２７９は、例えば、限定することなく、塩化銀を含み得る。膜コーティング１２８１は、導電層１２７９、コアワイヤ１２７１の露出した部分、及び間隙１２７５の遠位側の絶縁層１２７３の部分を被覆する。コアワイヤ１２７１の遠位先端部１２７７は、膜コーティング１２８１の適用前に鋭利化される。
【０４０３】
図５３は、本実施形態による、直接押圧挿入を行うように構成されるセンサを作製するための別のプロセスに対応する。センサ１２７２は、コア１２７６と外層１２７８とを有するセンサ本体１２７４と、外層１２７８の上に適用されるがコア１２７６の上には適用されない膜１２８０とを含む。コア１２７６及び外層１２７８は、異なる材料を含む。コア１２７６は、刺入先端部１２８２を形成するのに十分に剛性な材料を含み、また必ずしも膜１２８０に良好に接着するわけではない（またはさらにはそれを弾く）材料を含んでもよい。例えば、コア１２７６の材料は、低表面エネルギーを有してもよく、非湿潤性であってもよい。対照的に、外層１２７８は、膜１２８０が容易に接着する材料を含む。
【０４０４】
コア１２７６の例示的な材料には、限定することなく、ステンレス鋼、チタン、タンタル、及び／またはポリマーが挙げられ、第１の層は、白金、白金−イリジウム、金、パラジウム、イリジウム、グラファイト、炭素、導電性ポリマー、及び／または合金を含み得る。あるいは、コア１２７６は、膜１２８０のコーティングを弾く別の材料で事前処理またはコーティングされた材料を含んでもよい。事前処理されたコア１２７６の例示的な材料には、限定することなく、ポリテトラフルオロエチレン等、薄膜の形成を妨げる材料が挙げられる。事前処理は、例えば、限定することなく、薄膜の破壊を促進するようにコア１２７６の表面を操作することを含む。あるいは、事前処理は、最初に被覆されるコーティングされた膜の部分が親水性である場合には疎水性物質（例えば、超疎水性材料）でのコーティング、または対照的に最初に被覆されるコーティングされた膜の部分が疎水性である場合には親水性物質（例えば、超親水性材料）でのコーティングを含む。表面の疎水性は、水との接触角によって測定することができる。水接触角が大きいほど、表面の疎水性が高い。一般に、水接触角が９０°未満であれば、表面は親水性であると見なされ、水接触角が９０°よりも大きければ、表面は疎水性であると見なされる。一部の実施形態では、事前処理したコア１２７６の表面は疎水性であり、約１２０°を上回る、ときには約１３５°を上回る、及びときには約１６０°を上回る接触角を有する。一部の実施形態では、事前処理したコア１２７６の表面は親水性であり、約６０°未満、ときには約４５°未満、及びときには約３０°未満の接触角を有する。
【０４０５】
膜材料の例示的な材料には、限定することなく、分析物センサ上に膜を形成するために用いることができる任意の材料が挙げられる。使用され得る膜材料には、米国特許公開第２００９−０２４７８５６−Ａ１号に記載されるものが含まれるがこれに限定されず、これは、参照によりその全体が本明細書に組み込まれる。米国特許公開第２００９−０２４７８５６−Ａ１号に記載される膜はまた、本明細書に記載される任意のセンサ上に膜を形成するために使用することができる。
【０４０６】
図５３に対応するプロセスでは、外層１２７８及び／または膜１２８０は、浸漬、スプレー、電着、浸漬、鋳造、またはこれらの技法の組み合わせ等である、任意の様々なコーティング技法によって、コア１２７６またはセンサ本体１２７４に適用され得る。一部の実施形態では、コア１２７６は、例えば、ロボットシステム、コンベアシステム、及び他の同様のシステムといった、任意の様々な他の輸送機構により、一連のステーションを進み得る。これらの他の輸送機構は、リール・ツー・リールシステムと組み合わせて（またはその代替として）用いられてもよい。例えば、一実施形態では、リール・ツー・リールシステムを用いて、細長い物体の形状のコア１２７６を動かした後、個々の加工部材に切り離し、切り離しプロセスの後に、ロボットシステムを用いて個々の加工部材を動かす。外層及び／または膜を適用するのに使用することができるプロセスには、例えば、米国特許公開第２０１１−００２７４５８−Ａ１号に記載されるものが含まれるがこれに限定されず、これは、参照によりその全体が本明細書に組み込まれる。
【０４０７】
鋭利な遠位先端部１２８２は、例えば、限定することなく、機械的研削による切断、ダイヤモンドワイヤ、高速切削、アブレイシブウォータージェット切断、ワイヤもしくはプランジによる放電加工、電気化学的エッチング、電気化学的研磨、電解加工、スタンピング、レーザ切断、または加工部材を切断及び／もしくは成形するための任意の他の方法といった、任意の様々な技法によって形成され得る。ある特定の実施形態では、鋭利な遠位先端部１２８２は、負に荷電した研削砥石、電解液、及び正に荷電した加工部材（この事例ではセンサ１２７２）を用いた研削により、導電性材料を除去するプロセスである、電気化学的研削によって形成される。加工部材から除去した材料は電解液中に残り、これにより、鋭利化された遠位先端部の表面に形成された残留コーティングを除去することができる。上述の技法（例えば、電気化学的エッチング、電気化学的研削）はまた、本明細書に記載される任意のセンサ上に鋭利な遠位先端部を形成するために使用され得る。
【０４０８】
図５４及び５４Ａは、本実施形態による、直接押圧挿入を行うように構成されるセンサを作製するための別のプロセスに対応する。センサ１２８４は、センサ本体１２８６及びセンサ本体１２８６の上に適用される膜１２８８を含む。図５４Ａを参照すると、膜１２８８は、複数の層１２９０を備え、ここで、各層１２９０の厚さは、典型的な単一層の膜の厚さ未満であるが、集合した層１２９０の厚さは、典型的な単一層の膜の厚さに実質的に等しい。例えば、膜１２８８は、２つの層１２９０、または３つの層１２９０、または４つの層１２９０、または任意の他の数の層１２９０を備えてもよい。各層１２９０の厚さは、約０．５ミクロン〜約１０ミクロン、ときには約１ミクロン〜約５ミクロンであり得るか、または埋込み式分析物センサでの適用に好適な任意の他の厚さであってもよい。層１２９０の厚さは多様であり得、ここで、層１２９０のうちの１つ以上は、他の層１２９０よりも厚いかまたは薄くてもよい。図５４及び５４Ａに対応するプロセスでは、膜層１２９０をセンサ本体１２８６に適用することは、例えば、印刷、浸漬、押出、スプレー、電着、鋳造、またはこれらの組み合わせといった、任意の様々なコーティング技法を含み得る。
【０４０９】
図５５及び５６は、本実施形態による、直接押圧挿入を行うように構成されるセンサを作製するための別のプロセスを図示する。図５５を参照すると、センサ１２９２は、鋭利な遠位先端部１２９６を有するセンサ本体１２９４を含む。膜１２９８は、センサ本体１２９４及び先端部１２９６の上に適用される。次いで、図５６を参照すると、膜１２９８は、先端部１２９６から除去されるが、センサ本体１２９４からは除去されない。膜１２９８は、限定することなく、エッチング（例えば、乾式、湿式、反応性イオン、及び／もしくは化学的エッチング）、レーザアブレーション、機械的剥離（研磨等）、ＵＶ光、または基材からポリマー材料を除去するための任意の他のプロセスといった、任意のプロセスを用いて除去され得る。
【０４１０】
図５７及び５８は、本実施形態による、直接押圧挿入を行うように構成されるセンサ１３００を作製するための別のプロセスを図示する。図５７を参照すると、センサ１３００は、鋭利な遠位先端部１３０４を有するセンサ本体１３０２を含む。膜１３０６は、膜溶液１３０８中に浸漬することによって、センサ本体１３０２及び先端部１３０４の上に適用される。重力に起因して、蒸着した膜１３０６は、遠位先端部１３０４の領域に「ビーズ」を形成する。この幾何形状は、膜が浸漬プロセスで適用されるときに、特に、膜溶液がある特定の粘度を有するときに、典型的である。ある特定の事例では、遠位先端部１３０４の上の膜１３０６材料のビーズは、不都合なことに、先端部１３０４を鈍化させる。したがって、図５８を参照すると、このプロセスは、膜で被覆された遠位先端部１３０４を溶媒１３１０中に浸漬して、膜１３０６を溶解させ、センサ１３００の鋭利な先端部１３０４から膜１３０６の材料を実質的に除去するステップを含む。溶媒１３１０には、例えば、限定することなく、テトラヒドロフラン（ＴＨＦ）、ジメチルアセトアミド（ＤＭＡＣ）、ヘキサフルオロイソプロパノール、塩化メチレン、メタノール、メチルエチルケトン、トルエン、及びジメチルホルムアミドが含まれ得る。一部の実施形態では、遠位端ビーズはまた、ホイッピング、吹付け等により凝固させる前に、先端部の過剰な材料を除去することによって、回避することができる。
【０４１１】
図５９は、本実施形態による、直接押圧挿入を行うように構成されるセンサを作製するための別のプロセスに対応する。センサ１３１２は、鋭利な遠位先端部１３１６を有するセンサ本体１３１４を含む。膜１３１８は、膜溶液（示されない）中に浸漬することによって、センサ本体１３１４及び先端部１３１６の上に適用される。次いで、膜溶液が乾燥する前に、先端部１３１６を、膜４１８が先端部１３１６に接着することを防ぐ剥離剤１３２０中に浸漬する。剥離剤１３２０は、例えば、限定することなく、シリコーン、石油系油、フッ素化化合物（例えば、テトラフルオロエチレン−パーフルオロアルキルビニルエーテルコポリマーまたはパーフルオロアルコキシ）、ポリテトラフルオロエチレン、ポリイミド、ポリエーテルイミド、ポリエーテルスルフィド、グリセリン等を含み得る。
【０４１２】
図６０は、本実施形態による、直接押圧挿入を行うように構成されるセンサを作製するための別のプロセスに対応する。センサ１３２２は、鋭利な遠位先端部１３２６を有するセンサ本体１３２４を含む。鋭利な先端部１３２６は、以下に記載されるように、膜１３３０をセンサ１３２２に適用する後続ステップ中に先端部１３２６を保護し、その後で除去される、犠牲材料１３２８でコーティングされる。犠牲材料１３２８は、単純な除去を可能にする任意の様々な材料であり得る。ある特定の実施形態では、犠牲層は、光感受性、熱感受性、可溶性、及び／またはｐＨ感受性等であり得る。
【０４１３】
前述の段落に記載されたプロセスを含むがこれらに限定されない、微細なセンサワイヤの遠位端に鋭利な先端部を作るための本明細書に記載されるプロセスのいずれにおいても、センサワイヤは、ワイヤの材料を除去する任意のステップ（例えば、研削、レーザ切断等）の前に、犠牲層に埋め込むことができる。犠牲層は、ワイヤ材料の強度を増加させ、それによって、材料除去プロセス中にワイヤが破損する可能性を低減させることにより、材料除去プロセスの有効性を高めることができる。図６０のプロセスでの使用に適した犠牲層材料の例としては、限定されないが、糖、塩、分解性ポリマー、及びワックスが挙げられる。
【０４１４】
犠牲層１３２８をセンサ１３２２の鋭利な遠位先端部１３２６に適用した後、膜１３３０をセンサ１３２２に適用する。犠牲層を用いることで、膜の簡略化された適用が可能となり、結果として、適用プロセス中に膜１３３０がセンサ１３２４だけでなく、遠位先端部１３２６も被覆してもよいことになる。遠位先端部１３２６を、次いで、犠牲層を破壊及び／または除去し、それによって、先端部１３２６を損傷することなく鋭利な遠位先端部１３２６から膜１３３０を除去することを促進するように、処理してもよい。膜を適用した後の処理の種類は、使用される犠牲材料（複数可）の種類に依存するが、例えば、限定することなく、光、熱、溶媒、及び／またはこれらの組み合わせを適用することを含み得る。
【０４１５】
別のプロセスでは、膜は、いずれの犠牲材料も用いることなく、鋭利化された遠位先端部の上を含めて、センサに適用されてもよい。遠位先端部に適用された膜の部分は、続いて、それが、例えば擦り落とすことによって機械的に除去できるように十分に軟化するまで、加熱され得る。例えば、軟化ステップは、膜を溶融することを含み得る。
【０４１６】
図６１及び６２は、本実施形態による、直接押圧挿入を行うように構成されるセンサを作製するための別のプロセスを図示する。センサ１３３２は、鋭利な遠位先端部１３３６を有するセンサ本体１３３４を含む。膜１３３８を適用するための典型的な浸漬プロセスにおいて、センサ１３３２は、図６１に示されるように、遠位先端部１３３６を下向きにして垂直に浸漬される。遠位先端部１３３６を下に向けた状態で膜溶液１３３８を乾燥させると、重力により膜１３３８溶液が下方向に引かれ、ビーズの形成がもたらされる。ビーズは遠位先端部１３３６を鈍化させ、先端部が皮膚及び／または組織への刺入にあまり効果的でないものとなる。
【０４１７】
図６２に対応するプロセスは、重力を用いてビーズ形成の可能性を軽減することによってこの問題を解決する。図６２を参照すると、膜溶液１３３８に浸漬した後、溶液が乾燥する前に、センサ１３３２を反転させ、結果として、鋭利な先端部１３３６が上向きになっている。この配向では、重力により膜溶液１３３８が先端部１３３６から引き離され、それによってビーズ形成の可能性が低減する。代わりに、膜１３３８は、図６２に示されるように、センサ１３３２の遠位端全体により均一に分散され、鋭利な遠位先端部１３３６が維持される。代替的なプロセスでは、センサ１３３２を、膜溶液１３３８が乾燥する間に、センサ１３３２の長手方向軸に対して垂直な軸を中心に回転させてもよく、求心力により膜１３３８を先端部１３３６から引き離すことができる。センサ１３３２を回転させるプロセスでは、センサ１３３２は、例えば、水平方向に配向され得る。
【０４１８】
図６３は、本実施形態による、直接押圧挿入を行うように構成されるセンサを作製するための別のプロセスを図示する。センサ１３４０は、鋭利な遠位先端部１３４４を有するセンサ本体１３４２を含む。膜溶液１３４６中にセンサ１３４０を浸漬するときに、１３４０を反転させ、結果として鋭利な先端部１３４４が上を向くようにする。センサ１３４０は、部分的に浸けられるだけであり、その結果、膜溶液１３４６は、決して鋭利な先端部１３４４に接触することはない。続いて、センサ１３４０を膜溶液１３４６から取り出し、乾燥させる。膜溶液１３４６は決して鋭利な先端部１３４４に接触しないため、先端部１３４４の鋭利さが維持される。
【０４１９】
図６４は、本実施形態による、直接押圧挿入を行うように構成されるセンサを作製するための別のプロセスを図示する。センサ１３４８は、鋭利な遠位先端部１３５２を有するセンサ本体１３５０を含む。先端部１３５２のすぐ近位に、環状チャネル１３５４またはくぼみがセンサ本体１３５０に形成される。一部の実施形態では、材料が帯状にセンサ１３４８から除去されて、環状チャネル１３５４またはくぼみが形成される。しかしながら、他の実施形態では、環状チャネル１３５４またはくぼみは、エッチング、スカイビング、研削、またはスタンピング等であるがこれらに限定されない、ワイヤの形状を変化させるために用いられる任意の様々なプロセスによって形成されてもよい。チャネル１３５４の遠位端により、縁部１３５６が画定される。続いて、センサ１３４８が膜溶液中に浸漬されると、縁部１３５６が膜溶液の液体メニスカスの解消をもたらし、それによってセンサ１３４８の先端部１３５２は膜１３６０で被覆されないまま残る。有利なことに、膜１３６０は、鋭利な先端部１３５２を鈍化させない。
【０４２０】
本実施形態の一態様は、センサ上に鋭利な遠位先端部を形成することが、膜表面の汚染及び／または膜の損傷といった、膜が適正に機能できなくなるような課題を呈するという認識を含む。膜の汚染は、拡散等、膜の特性を変化させ得る。例えば、汚染により、膜の透過性特性（例えば、選択透過性）が低減し得る。膜への損傷もまた、センサの機能性に影響を及ぼし得る。例えば、膜の除去が、遠位先端部を越えて電極を形成する電気活性表面を被覆することが意図される部分にまで及ぶと、センサの拡散特性が実質的に改変され、制御不能となるため、センサは欠陥品となり得る。一方で、過剰な膜材料がセンサの遠位先端部に存在する場合、センサの遠位先端部は鈍くなり得、皮膚及び／または組織への刺入にあまり効果的でないものとなる。本実施形態のうちのいくつかは、先端部から材料を除去することによって鋭利な遠位先端部を形成する方法、及び先端部に材料を付加することにより鋭利な遠位先端部を形成する方法を含む、これらの問題に対する解決策を含む。
【０４２１】
図６５〜６７は、本実施形態による、直接押圧挿入を行うように構成されるセンサを作製するための別のプロセスを図示する。図６５を参照すると、センサ１３６２は、コア１３６６及び外層１３６８を備えるセンサ本体１３６４を含む。コア１３６６は、例えば、限定することなく、タンタルまたは任意の他の材料を含み得る。外層１３６８は、例えば、限定することなく、白金または任意の他の材料を含み得る。
【０４２２】
外層１３６８の第１の部分または帯１３７０及び第２の部分または帯１３７２を除去して、コア１３６６を露出させる。除去される材料の第１の帯１３７０はセンサ本体１３６４の遠位先端部１３７４に位置し、第２の帯１３７２は遠位先端部１３７４の近位に位置する。第１及び第２の帯１３７０、１３７２は、スカイビング、エッチング、研削、スタンピング、または任意の他のプロセスといった、任意のプロセスを用いて除去することができる。コア１３６６の一部分もまた、先端部１３７４で除去されて、鋭利な遠位先端部１３７４が形成される。コア１３６６材料は、任意のプロセスを用いて除去することができる。
【０４２３】
図６６を参照すると、キャップ１３７６がセンサ１３６２の遠位先端部１３７４の上に取り付けられている。取り付けられたキャップ１３７６は鋭利な遠位端を含み、露出したキャップ１３７６の近位のコア１３６６の部分１３７８は残して、露出したコア１３６６の部分の上に延在する。キャップ１３７６は、センサ１３６２がホストの皮膚及び／または組織に挿入された後に、キャップ１３７６が溶解するか、ホストの身体に吸収されるように、吸収性材料を含んでもよい。キャップ１３７６の材料は、溶解性ポリマー、例えば、限定することなく、ポリビニル−ピロリドン（ＰＶＰ）を含む分解性ポリマー、カラメル等の重合糖類、ポリ酢酸ビニル、ポリエチレングリコール、ポリエステル、ポリアミノ酸、ポリカーボネート、ポリ無水物、ポリ乳酸、ポリグリコール酸、ポリジオキサノン、ポリヒドロキシ酪酸、ポリヒドロキシ吉草酸、ポリカプロラクトン、ポリ無水物（例えば、骨格もしくは側鎖に脂肪族ポリ無水物、または側鎖にベンゼンを有する芳香族ポリ無水物）、ポリオルトエステル、ポリアミノ酸（例えば、ポリ−Ｌ−リジン、ポリグルタミン酸）、偽ポリアミノ酸（例えば、ポリアミノ酸の骨格が改変されている）、ポリシアノアクリレート、ポリホスファゼン、ならびにこれら及び他の類似のポリマーの組み合わせまたはコポリマーを含み得る。
【０４２４】
図６７は、キャップ１３７６’がセンサ１３６２に沿って近位方向にさらに延在する、キャップ１３７６’の代替的な構成を図示する。例えば、キャップ１３７６’は、外層１３６８の第２の帯１３７２が除去される領域の近位において、外層１３６８の少なくとも一部分を被覆するのに十分に近位方向に延在し得る。
【０４２５】
一部の実施形態では、個々のセンサ部材に対応する個々の加工部材の前の形である細長い物体（例えば、ワイヤ）を、触媒部位（例えば、酵素ドメイン）を不活性化する薬剤に曝露する。不活性化剤は、液体または蒸気といった任意の様々な形態であり得る。例えば、図６８に対応するプロセスでは、ワイヤストック１３８０を、切り離し（すなわち、ワイヤストックをセンサ部材に対応する個々の加工部材に切断するプロセス）中に、蒸気１３８２（例えば、シアノアクリレート）に曝露する。蒸気１３８２は、センサ先端部の触媒部位を不活性化し、それによって、先端部の露出した金属からの高いベースラインシグナルの問題を解決する。図６８のプロセスは、有利なことに、リール・ツー・リールの連続した処理に好適であるが、これは必須ではない。
【０４２６】
微細なセンサワイヤの遠位端に鋭利な先端部を作るための種々のプロセスが企図される。例えば、センサワイヤの遠位端を、研削、もしくはレーザ切断／レーザアブレーション、もしくは切削、もしくは熱形成（特に可塑性材料に関して）するか、または遠位先端部を鋭利化するために使用することができる任意の他の技法（複数可）に従って処理してもよい。鋭利な先端部を作るための種々のプロセスは、限定することなく、斜角（皮下注射針プロファイルに類似）、円錐形状（鉛筆の先に類似）、または段状（鍼用の針に類似）といった、種々の先端形状をもたらし得る。
【０４２７】
図６９は、本実施形態による、直接押圧挿入を行うように構成されるセンサを作製するための別のプロセスに対応する。図６９に対応するプロセスでは、センサワイヤ１３８６の遠位端１３８４を、化学物質１３８８に浸漬して、ワイヤ１３８６の端部から材料を除去し、尖った先端部１３９０を形成する。ワイヤ１３８６を浸漬する化学物質１３８８は、例えば、エッチング液、例えば、酸、または研磨液であり得る。代替的な実施形態では、材料は、電解研磨によりワイヤ１３８６の端部から除去されてもよい。さらなる実施形態では、材料は、例えば、機械的に擦り落とすことまたは機械的研磨によって、機械的に除去されてもよい。図６９に戻って参照すると、そこに図示されるプロセスは、鋭利な先端部を形成するための、研削等のより従来的なプロセスではうまく機能しない可能性のある、非常に微細な可撓性ワイヤに先端部を形成するのに有利であり得る。
【０４２８】
図７０は、本実施形態による、直接押圧挿入を行うように構成されるセンサを作製するための別のプロセスに対応する。図７０のプロセスでは、センサワイヤ１３９４を研磨表面１３９６に対して０°〜９０°の角度Θで保ったまま、センサワイヤ１３９４の遠位端１３９２を、研磨表面１３９６全体に引き動かす。例えば、Θは、約１５°〜約５５°、ときには約１５°〜約３０°、及び他のときには約３０°〜約４５°であってもよく、または任意の他の適切な角度であってもよい。ワイヤ１３９４は、研磨表面１３９６に対してそれが動かされるとき、支持固定具（示されない）内に保持されていてもよい。あるいは、ワイヤ１３９４は、静止したままであってもよく、研磨表面１３９６が、ワイヤ１３９４に対して動かされてもよい。図７０のプロセスにより、例えば、ワイヤ１３９４の遠位端１３９２上に平坦な斜角１４００を有する楔形の先端部１３９８が得られる。楔形の先端部１３９８は、多面状（例えば、ピラミッド形）または円錐状の点よりも、作製がより単純及び／または低費用であり得る。
【０４２９】
図７０のプロセスでは、ワイヤ１３９４を保持するための支持固定具は、ワイヤ１３９４を受容するための小さな穴を有するブロックを備えてもよく、この穴の長手方向軸が、研磨表面１３９６に対して角度Θで配向される。別の代替手段では、ワイヤ１３９４は、研磨表面１３９６に対して角度Θで切断された２つの平坦なブロックの間に保持されてもよい。
【０４３０】
図７１は、本実施形態による、直接押圧挿入を行うように構成されるセンサを作製するための別のプロセスに対応する。図７１では、センサワイヤ１４０２は、内側コア１４０４及び外層１４０６を含む。内側コア１４０４は、例えば、約４００μｍ未満、約２００μｍ未満、または約１００μｍ未満といった、非常に小さな直径を有する。図７１のプロセスでは、センサワイヤ１４０２の遠位端において外層１４０６の一部分が、内側コア１４０４から除去されて、遠位端のみにおいて内側コア１４０４の短い長さ１４０８が露出する。内側コア１４０４の露出した長さ１４０８は、十分に小さな直径を有するため、皮膚及び／または組織に穿通することができる。内側コア１４０４の露出部分１４０８は、好ましくは、所望される深さまでホストに穿通するのに十分に長いが、好ましくは、露出部分１４０８のカラム強度を増加させるために外層１４０６が内側コア１４０４の露出部分１４０８に支持を提供するように、所望される深さを達成するのに可能な限り短い。外層１４０６は、剥離、レーザアブレーション、ビーズブラスト、研磨、化学的エッチング、または任意の他のプロセスといった、任意のプロセスを用いて内側コア１４０４から除去することができる。
【０４３１】
センサワイヤを形成するための本プロセスのうちのいくつかは、材料をセンサワイヤに付加することによって、鋭利な遠位先端部を形成する。例えば、図７２及び７３は、本実施形態による、直接押圧挿入を行うように構成されるセンサを作製するための別のプロセスを図示する。図７２を参照すると、センサワイヤ１４１０は、ポリマー材料１４１２の槽に浸漬される。ポリマー材料１４１２は、例えば、限定することなく、導電性ポリマー、高分子電解質、双性イオンポリマー等を含み得る。槽からセンサを取り出した後、図７３に示されるように、ポリマー材料１４１２全体に電圧を印加する。電圧により、ポリマー材料１４１２が伸長し、鋭利な先端部１４１４が形成される。
【０４３２】
例えば、図７２及び７３のプロセスは、電界紡糸法を含み得る。電界紡糸法では、十分に高い電圧を液滴に印加すると、液体が荷電し、静電反発力が表面張力に反して働き、液滴が広がる。臨界点では、液体流が表面から噴出する。この噴出点は、テイラーコーンとして知られている。液体の分子結合力が十分に高ければ、流れの分散は生じず（生じる場合、液滴にエレクトロスプレーを行う）、荷電した液体噴出物が形成される。噴出物が空中で乾燥すると、電流の流れの形態は、電荷が線維の表面に移動するため、オーミックから対流に変化する。噴出物は、次いで、接地コレクタに蓄積されるまで、線維の小さな屈曲によって開始される静電反発力によって引き起こされるホイッピングプロセスによって伸長される。この曲げ不安定性により結果としてもたらされる線維の伸長及び微細化は、ナノメートル規模の直径を有する均質な線維の形成をもたらす。
【０４３３】
図７４及び７５は、本実施形態による、直接押圧挿入を行うように構成されるセンサを作製するための別のプロセスを図示する。図７４を参照すると、センサワイヤ１４１６は、溶融ポリマー、または反応性モノマー／オリゴマーの混合物、または溶解したポリマー、またはポリマー混合物の槽１４１８に浸漬される。図７５を参照すると、センサワイヤ１４１６を浸漬することにより、槽１４１８に浸けられるセンサワイヤ１４１６の部分に浸漬コーティング１４２０を作製する。図７５を参照すると、ワイヤ１４１６を槽１４１８から引き抜き、ワイヤ１４１６を引き抜くときに浸漬コーティング１４２０が硬化して、センサワイヤ１４１６上に鋭利な先端部１４２２が作成される。引き抜きの速度及び角度は、先端部が所望される形状及び鋭利さに合うように、制御することができる。先端部を、次いで、冷却して硬化させる、乾燥させて凝固させる、または外部照射、湿度、及び／もしくは光への曝露によって硬化させてもよい。一部の実施形態では、ワイヤ１４１６を溶融ポリマーの槽１４１８から引き抜いた後、先端部１４２２を型に入れて鋭利な先端部１４２２を生成する。
【０４３４】
図７６は、本実施形態による、直接押圧挿入を行うように構成されるセンサを作製するための別のプロセスを図示する。図７６のプロセスでは、センサワイヤ１４２４は、センサ本体１４２６及びセンサ本体１４２６の少なくとも一部分を被覆する膜１４２８を含む。硬質で鋭利な先端部１４３０は、膜で被覆されたセンサワイヤ１４２４に固定される。例えば、先端部１４３０は、型１４３２を用いてワイヤ１４２４に鋳造されてもよい。先端部１４３０が、熱可塑性等、成形可能な材料である場合、先端部１４３０を、射出成形またはインサート成形して、センサ本体１４２６に固定してもよい。膜を高温に曝すことを避けるために、二液性ポリウレタン等、他の硬化性材料を、低温液体射出成形プロセス（ＬＩＭ）で用いてもよい。
【０４３５】
本明細書に記載される実施形態のいずれにおいても、センサ加工部材の遠位先端部は、プレス成形によって成形することができる。例えば、図７６Ａに図示される実施形態では、センサ加工部材１４３１は、プレス成形のために、まずステーションに導入される。次いで、造形要素１４３３を拡張位置（図７６Ａ）から縮小位置（図７６Ｂ）へと移動させ、それによって、加工部材１４３１の遠位端が、所望の形状に成形される。図７６Ｂは、造形要素１４３３によって成形されており、図７６Ｃに図示される部分よりも近位側にある、センサ加工部材１４３１の部分の断面を図示し、この図７６Ｃのものは、図７６Ｄに図示される遠位先端部よりも近位側にあり、この図７６Ｄのものはほぼゼロの面積を有し、鋭利な先端部を形成する断面を有する。図７６Ａ〜７６Ｄに示される実施形態では、２つの造形要素１４３３があり、これらが、加工部材１４３１の遠位端を、円形の断面を有する円錐形状に成形する。しかしながら、他の実施形態では、例えば、３個、４個、５個、９個、１０個、またはそれ以上といった、任意の数の造形要素が存在してもよい。加えて、造形要素１４３３は、遠位端を任意の様々な形状、例えば、三角形、長方形、四角形、五角形、または六角形に成形するように構成されてもよい。
【０４３６】
図７７及び７８は、本実施形態による、直接押圧挿入を行うように構成されるセンサを作製するための別のプロセスを図示する。図７７は上面平面図であり、図７８は側面図である。図７７及び７８を参照すると、このプロセスには、外側コア１４３６に埋め込まれた平面可撓性プリント回路基板（ＰＣＢ）１４３４が含まれる。図示される実施形態では、外側コア１４３６は、実質的に円筒形であり、皮膚及び／または組織に刺入するように構成される円錐形の遠位先端部１４３８を含む。しかしながら、図示される形状は、一例に過ぎず、限定するものではない。外側コア１４３６は、ポリマー等の任意の材料を含み得る。
【０４３７】
図７７及び７８のプロセスでは、円錐形の先端部１４３８の近位の外側コア１４３６の一区画が除去され、窓１４４０を形成している。例えば、外側コア１４３６の区画は、レーザアブレーションまたは加工部材から材料を除去するための本明細書もしくは他の箇所に記載される任意の他のプロセスによって除去されてもよい。一実施例では、ＰＣＢ５３４の外表面は、レーザアブレーションに耐性の白金層を含む。したがって、外側コア１４３６区画がレーザアブレーションによって除去されると、窓１４４０の下にあるＰＣＢ１４３４の一部分は、無傷なままである。センサ１４４２は、続いて、膜溶液に浸漬される。膜１４４４は、窓１４４０内のＰＣＢ１４３４の露出した白金表面を被覆し、この表面により最終的なセンサ１４４２の作用電極が画定される。
【０４３８】
図７９は、本実施形態による、直接押圧挿入を行うように構成されるセンサを作製するための別のプロセスを図示する。センサ１４４６は、平滑な遠位端１４５０を有するセンサ本体１４４８を含む。刺入先端部１４５２は、遠位端１４５０の上に位置している。先端部１４５２は、センサ本体１４４８の遠位端１４５０を受容する開放近位端１４５４を含む。次いで、刺入先端部１４５２の近位端１４５４を圧接して、先端部１４５２をセンサ本体１４４８に固定する。一部の実施形態では、膜は、センサ本体１４４８を先端部１４５２に圧接する前に適用される。他の実施形態では、膜は、センサ本体１４４８を先端部１４５２に圧接した後に適用される。さらなる実施形態において、センサ１４４６は、溶液が決して先端部に接触しないように、逆さまにして（すなわち、先端部１４５２を上にして）浸漬される。このプロセスにより、膜が先端部に付着する（そして先端部を鈍化させる）可能性を回避する。
【０４３９】
別の実施形態では、刺入先端部は、センサ本体の遠位端に重ね成形（ｏｖｅｒｍｏｌｄ）されてもよい。重ね成形される先端部は、例えば、限定することなく、二液性ポリウレタン等の剛性ポリマーを含み得る。剛性先端部は、膜をセンサ本体に適用した後にセンサ本体の遠位端に重ね成形されてもよい。
【０４４０】
本実施形態の別の態様は、分析物センサ上に３つの電極を形成することが困難であるという認識を含む。例えば、センサワイヤに第３の層を適用することにより、ワイヤ製造プロセスが非常に複雑になり、全ての層の同心性を達成することが非常に困難となる。全ての層が同心でなければ、スカイビング等のさらなる処理ステップを、所望される精度で行うことが困難となり得る。さらに、センサの先端部は、先端部の導電性材料及び／または酵素（複数可）が環境に曝されていると、センサの精度を低減させ得る。本実施形態のうちのいくつかは、これらの問題に対する解決策を提供する。
【０４４１】
例えば、図８０及び８１は、本実施形態による、直接押圧挿入を行うように構成されるセンサを作製するための別のプロセスを図示する。図８０を参照すると、センサ１４５６は、薄く平坦な微小電気機械システム（ＭＥＭＳ）基材１４５８を含む。例えば、ＭＥＭＳ基材１４５８は、フォトリソグラフィー、エッチング、及び／または他のＭＥＭＳプロセスを用いて製造することができる。
【０４４２】
基材の遠位端には、先細りになった刺入先端部１４６０が含まれる。電気活性表面または電極１４５７が、ＭＥＭＳ基材１４５８に印刷される。導電性トレース１４５９は、センサ１４５６の電極１４５７と電気接点（示されない）との間の電気接続を提供する。図８１を参照すると、基材１４５８は、膜１４６２でコーティングされる。例えば、膜コーティング１４６２は、浸漬コーティングプロセスで適用されて、コンフォーマルコーティングが得られる。図示される実施形態では、膜コーティング１４６２は、実質的に円筒形であり、基材１４５８の刺入先端部１４６０を被覆する。
【０４４３】
図８０及び８１に図示されるプロセスは、有利なことに、ＭＥＭＳ処理及び浸漬コーティングの両方の利点を用いて、３つの電極を有する円筒形の直接押圧挿入センサを得る。ＭＥＭＳ技術を使用することで、３つ全ての電極を、平坦な可撓性基材１４５８上に容易に製造することができる。例えば、作用電極（及び可能性としては他の電極）は、平均化のために基材１４５８の上面及び底面にあってもよい。電極を有する基材１４５８を、続いて、硬質膜溶液に浸漬して、円筒形の膜コーティング１４６２を得る。膜１４６２は、例えば、形状記憶材料及び／または熱／水和軟化性材料であってもよい。膜コーティング１４６２は円筒形である必要はないが、円筒形の膜コーティングは、有利なことに、分析物の放射状拡散を可能にし、これは、放射状拡散により、より急速な物質の移動を促進し、定常状態を達成するための応答時間が短くなるため、有益である。さらに、ＭＥＭＳ基材１４５８は、不活性であってもよく、それによって、先端部の堅牢性の問題を排除することができる。
【０４４４】
本実施形態の一態様は、刺入先端部が、センサワイヤを個々のセンサに切り離すステップ中にセンサ上に形成され得るという認識を含む。例えば、切り離しプロセスには、限定することなく、機械的プレス、ホットプレス、レーザアブレーション、押出、切削等が含まれ得る。切り離し中に刺入先端部を形成することにより、鋭利な遠位先端部を、膜をセンサに適用する前に形成することができ、それによって、後続の先端部形成ステップによる繊細な膜の二次汚染及び損傷を回避することができる。
【０４４５】
例えば、図８２は、本実施形態による、直接押圧挿入を行うように構成されるセンサを作製するための別のプロセスを図示する。皮膚及び／または組織に刺入するように構成されるセンサ先端部を形成することは、ある特定の材料では困難である。研削等の典型的なプロセスは、アルミニウム、タンタル等の材料には好適でない。図８２は、センサを引っ張って鋭利な先端部を形成する、代替的なプロセスを図示する。
【０４４６】
一般には、細長い材料片を、その長手方向軸に沿って張力をかけた状態におき、その弾性限度を超えて引っ張ると、塑性変形が始まる。材料の特性に応じて、材料は、「ネッキング」し得る。ネッキングは、材料の断面積が増加し、縮小断面における応力が同時に増加するときに生じる、歪みの局所的集中である。ネッキングは、縮小断面の領域における変形率を急速に増加させる。ネッキングが生じた時点から、それ以降の変形は、ネッキング領域に集中する。実際には、円形の断面を有する試料では、ネッキングは、局所的な直径の減少をもたらす。最終的に、試料は、ネッキング区画の中心またはその付近で破断する。この破断により、２つの「半ネック（ｈａｌｆ  ｎｅｃｋ）」が得られ、これらのそれぞれには、センサの刺入先端部を形成するために使用することができる鋭利な尖端が含まれる。
【０４４７】
上述のプロセスによると、また図８２を参照すると、センサワイヤ１４７０は、その長手方向軸ＡＬに沿って張力をかけた状態にある。センサワイヤ１４７０に、中間領域１４７２でネッキングが生じる。破断が生じた後、鋭利な刺入先端部を有する２つのセンサが形成される。刺入先端部には、除去、研磨、さらなる鋭利化といった、さらなる処理が行われてもよい。
【０４４８】
１つの代替手段では、図８３に示されるように、センサワイヤ１４７０の一部分を、張力を印加するプロセスの前及び／または最中に加熱してもよい。例えば、熱を、抵抗加熱要素１４７４、火炎、または任意の他の熱源を用いて適用してもよい。適用された熱がワイヤ材料を軟化させ、加熱領域１４７６にネッキング及び破断が起こりやすくなる。
【０４４９】
１つの代替手段ではさらに、張力をセンサワイヤに適用してネッキングが生じ始めた後であるが、破断する前に、張力を解消し、ネッキング領域の両側にあるセンサワイヤの２つの部分を、剪断、切断、レーザアブレーション等といった任意のプロセスによって分離してもよい。
【０４５０】
図８４〜８６は、本実施形態による、直接押圧挿入を行うように構成されるセンサを作製するための別のプロセスを図示する。図８４を参照すると、センサワイヤ１４７８は、対向する切断刃１４８０の間に位置している。切断刃１４８０によりセンサワイヤ１４７８を小片に切り離し、続いて、これらのそれぞれを処理してセンサが得られる。図８４は、切断刃の第１の実施形態１４８０を実線で図示し、切断刃の第２の実施形態１４８０’を破線で図示する。実線の実施形態１４８０では、それぞれの刃１４８０は、第１の角度Φ１にある表面１４８２を互いに収束させることによって画定される刃先を含む。破線の実施形態では、それぞれの刃１４８０’は、第２の角度Φ２にある表面１４８４を互いに収束させることによって画定される刃先を含み、ここで、Φ２＞Φ１である。図８５は、実線の実施形態の刃１４８０によってセンサワイヤ１４７８に作製される切断部１４８６の形状を図示し、図８６は、破線の実施形態の刃１４８０’によってセンサワイヤ１４７８’に作製される切断部１４８６’の形状を図示する。Φ２＞Φ１であるため、破線の実施形態の刃１４８０’によってセンサワイヤ１４７８’に作製される切断部１４８６’は、図８５のセンサワイヤ１４９０の刺入先端部１４８８の収束表面間で画定される角度φ１と比較して、図８６のセンサ１４９０’の刺入先端部１４８８’の収束する表面間で画定される角度φ２はより小さくなる。より小さな角度φ２は、有利なことに、図８５のセンサワイヤ１４９０と比較して、図８６のセンサワイヤ１４９０’ではより鋭利な尖端をもたらす。したがって、図８４の破線の実施形態の刃１４８０’を使用することにより、より鋭利な刺入先端部を得ることができる。
【０４５１】
好ましい実施形態の態様と併せて使用するのに好適な方法及びデバイスは、米国特許第４，７５７，０２２号、米国特許第４，９９４，１６７号、米国特許第６，００１，０６７号、米国特許第６，５５８，３２１号、米国特許第６，７０２，８５７号、米国特許第６，７４１，８７７号、米国特許第６，８６２，４６５号、米国特許第６，９３１，３２７号、米国特許第７，０７４，３０７号、米国特許第７，０８１，１９５号、米国特許第７，１０８，７７８号、米国特許第７，１１０，８０３号、米国特許第７，１３４，９９９号、米国特許第７，１３６，６８９号、米国特許第７，１９２，４５０号、米国特許第７，２２６，９７８号、米国特許第７，２７６，０２９号、米国特許第７，３１０，５４４号、米国特許第７，３６４，５９２号、米国特許第７，３６６，５５６号、米国特許第７，３７９，７６５号、米国特許第７，４２４，３１８号、米国特許第７，４６０，８９８号、米国特許第７，４６７，００３号、米国特許第７，４７１，９７２号、米国特許第７，４９４，４６５号、米国特許第７，４９７，８２７号、米国特許第７，５１９，４０８号、米国特許第７，５８３，９９０号、米国特許第７，５９１，８０１号、米国特許第７，５９９，７２６号、米国特許第７，６１３，４９１号、米国特許第７，６１５，００７号、米国特許第７，６３２，２２８号、米国特許第７，６３７，８６８号、米国特許第７，６４０，０４８号、米国特許第７，６５１，５９６号、米国特許第７，６５４，９５６号、米国特許第７，６５７，２９７号、米国特許第７，７１１，４０２号、米国特許第７，７１３，５７４号、米国特許第７，７１５，８９３号、米国特許第７，７６１，１３０号、米国特許第７，７７１，３５２号、米国特許第７，７７４，１４５号、米国特許第７，７７５，９７５号、米国特許第７，７７８，６８０号、米国特許第７，７８３，３３３号、米国特許第７，７９２，５６２号、米国特許第７，７９７，０２８号、米国特許第７，８２６，９８１号、米国特許第７，８２８，７２８号、米国特許第７，８３１，２８７号、米国特許第７，８３５，７７７号、米国特許第７，８５７，７６０号、米国特許第７，８６０，５４５号、米国特許第７，８７５，２９３号、米国特許第７，８８１，７６３号、米国特許第７，８８５，６９７号、米国特許第７，８９６，８０９号、米国特許第７，８９９，５１１号、米国特許第７，９０１，３５４号、米国特許第７，９０５，８３３号、米国特許第７，９１４，４５０号、米国特許第７，９１７，１８６号、米国特許第７，９２０，９０６号、米国特許第７，９２５，３２１号、米国特許第７，９２７，２７４号、米国特許第７，９３３，６３９号、米国特許第７，９３５，０５７号、米国特許第７，９４６，９８４号、米国特許第７，９４９，３８１号、米国特許第７，９５５，２６１号、米国特許第７，９５９，５６９号、米国特許第７，９７０，４４８号、米国特許第７，９７４，６７２号、米国特許第７，９７６，４９２号、米国特許第７，９７９，１０４号、米国特許第７，９８６，９８６号、米国特許第７，９９８，０７１号、米国特許第８，０００，９０１号、米国特許第８，００５，５２４号、米国特許第８，００５，５２５号、米国特許第８，０１０，１７４号、米国特許第８，０２７，７０８号、米国特許第８，０５０，７３１号、米国特許第８，０５２，６０１号、米国特許第８，０５３，０１８号、米国特許第８，０６０，１７３号、米国特許第８，０６０，１７４号、米国特許第８，０６４，９７７号、米国特許第８，０７３，５１９号、米国特許第８，０７３，５２０号、米国特許第８，１１８，８７７号、米国特許第８，１２８，５６２号、米国特許第８，１３３，１７８号、米国特許第８，１５０，４８８号、米国特許第８，１５５，７２３号、米国特許第８，１６０，６６９号、米国特許第８，１６０，６７１号、米国特許第８，１６７，８０１号、米国特許第８，１７０，８０３号、米国特許第８，１９５，２６５号、米国特許第８，２０６，２９７号、米国特許第８，２１６，１３９号、米国特許第８，２２９，５３４号、米国特許第８，２２９，５３５号、米国特許第８，２２９，５３６号、米国特許第８，２３１，５３１号、米国特許第８，２３３，９５８号、米国特許第８，２３３，９５９号、米国特許第８，２４９，６８４号、米国特許第８，２５１，９０６号、米国特許第８，２５５，０３０号、米国特許第８，２５５，０３２号、米国特許第８，２５５，０３３号、米国特許第８，２５７，２５９号、米国特許第８，２６０，３９３号、米国特許第８，２６５，７２５号、米国特許第８，２７５，４３７号、米国特許第８，２７５，４３８号、米国特許第８，２７７，７１３号、米国特許第８，２８０，４７５号、米国特許第８，２８２，５４９号、米国特許第８，２８２，５５０号、米国特許第８，２８５，３５４号、米国特許第８，２８７，４５３号、米国特許第８，２９０，５５９号、米国特許第８，２９０，５６０号、米国特許第８，２９０，５６１号、米国特許第８，２９０，５６２号、米国特許第８，２９２，８１０号、米国特許第８，２９８，１４２号、米国特許第８，３１１，７４９号、米国特許第８，３１３，４３４号、米国特許第８，３２１，１４９号、米国特許第８，３３２，００８号、米国特許第８，３４６，３３８号、米国特許第８，３６４，２２９号、米国特許第８，３６９，９１９号、米国特許第８，３７４，６６７号、米国特許第８，３８６，００４号、及び米国特許第８，３９４，０２１号に開示される。
【０４５２】
好ましい実施形態の態様と併せて使用するのに好適な方法及びデバイスは、米国特許公開第２００３−００３２８７４−Ａ１号、米国特許公開第２００５−００３３１３２−Ａ１号、米国特許公開第２００５−００５１４２７−Ａ１号、米国特許公開第２００５−００９０６０７−Ａ１号、米国特許公開第２００５−０１７６１３６−Ａ１号、米国特許公開第２００５−０２４５７９９−Ａ１号、米国特許公開第２００６−００１５０２０−Ａ１号、米国特許公開第２００６−００１６７００−Ａ１号、米国特許公開第２００６−００２０１８８−Ａ１号、米国特許公開第２００６−００２０１９０−Ａ１号、米国特許公開第２００６−００２０１９１−Ａ１号、米国特許公開第２００６−００２０１９２−Ａ１号、米国特許公開第２００６−００３６１４０−Ａ１号、米国特許公開第２００６−００３６１４３−Ａ１号、米国特許公開第２００６−００４０４０２−Ａ１号、米国特許公開第２００６−００６８２０８−Ａ１号、米国特許公開第２００６−０１４２６５１−Ａ１号、米国特許公開第２００６−０１５５１８０−Ａ１号、米国特許公開第２００６−０１９８８６４−Ａ１号、米国特許公開第２００６−０２０００２０−Ａ１号、米国特許公開第２００６−０２０００２２−Ａ１号、米国特許公開第２００６−０２００９７０−Ａ１号、米国特許公開第２００６−０２０４５３６−Ａ１号、米国特許公開第２００６−０２２４１０８−Ａ１号、米国特許公開第２００６−０２３５２８５−Ａ１号、米国特許公開第２００６−０２４９３８１−Ａ１号、米国特許公開第２００６−０２５２０２７−Ａ１号、米国特許公開第２００６−０２５３０１２−Ａ１号、米国特許公開第２００６−０２５７９９５−Ａ１号、米国特許公開第２００６−０２５８７６１−Ａ１号、米国特許公開第２００６−０２６３７６３−Ａ１号、米国特許公開第２００６−０２７０９２２−Ａ１号、米国特許公開第２００６−０２７０９２３−Ａ１号、米国特許公開第２００７−００２７３７０−Ａ１号、米国特許公開第２００７−００３２７０６−Ａ１号、米国特許公開第２００７−００３２７１８−Ａ１号、米国特許公開第２００７−００４５９０２−Ａ１号、米国特許公開第２００７−００５９１９６−Ａ１号、米国特許公開第２００７−００６６８７３−Ａ１号、米国特許公開第２００７−０１７３７０９−Ａ１号、米国特許公開第２００７−０１７３７１０−Ａ１号、米国特許公開第２００７−０２０８２４５−Ａ１号、米国特許公開第２００７−０２０８２４６−Ａ１号、米国特許公開第２００７−０２３２８７９−Ａ１号、米国特許公開第２００８−００４５８２４−Ａ１号、米国特許公開第２００８−００８３６１７−Ａ１号、米国特許公開第２００８−００８６０４４−Ａ１号、米国特許公開第２００８−０１０８９４２−Ａ１号、米国特許公開第２００８−０１１９７０３−Ａ１号、米国特許公開第２００８−０１１９７０４−Ａ１号、米国特許公開第２００８−０１１９７０６−Ａ１号、米国特許公開第２００８−０１８３０６１−Ａ１号、米国特許公開第２００８−０１８３３９９−Ａ１号、米国特許公開第２００８−０１８８７３１−Ａ１号、米国特許公開第２００８−０１８９０５１−Ａ１号、米国特許公開第２００８−０１９４９３８−Ａ１号、米国特許公開第２００８−０１９７０２４−Ａ１号、米国特許公開第２００８−０２００７８８−Ａ１号、米国特許公開第２００８−０２００７８９−Ａ１号、米国特許公開第２００８−０２００７９１−Ａ１号、米国特許公開第２００８−０２１４９１５−Ａ１号、米国特許公開第２００８−０２２８０５４−Ａ１号、米国特許公開第２００８−０２４２９６１−Ａ１号、米国特許公開第２００８−０２６２４６９−Ａ１号、米国特許公開第２００８−０２７５３１３−Ａ１号、米国特許公開第２００８−０２８７７６５−Ａ１号、米国特許公開第２００８−０３０６３６８−Ａ１号、米国特許公開第２００８−０３０６４３４−Ａ１号、米国特許公開第２００８−０３０６４３５−Ａ１号、米国特許公開第２００８−０３０６４４４−Ａ１号、米国特許公開第２００９−００１８４２４−Ａ１号、米国特許公開第２００９−００３０２９４−Ａ１号、米国特許公開第２００９−００３６７５８−Ａ１号、米国特許公開第２００９−００３６７６３−Ａ１号、米国特許公開第２００９−００４３１８１−Ａ１号、米国特許公開第２００９−００４３１８２−Ａ１号、米国特許公開第２００９−００４３５２５−Ａ１号、米国特許公開第２００９−００４５０５５−Ａ１号、米国特許公開第２００９−００６２６３３−Ａ１号、米国特許公開第２００９−００６２６３５−Ａ１号、米国特許公開第２００９−００７６３６０−Ａ１号、米国特許公開第２００９−００９９４３６−Ａ１号、米国特許公開第２００９−０１２４８７７−Ａ１号、米国特許公開第２００９−０１２４８７９−Ａ１号、米国特許公開第２００９−０１２４９６４−Ａ１号、米国特許公開第２００９−０１３１７６９−Ａ１号、米国特許公開第２００９−０１３１７７７−Ａ１号、米国特許公開第２００９−０１３７８８６−Ａ１号、米国特許公開第２００９−０１３７８８７−Ａ１号、米国特許公開第２００９−０１４３６５９−Ａ１号、米国特許公開第２００９−０１４３６６０−Ａ１号、米国特許公開第２００９−０１５６９１９−Ａ１号、米国特許公開第２００９−０１６３７９０−Ａ１号、米国特許公開第２００９−０１７８４５９−Ａ１号、米国特許公開第２００９−０１９２３６６−Ａ１号、米国特許公開第２００９−０１９２３８０−Ａ１号、米国特許公開第２００９−０１９２７２２−Ａ１号、米国特許公開第２００９−０１９２７２４−Ａ１号、米国特許公開第２００９−０１９２７５１−Ａ１号、米国特許公開第２００９−０２０３９８１−Ａ１号、米国特許公開第２００９−０２１６１０３−Ａ１号、米国特許公開第２００９−０２４０１２０−Ａ１号、米国特許公開第２００９−０２４０１９３−Ａ１号、米国特許公開第２００９−０２４２３９９−Ａ１号、米国特許公開第２００９−０２４２４２５−Ａ１号、米国特許公開第２００９−０２４７８５５−Ａ１号、米国特許公開第２００９−０２４７８５６−Ａ１号、米国特許公開第２００９−０２８７０７４−Ａ１号、米国特許公開第２００９−０２９９１５５−Ａ１号、米国特許公開第２００９−０２９９１５６−Ａ１号、米国特許公開第２００９−０２９９１６２−Ａ１号、米国特許公開第２０１０−００１０３３１−Ａ１号、米国特許公開第２０１０−００１０３３２−Ａ１号、米国特許公開第２０１０−００１６６８７−Ａ１号、米国特許公開第２０１０−００１６６９８−Ａ１号、米国特許公開第２０１０−００３０４８４−Ａ１号、米国特許公開第２０１０−００３６２１５−Ａ１号、米国特許公開第２０１０−００３６２２５−Ａ１号、米国特許公開第２０１０−００４１９７１−Ａ１号、米国特許公開第２０１０−００４５４６５−Ａ１号、米国特許公開第２０１０−００４９０２４−Ａ１号、米国特許公開第２０１０−００７６２８３−Ａ１号、米国特許公開第２０１０−００８１９０８−Ａ１号、米国特許公開第２０１０−００８１９１０−Ａ１号、米国特許公開第２０１０−００８７７２４−Ａ１号、米国特許公開第２０１０−００９６２５９−Ａ１号、米国特許公開第２０１０−０１２１１６９−Ａ１号、米国特許公開第２０１０−０１６１２６９−Ａ１号、米国特許公開第２０１０−０１６８５４０−Ａ１号、米国特許公開第２０１０−０１６８５４１−Ａ１号、米国特許公開第２０１０−０１６８５４２−Ａ１号、米国特許公開第２０１０−０１６８５４３−Ａ１号、米国特許公開第２０１０−０１６８５４４−Ａ１号、米国特許公開第２０１０−０１６８５４５−Ａ１号、米国特許公開第２０１０−０１６８５４６−Ａ１号、米国特許公開第２０１０−０１６８６５７−Ａ１号、米国特許公開第２０１０−０１７４１５７−Ａ１号、米国特許公開第２０１０−０１７４１５８−Ａ１号、米国特許公開第２０１０−０１７４１６３−Ａ１号、米国特許公開第２０１０−０１７４１６４−Ａ１号、米国特許公開第２０１０−０１７４１６５−Ａ１号、米国特許公開第２０１０−０１７４１６６−Ａ１号、米国特許公開第２０１０−０１７４１６７−Ａ１号、米国特許公開第２０１０−０１７９４０１−Ａ１号、米国特許公開第２０１０−０１７９４０２−Ａ１号、米国特許公開第２０１０−０１７９４０４−Ａ１号、米国特許公開第２０１０−０１７９４０８−Ａ１号、米国特許公開第２０１０−０１７９４０９−Ａ１号、米国特許公開第２０１０−０１８５０６５−Ａ１号、米国特許公開第２０１０−０１８５０６９−Ａ１号、米国特許公開第２０１０−０１８５０７０−Ａ１号、米国特許公開第２０１０−０１８５０７１−Ａ１号、米国特許公開第２０１０−０１８５０７５−Ａ１号、米国特許公開第２０１０−０１９１０８２−Ａ１号、米国特許公開第２０１０−０１９８０３５−Ａ１号、米国特許公開第２０１０−０１９８０３６−Ａ１号、米国特許公開第２０１０−０２１２５８３−Ａ１号、米国特許公開第２０１０−０２１７５５７−Ａ１号、米国特許公開第２０１０−０２２３０１３−Ａ１号、米国特許公開第２０１０−０２２３０２２−Ａ１号、米国特許公開第２０１０−０２２３０２３−Ａ１号、米国特許公開第２０１０−０２２８１０９−Ａ１号、米国特許公開第２０１０−０２２８４９７−Ａ１号、米国特許公開第２０１０−０２４０９７５−Ａ１号、米国特許公開第２０１０−０２４０９７６  Ｃ１号、米国特許公開第２０１０−０２６１９８７−Ａ１号、米国特許公開第２０１０−０２７４１０７−Ａ１号、米国特許公開第２０１０−０２８０３４１−Ａ１号、米国特許公開第２０１０−０２８６４９６−Ａ１号、米国特許公���第２０１０−０２９８６８４−Ａ１号、米国特許公開第２０１０−０３２４４０３−Ａ１号、米国特許公開第２０１０−０３３１６５６−Ａ１号、米国特許公開第２０１０−０３３１６５７−Ａ１号、米国特許公開第２０１１−０００４０８５−Ａ１号、米国特許公開第２０１１−０００９７２７−Ａ１号、米国特許公開第２０１１−００２４０４３−Ａ１号、米国特許公開第２０１１−００２４３０７−Ａ１号、米国特許公開第２０１１−００２７１２７−Ａ１号、米国特許公開第２０１１−００２７４５３−Ａ１号、米国特許公開第２０１１−００２７４５８−Ａ１号、米国特許公開第２０１１−００２８８１５−Ａ１号、米国特許公開第２０１１−００２８８１６−Ａ１号、米国特許公開第２０１１−００４６４６７−Ａ１号、米国特許公開第２０１１−００７７４９０−Ａ１号、米国特許公開第２０１１−０１１８５７９−Ａ１号、米国特許公開第２０１１−０１２４９９２−Ａ１号、米国特許公開第２０１１−０１２５４１０−Ａ１号、米国特許公開第２０１１−０１３０９７０−Ａ１号、米国特許公開第２０１１−０１３０９７１−Ａ１号、米国特許公開第２０１１−０１３０９９８−Ａ１号、米国特許公開第２０１１−０１４４４６５−Ａ１号、米国特許公開第２０１１−０１７８３７８−Ａ１号、米国特許公開第２０１１−０１９０６１４−Ａ１号、米国特許公開第２０１１−０２０１９１０−Ａ１号、米国特許公開第２０１１−０２０１９１１−Ａ１号、米国特許公開第２０１１−０２１８４１４−Ａ１号、米国特許公開第２０１１−０２３１１４０−Ａ１号、米国特許公開第２０１１−０２３１１４１−Ａ１号、米国特許公開第２０１１−０２３１１４２−Ａ１号、米国特許公開第２０１１−０２５３５３３−Ａ１号、米国特許公開第２０１１−０２６３９５８−Ａ１号、米国特許公開第２０１１−０２７００６２−Ａ１号、米国特許公開第２０１１−０２７０１５８−Ａ１号、米国特許公開第２０１１−０２７５９１９−Ａ１号、米国特許公開第２０１１−０２９０６４５−Ａ１号、米国特許公開第２０１１−０３１３５４３−Ａ１号、米国特許公開第２０１１−０３２０１３０−Ａ１号、米国特許公開第２０１２−００３５４４５−Ａ１号、米国特許公開第２０１２−００４０１０１−Ａ１号、米国特許公開第２０１２−００４６５３４−Ａ１号、米国特許公開第２０１２−００７８０７１−Ａ１号、米国特許公開第２０１２−０１０８９３４−Ａ１
号、米国特許公開第２０１２−０１３０２１４−Ａ１号、米国特許公開第２０１２−０１７２６９１−Ａ１号、米国特許公開第２０１２−０１７９０１４−Ａ１号、米国特許公開第２０１２−０１８６５８１−Ａ１号、米国特許公開第２０１２−０１９０９５３−Ａ１号、米国特許公開第２０１２−０１９１０６３−Ａ１号、米国特許公開第２０１２−０２０３４６７−Ａ１号、米国特許公開第２０１２−０２０９０９８−Ａ１号、米国特許公開第２０１２−０２１５０８６−Ａ１号、米国特許公開第２０１２−０２１５０８７−Ａ１号、米国特許公開第２０１２−０２１５２０１−Ａ１号、米国特許公開第２０１２−０２１５４６１−Ａ１号、米国特許公開第２０１２−０２１５４６２−Ａ１号、米国特許公開第２０１２−０２１５４９６−Ａ１号、米国特許公開第２０１２−０２２０９７９−Ａ１号、米国特許公開第２０１２−０２２６１２１−Ａ１号、米国特許公開第２０１２−０２２８１３４−Ａ１号、米国特許公開第２０１２−０２３８８５２−Ａ１号、米国特許公開第２０１２−０２４５４４８−Ａ１号、米国特許公開第２０１２−０２４５８５５−Ａ１号、米国特許公開第２０１２−０２５５８７５−Ａ１号、米国特許公開第２０１２−０２５８７４８−Ａ１号、米国特許公開第２０１２−０２５９１９１−Ａ１号、米国特許公開第２０１２−０２６０３２３−Ａ１号、米国特許公開第２０１２−０２６２２９８−Ａ１号、米国特許公開第２０１２−０２６５０３５−Ａ１号、米国特許公開第２０１２−０２６５０３６−Ａ１号、米国特許公開第２０１２−０２６５０３７−Ａ１号、米国特許公開第２０１２−０２７７５６２−Ａ１号、米国特許公開第２０１２−０２７７５６６−Ａ１号、米国特許公開第２０１２−０２８３５４１−Ａ１号、米国特許公開第２０１２−０２８３５４３−Ａ１号、米国特許公開第２０１２−０２９６３１１−Ａ１号、米国特許公開第２０１２−０３０２８５４−Ａ１号、米国特許公開第２０１２−０３０２８５５−Ａ１号、米国特許公開第２０１２−０３２３１００−Ａ１号、米国特許公開第２０１３−００１２７９８−Ａ１号、米国特許公開第２０１３−００３０２７３−Ａ１号、米国特許公開第２０１３−００３５５７５−Ａ１号、米国特許公開第２０１３−００３５８６５−Ａ１号、米国特許公開第２０１３−００３５８７１−Ａ１号、米国特許公開第２００５−００５６５５２−Ａ１号、及び米国特許公開第２００５−０１８２４５１−Ａ１号に開示される。
【０４５３】
好適な実施形態の態様と併せて使用するのに好適な方法及びデバイスは、１９９９年１１月２２日に出願された「ＤＥＶＩＣＥ  ＡＮＤ  ＭＥＴＨＯＤ  ＦＯＲ  ＤＥＴＥＲＭＩＮＩＮＧ  ＡＮＡＬＹＴＥ  ＬＥＶＥＬＳ」と題される米国出願第０９／４４７，２２７号、２０１０年７月１日に出願された「ＨＯＵＳＩＮＧ  ＦＯＲ  ＡＮ  ＩＮＴＲＡＶＡＳＣＵＬＡＲ  ＳＥＮＳＯＲ」と題される米国出願第１２／８２８，９６７号、２０１２年５月１日に出願された「ＤＵＡＬ  ＥＬＥＣＴＲＯＤＥ  ＳＹＳＴＥＭ  ＦＯＲ  Ａ  ＣＯＮＴＩＮＵＯＵＳ  ＡＮＡＬＹＴＥ  ＳＥＮＳＯＲ」と題される米国出願第１３／４６１，６２５号、２０１２年８月２４日に出願された「ＰＯＬＹＭＥＲ  ＭＥＭＢＲＡＮＥＳ  ＦＯＲ  ＣＯＮＴＩＮＵＯＵＳ  ＡＮＡＬＹＴＥ  ＳＥＮＳＯＲＳ」と題される米国出願第１３／５９４，６０２号、２０１２年８月２４日に出願された「ＰＯＬＹＭＥＲ  ＭＥＭＢＲＡＮＥＳ  ＦＯＲ  ＣＯＮＴＩＮＵＯＵＳ  ＡＮＡＬＹＴＥ  ＳＥＮＳＯＲＳ」と題される米国出願第１３／５９４，７３４号、２０１２年９月７日に出願された「ＳＹＳＴＥＭ  ＡＮＤ  ＭＥＴＨＯＤＳ  ＦＯＲ  ＰＲＯＣＥＳＳＩＮＧ  ＡＮＡＬＹＴＥ  ＳＥＮＳＯＲ  ＤＡＴＡ  ＦＯＲ  ＳＥＮＳＯＲ  ＣＡＬＩＢＲＡＴＩＯＮ」と題される米国出願第１３／６０７，１６２号、２０１２年９月２１日に出願された「ＳＹＳＴＥＭＳ  ＡＮＤ  ＭＥＴＨＯＤＳ  ＦＯＲ  ＰＲＯＣＥＳＳＩＮＧ  ＡＮＤ  ＴＲＡＮＳＭＩＴＴＩＮＧ  ＳＥＮＳＯＲ  ＤＡＴＡ」と題される米国出願第１３／６２４，７２７号、２０１２年９月２１日に出願された「ＳＹＳＴＥＭＳ  ＡＮＤ  ＭＥＴＨＯＤＳ  ＦＯＲ  ＰＲＯＣＥＳＳＩＮＧ  ＡＮＤ  ＴＲＡＮＳＭＩＴＴＩＮＧ  ＳＥＮＳＯＲ  ＤＡＴＡ」と題される米国出願第１３／６２４，８０８号、２０１２年９月２１日に出願された「ＳＹＳＴＥＭＳ  ＡＮＤ  ＭＥＴＨＯＤＳ  ＦＯＲ  ＰＲＯＣＥＳＳＩＮＧ  ＡＮＤ  ＴＲＡＮＳＭＩＴＴＩＮＧ  ＳＥＮＳＯＲ  ＤＡＴＡ」と題される米国出願第１３／６２４，８１２号、２０１３年１月２日に出願された「ＡＮＡＬＹＴＥ  ＳＥＮＳＯＲＳ  ＨＡＶＩＮＧ  Ａ  ＳＩＧＮＡＬ−ＴＯ−ＮＯＩＳＥ  ＲＡＴＩＯ  ＳＵＢＳＴＡＮＴＩＡＬＬＹ  ＵＮＡＦＦＥＣＴＥＤ  ＢＹ  ＮＯＮ−ＣＯＮＳＴＡＮＴ  ＮＯＩＳＥ」と題される米国出願第１３／７３２，８４８号、２０１３年１月３日に出願された「ＥＮＤ  ＯＦ  ＬＩＦＥ  ＤＥＴＥＣＴＩＯＮ  ＦＯＲ  ＡＮＡＬＹＴＥ  ＳＥＮＳＯＲＳ」と題される米国出願第１３／７３３，７４２号、２０１３年１月３日に出願された「ＯＵＴＬＩＥＲ  ＤＥＴＥＣＴＩＯＮ  ＦＯＲ  ＡＮＡＬＹＴＥ  ＳＥＮＳＯＲＳ」と題される米国出願第１３／７３３，８１０号、２０１３年１月１５日に出願された「ＳＹＳＴＥＭＳ  ＡＮＤ  ＭＥＴＨＯＤＳ  ＦＯＲ  ＰＲＯＣＥＳＳＩＮＧ  ＳＥＮＳＯＲ  ＤＡＴＡ」と題される米国出願第１３／７４２，１７８号、２０１３年１月１６日に出願された「ＳＹＳＴＥＭＳ  ＡＮＤ  ＭＥＴＨＯＤＳ  ＦＯＲ  ＰＲＯＶＩＤＩＮＧ  ＳＥＮＳＩＴＩＶＥ  ＡＮＤ  ＳＰＥＣＩＦＩＣ  ＡＬＡＲＭＳ」と題される米国出願第１３／７４２，６９４号、２０１３年１月１６日に出願された「ＳＹＳＴＥＭＳ  ＡＮＤ  ＭＥＴ���ＯＤＳ  ＦＯＲ  ＤＹＮＡＭＩＣＡＬＬＹ  ＡＮＤ  ＩＮＴＥＬＬＩＧＥＮＴＬＹ  ＭＯＮＩＴＯＲＩＮＧ  Ａ  ＨＯＳＴ’Ｓ  ＧＬＹＣＥＭＩＣ  ＣＯＮＤＩＴＩＯＮ  ＡＦＴＥＲ  ＡＮ  ＡＬＥＲＴ  ＩＳ  ＴＲＩＧＧＥＲＥＤ」と題される米国出願第１３／７４２，８４１号、及び２０１３年１月２３日に出願された「ＤＥＶＩＣＥＳ，  ＳＹＳＴＥＭＳ，  ＡＮＤ  ＭＥＴＨＯＤＳ  ＴＯ  ＣＯＭＰＥＮＳＡＴＥ  ＦＯＲ  ＥＦＦＥＣＴＳ  ＯＦ  ＴＥＭＰＥＲＡＴＵＲＥ  ＯＮ  ＩＭＰＬＡＮＴＡＢＬＥ  ＳＥＮＳＯＲＳ」と題される米国出願第１３／７４７，７４６号に開示される。
【０４５４】
上述の説明は、本発明を実施することが企図される最良の形態、ならびにそれを作製及び使用する手段及びプロセスの最良の形態を、それが属する技術分野の当業者が本発明を作製及び使用することを可能にすることができるような完全、明確、簡潔、かつ正確な用語で、表す。本発明は、しかしながら、上述のものからの変化形及び代替的な構成を受ける傾向にあり、これらは、完全に同等である。結果として、本発明は、開示された特定の実施形態に限定されない。逆に、本発明は、本発明の主題を具体的に指摘し、それを明確に特許請求する、以下の特許請求の範囲によって広義に示される本発明の精神及び範囲内に含まれる変化形及び代替的な構成を全て対象とする。本開示は図面及び前述の説明において詳細に例示及び説明されているが、そのような例示及び説明は、例証または例示であり、制限と見なされるものではない。
【０４５５】
本明細書に引用される全ての参考文献は、参照によりその全体が本明細書に組み込まれる。参照により組み込まれる刊行物及び特許または特許出願が本明細書に含まれる本開示に矛盾する範囲では、本明細書は、いずれのそのような矛盾する材料にも優先する、及び／または先行することが意図される。
【０４５６】
別途定義されない限り、全ての用語（技術及び科学用語を含む）は、当業者にとって通常かつ慣例的な意味が与えられ、本明細書に明示的に定義されない限り、特別またはカスタマイズされた意味に制限されるものではない。本開示のある特定の特徴または態様を説明する際の特定の用語の使用は、その用語が本明細書で再定義されて、その用語が関連している本開示の特徴または態様の任意の具体的な特性を含むように制限されることを暗示すると見なされるものではないことに留意されたい。本出願に使用される用語及び語句、ならびにそれらの変化形は、特に添付の特許請求の範囲において、別途明示されない限り、制限とは対照的な制約のないものと見なされるべきである。前述のものの例として、「含んでいる（ｉｎｃｌｕｄｉｎｇ）」という用語は、「限定することなく、含んでいる」、「含んでいるが、限定されない」等を意味し、「含んでいる（ｃｏｍｐｒｉｓｉｎｇ）」という用語は、本明細書に使用されるとき、「含んでいる（ｉｎｃｌｕｄｉｎｇ）」、「含有している（ｃｏｎｔａｉｎｉｎｇ）」、または「によって特徴付けられる（ｃｈａｒａｃｔｅｒｉｚｅｄ  ｂｙ）」と同義であり、包括的または制約のないものであり、追加の記述されていない要素または方法ステップを除外するものではなく、「有する（ｈａｖｉｎｇ）」という用語は、「少なくとも有する」と解釈されるべきであり、「含む（ｉｎｃｌｕｄｅ）」という用語は、「含むが、限定されない」と解釈されるべきであり、「例」という用語は、議論されている項目の例示的な例を提供するために使用され、完全なものでもその一覧を制限するものでもなく、「既知の」、「通常の」、「標準的な」等の形容詞及び類似の意味の用語は、記載される項目を所与の時期または所与の時点で利用可能な項目に制限するものと見なされるべきではなく、現在または今後の任意の時点で利用可能であるかまたは既知であり得る、既知の、通常の、または標準的な技術を包含すると解釈されるべきであり、「好ましくは」、「好ましい」、「所望の」、または「望ましい」等の用語及び類似の意味の単語は、ある特定の特徴が、本発明の構造または機能のために極めて重要である、必須である、またはさらには重要であることを暗示すると理解されるべきものではなく、単に、本発明の特定の実施形態に利用され得るかまたはされなくてもよい代替的または追加的な特徴を強調することを意図するものである。同様に、「及び（ａｎｄ）」という接続詞で関連付けられる項目の群は、その項目のうちのありとあらゆるものが群内に存在することを要求すると解釈されるべきではなく、別途明示されない限りは「及び／または」と解釈されるべきである。同様に、「または（ｏｒ）」という接続詞で関連付けられる項目の群は、その群の間で相互排除を要求するものと解釈されるべきではなく、別途明示されない限りは「及び／または」と解釈されるべきである。
【０４５７】
ある範囲の値が提供される場合、上限及び下限、ならびにその範囲の上限と下限の間にある各中間値が、その実施形態に包含される。
【０４５８】
本明細書の実質的に全ての複数形及び／または単数形の用語の使用に関して、当業者であれば、状況及び／または適用に適したように、複数形から単数形及び／または単数形から複数形に変換することができる。種々の単数形／複数形の置換は、明確さのために本明細書に明示的に記載され得る。「１つの（ａ）」または「１つの（ａｎ）」という不定冠詞は、複数形を排除するものではない。単一のプロセッサまたは他のユニットが、特許請求の範囲に記述されるいくつかの項目の機能を満たし得る。ある特定の測定値が互いに異なる従属請求項に記述されるという単なる事実は、これらの測定値の組み合わせを使用して利益を得ることができないことを示すものではない。特許請求の範囲内の任意の参照記号は、その範囲を制限するものと見なされるものではない。
【０４５９】
具体的な数の導入される特許請求の範囲の記述が意図される場合、そのような意図は、特許請求の範囲内で明示的に記述され、そのような記述がなければそのような意図は存在しないことが、当業者によってさらに理解されるであろう。例えば、理解を助けるものとして、以下に添付される特許請求の範囲は、特許請求の範囲の記述を導入する「少なくとも１つの」及び「１つ以上の」という前置語句の使用を含み得る。しかしながら、そのような語句の使用は、同じ特許請求の範囲が、「１つ以上の」または「少なくとも１つの」という前置語句と、「１つの（ａ）」または「１つの（ａｎ）」等の不定冠詞（例えば、「１つの（ａ）」及び／または「１つの（ａｎ）」は、典型的には「少なくとも１つの」または「１つ以上の」を意味すると解釈されるべきである）を含む場合ですら、「１つの（ａ）」または「１つの（ａｎ）」という不定冠詞による特許請求の範囲の記述に関する導入が、そのような導入される特許請求の範囲の記述を含む任意の特定の請求項を１つのみのそのような記述を含む実施形態に制限することを暗示すると見なされるものではなく、これは、特許請求の範囲の記述を導入するために使用される定冠詞の使用に当てはまる。加えて、具体的な数の導入される特許請求の範囲の記述が明示的に記述される場合ですら、そのような記述が典型的には少なくとも記載される数を意味すると解釈されるべきであることを理解するであろう（例えば、「２つの記述」というそのままの記述は、修飾語句なしで、典型的に、少なくとも２つの言及または２つ以上の言及を意味する）。さらに、「Ａ、Ｂ、及びＣ等のうちの少なくとも１つ」に対する従来的な類似形が使用される事例では、一般に、そのような制限は、当業者が慣例を理解するという意味で意図される（例えば、「Ａ、Ｂ、及びＣのうちの少なくとも１つを有するシステム」は、Ａ単独、Ｂ単独、Ｃ単独、Ａ及びＢをともに、Ａ及びＣをともに、Ｂ及びＣをともに、ならびに／またはＡ、Ｂ、及びＣをともに有する等のシステムを含むであろうが、これらに限定されない）。「Ａ、Ｂ、またはＣ等のうちの少なくとも１つ」に対する従来的な類似形が使用される事例では、一般に、そのような制限は、当業者が慣例を理解するという意味で意図される（例えば、「Ａ、Ｂ、またはＣのうちの少なくとも１つを有するシステム」は、Ａ単独、Ｂ単独、Ｃ単独、Ａ及びＢをともに、Ａ及びＣをともに、Ｂ及びＣをともに、ならびに／またはＡ、Ｂ、及びＣをともに有する等のシステムを含むであろうが、これらに限定されない）。２つ以上の代替的な用語を表す事実上全ての離接語及び／または語句が、説明、特許請求の範囲、または図面内であるかにかかわらず、それらの用語のうちの１つ、それらの用語のいずれか、または両方の用語を含む可能性を企図すると理解されることが、当業者によってさらに理解されるであろう。例えば、「ＡまたはＢ」という語句は、「Ａ」または「Ｂ」または「Ａ及びＢ」という可能性を含むことが理解されるであろう。
【０４６０】
成分、反応条件等の量を表す全ての数字は、全ての事例において「約」という用語によって修飾されているとして理解されるものとする。したがって、そうでないことが示されない限り、本明細書に記載される数値パラメータは、おおよその値であり、取得が求められる所望される特性に応じて多様であり得る。最後に、均等論の適用を本明細書に対する優先権を主張する任意の明細書中の任意の特許請求の範囲に限定する試みとしてではなく、各数値パラメータは、有効桁数及び慣例的な四捨五入のアプローチを考慮して解釈されるべきである。
【０４６１】
さらに、前述のものは、明確さ及び理解の目的で例証及び例としていくらか詳細に記載されているが、ある特定の変更及び修正が実施され得ることが当業者には明らかであろう。したがって、説明及び例は、本発明を本明細書に記載される特定の実施形態及び実施例に制限するものと見なされるべきではなく、本発明の真の範囲及び趣旨をもっての全ての修正及び代替手段を網羅するものである。
【符号の説明】
【０４６２】
１００  センサデバイス
１０２  体内部分
１０４  皮膚
１０６  体外部分
１０８  組織刺入要素
１１０  センサ本体
１１２  支持部材
１１４  膜
１１６  皮膚接触型載置ユニット
１２２  基部
１２４  接着層
１２６  先端部
１２８  近位面
１４０  膜
３１０  組織刺入要素
３１２  ポケット
３１４  センサ
３３０  支持部材
３３２  陥凹部
３３４  窓部分
４００  センサ
４０８  溶解性先端部
４１２  センサ本体
４１４  膜
４１８  組織繊維コーティング先端部
４２６  センサ本体先端部
５００  センサ
５０２  針
５０４  管腔
５０６  溶解性組織刺入先端部
７００  センサユニット
７０２  センサ本体
７０４  膜
７０８  先端部
８０２  センサ本体
８０４  膜
８０８  先端部
９００  硬化剤
９０２  膜
９０４  センサ本体
９０６  センサユニット
９０８  皮膚
９１０  先端部
１０００  センサ
１００２  導電性コアワイヤ
１００４  非導電性ジャケット
１００６  導電性構成要素
１００８、１０１０  電極
１０１２  導電性トレース
１０１６  遠位端
１０２０  センサ
１０２２、１０２４、１０２６  電極
１０２８  非導電性層
１０４０  センサ
１０４２  コアワイヤ
１０４４、１０４８  電極
１０４６  基材
１０６０  センサ
１０６２  重なり領域
１０６４、１０６６  縁部
１０７０  センサ
１０７２  導入シース
１０７４  膜
１０７６  組織刺入要素
１０７８  センサ本体
１０８０、１０８２  センサ
１０８４、１０８６  トラフ
１０８５  遠位端
１０８８、１０９０  外周囲
１１０２  センサ
１１０４  保護シース
１１０６  センサ先端部
１１０８  センサ
１１１０  貫通穴
１１１２  膜
１１１４  組織刺入遠位先端部
１１１６  センサ
１１１８  くぼみ
１１２０  センサ
１１２２  窪み
１１２４  膜
１１２６  外層
１１２８  センサ
１１３０  センサ本体
１１３２  膜
１１３４  保護外層
１１３６  先端部
１１３８  センサ
１１４０  外層
１１４２  窓
１１４４  センサ
１１４６  ワイヤ
１１４８  外側コーティング
１１５０  窓
１１５２  膜
１１５４  高透過性外層
１１５６  センサ
１１５８  膜
１１６０  外表面
１１６１  膜
１１６２  遠位先端部
１１６３  センサ加工部材
１１６４  ワイヤ
１１６５  ビーズ
１１６６  膜
１１６７  先端部
１１６８  チャネル
１１７０  先端部
１１７２  保護外層
１１７４  ワイヤストック
１１７６  膜コーティング
１１７８  リール
１１８０  レーザ
１１８２  導電性ワイヤ
１１８４  膜
１１８６  遠位端
１１８８  膜コーティングワイヤ
１１９０  先端部
１１９２  コーティング
１１９４  センサワイヤ
１１９６  遠位先端部
１１９８  膜
１２００  遠位端
１２０２  露出部分
１２０４  センサ
１２０６  溶液
１２０８  ビーズ
１２１０  遠位端
１２１２  繊維体
１２１４  ワイヤ
１２１６  膜コーティング
１２１８  そう
１２２０  末端キャップ
１２２４  ワイヤ
１２２６  膜コーティング
１２２８  膜
１２３０  剛性コーティング
１２３２  先端部
１２３４  センサ
１２３６  センサ本体
１２３８  刺入先端部
１２４０  遠位端
１２４２  近位端
１２４４  膜
１２４６  コーティング
１２４８  後退式導入シース
１２５０  センサ
１２５２  センサ本体
１２５４  膜
１２５６  先端部
１２５８  遠位端
１２６０  近位端
１２６２  後退式導入シース
１２６４  センサ
１２６６  センサ本体
１２６８  膜
１２６９  センサ
１２７０  先端部
１２７１  コアワイヤ
１２７３  電気絶縁層
１２７７  遠位先端部
１２７５  間隙
１２７９  導電層
１２８０  膜
１２８４  センサ
１２８６  センサ本体
１２８８  膜
１２９０  複数の層
１２９２  センサ
１２９４  センサ本体
１２９６  遠位先端部
１２９８  膜
１３００  センサ
１３０２  センサ本体
１３０４  遠位先端部
１３０６  膜
１３１０  溶媒
１３１２  センサ
１３１４  センサ本体
１３１６  先端部
１３２０  剥離剤
１３２２  センサ
１３２４  センサ本体
１３２６  先端部
１３２８  犠牲材料
１３３０  膜
１３３２  センサ
１３３４  センサ本体
１３３６  遠位先端部
１３３８  膜
１３４０  センサ
１３４２  センサ本体
１３４４  遠位先端部
１３４６  膜溶液
１３４８  センサ
１３５０  センサ本体
１３５２  遠位先端部
１３５４  環状チャネル
１３５６  縁部
１３６０  膜
１３６２  センサ
１３６４  センサ本体
１３６６  コア
１３６８  外層
１３７０、１３７２  帯
１３７４  遠位先端部
１３７６、１３７６’  キャップ
１３８０  ワイヤストック
１３８２  上記
１３８４  遠位端
１３８６  ワイヤ
１３８８  化学物質
１３９０  先端部
１３９４  センサワイヤ
１３９６  研磨表面
１３９８  先端部
１４００  斜角
１４０２  センサワイヤ
１４０４  内側コア
１４０６  外層
１４０８  露出部分
１４１０  センサワイヤ
１４１２  ポリマー材料
１４１４  先端部
１４１６  センサワイヤ
１４１８  槽
１４２０  浸漬コーティング
１４２２  先端部
１４２４  センサワイヤ
１４２６  センサ本体
１４２８  膜
１４３０  先端部
１４３１  センサ加工部材
１４３２  型
１４３３  造形要素
１４３４  ＰＣＢ
１４３６  外側コア
１４３８  先端部
１４４０  窓
１４４２  センサ
１４４４  膜
１４４６  センサ
１４４８  センサ本体
１４５０  遠位端
１４５２  刺入先端部
１４５４  近位端
１４５６  センサ
１４５７  電極
１４５８  ＭＥＭＳ基材
１４５９  導電性トレース
１４６０  刺入先端部
１４６２  膜
１４７０  センサワイヤ
１４７２  中間領域
１４７４  抵抗加熱要素
１４７６  加熱領域
１４７８、１４７８’  センサワイヤ
１４８０、１４８０’  切断刃
１４８２、１４８４  表面
１４８６、１４８６’  切断部
１４８８、１４８８’  刺入先端部
１４９０、１４９０’  センサワイヤ
【図１】
2017510347.tif 000003
【図２Ａ】
2017510347.tif 000004
【図２Ｂ】
2017510347.tif 000005
【図２Ｃ】
2017510347.tif 000006
【図２Ｄ】
2017510347.tif 000007
【図２Ｅ】
2017510347.tif 000008
【図２Ｆ】
2017510347.tif 000009
【図２Ｇ】
2017510347.tif 000010
【図２Ｈ】
2017510347.tif 000011
【図３Ａ】
2017510347.tif 000012
【図３Ｂ】
2017510347.tif 000013
【図３Ｃ】
2017510347.tif 000014
【図３Ｄ】
2017510347.tif 000015
【図４】
2017510347.tif 000016
【図５】
2017510347.tif 000017
【図６】
2017510347.tif 000018
【図７】
2017510347.tif 000019
【図８】
2017510347.tif 000020
【図９】
2017510347.tif 000021
【図１０】
2017510347.tif 000022
【図１１】
2017510347.tif 000023
【図１２】
2017510347.tif 000024
【図１３】
2017510347.tif 000025
【図１４】
2017510347.tif 000026
【図１５】
2017510347.tif 000027
【図１６−１７】
2017510347.tif 000028
【図１８】
2017510347.tif 000029
【図１９】
2017510347.tif 000030
【図２０】
2017510347.tif 000031
【図２１】
2017510347.tif 000032
【図２２】
2017510347.tif 000033
【図２３】
2017510347.tif 000034
【図２４】
2017510347.tif 000035
【図２５】
2017510347.tif 000036
【図２６】
2017510347.tif 000037
【図２７】
2017510347.tif 000038
【図２８】
2017510347.tif 000039
【図２９】
2017510347.tif 000040
【図３０】
2017510347.tif 000041
【図３０Ａ】
2017510347.tif 000042
【図３０Ｂ】
2017510347.tif 000043
【図３１】
2017510347.tif 000044
【図３２】
2017510347.tif 000045
【図３３】
2017510347.tif 000046
【図３４】
2017510347.tif 000047
【図３５】
2017510347.tif 000048
【図３６】
2017510347.tif 000049
【図３７】
2017510347.tif 000050
【図３８】
2017510347.tif 000051
【図３９】
2017510347.tif 000052
【図４０】
2017510347.tif 000053
【図４１】
2017510347.tif 000054
【図４２】
2017510347.tif 000055
【図４３】
2017510347.tif 000056
【図４４】
2017510347.tif 000057
【図４５】
2017510347.tif 000058
【図４６】
2017510347.tif 000059
【図４７】
2017510347.tif 000060
【図４８】
2017510347.tif 000061
【図４９】
2017510347.tif 000062
【図５０】
2017510347.tif 000063
【図５１】
2017510347.tif 000064
【図５２】
2017510347.tif 000065
【図５２Ａ】
2017510347.tif 000066
【図５３】
2017510347.tif 000067
【図５４】
2017510347.tif 000068
【図５４Ａ】
2017510347.tif 000069
【図５５】
2017510347.tif 000070
【図５６】
2017510347.tif 000071
【図５７】
2017510347.tif 000072
【図５８】
2017510347.tif 000073
【図５９】
2017510347.tif 000074
【図６０】
2017510347.tif 000075
【図６１】
2017510347.tif 000076
【図６２】
2017510347.tif 000077
【図６３】
2017510347.tif 000078
【図６４】
2017510347.tif 000079
【図６５】
2017510347.tif 000080
【図６６】
2017510347.tif 000081
【図６７】
2017510347.tif 000082
【図６８】
2017510347.tif 000083
【図６９】
2017510347.tif 000084
【図７０】
2017510347.tif 000085
【図７１】
2017510347.tif 000086
【図７２】
2017510347.tif 000087
【図７３】
2017510347.tif 000088
【図７４】
2017510347.tif 000089
【図７５】
2017510347.tif 000090
【図７６】
2017510347.tif 000091
【図７６Ａ】
2017510347.tif 000092
【図７６Ｂ】
2017510347.tif 000093
【図７６Ｃ】
2017510347.tif 000094
【図７６Ｄ】
2017510347.tif 000095
【図７７】
2017510347.tif 000096
【図７８】
2017510347.tif 000097
【図７９】
2017510347.tif 000098
【図８０】
2017510347.tif 000099
【図８１】
2017510347.tif 000100
【図８２】
2017510347.tif 000101
【図８３】
2017510347.tif 000102
【図８４】
2017510347.tif 000103
【図８５】
2017510347.tif 000104
【図８６】
2017510347.tif 000105
【国際調査報告】
2017510347.tif 000106
2017510347.tif 000107
2017510347.tif 000108
2017510347.tif 000109
2017510347.tif 000110